(57)【要約】試料中の１つ以上の検体濃度を決定するための、試料のタイプを決定するための、及び／又は試料中の干渉種に責任を負う装置及び方法であって、少なくとも２つの励起と１つの緩和を有する第１入力信号を上記試料に印加すること、及び少なくとも２つの励起および１つの緩和を有する第２入力信号を上記試料に印加することによって、試薬を有する第１電極を介する上記第１入力信号を、試薬を欠く第２電極を介する上記第２入力信号と組み合わせること、その結果、上記第１入力信号の複数の励起は、上記第２入力信号の複数の励起とは同時ではない、を含むものが開示されている。本方法は、上記第１入力信号に対応する第１出力信号と上記第２入力信号に対応する第２出力信号とを測定することをさらに含む。
2019521343.tif 000002
【特許請求の範囲】
【請求項１】
試料中の検体の濃度を決定する方法であって、
試薬を有する第１電極を介する第１入力信号を、試薬が排除される第２電極を介する第２入力信号と組み合わせることであって、前記組み合わせることが、
少なくとも２つの励起と１つの緩和を有する前記第１入力信号を、前記第１電極を介して、前記試料へ印加することと、
少なくとも２つの励起と１つの緩和を有する前記第２入力信号を、前記第２電極を介して、前記試料へ印加することと
を包含し、
前記第１入力信号の励起が、前記第２入力信号の励起と同時ではないこと、
前記第１入力信号に対応する第１出力信号及び前記第２入力信号に対応する第２出力信号を測定すること、及び
少なくとも前記第１出力信号及び前記第２出力信号に基づいて検体の濃度を決定すること、
を包含する、
上記方法。
【請求項２】
前記第２電極は、前記検体の酸化を促進するいかなる試薬も含まない、請求項１に記載の方法。
【請求項３】
前記第１入力信号の前記少なくとも２つの励起は、第１強度のものである、請求項１に記載の方法。
【請求項４】
前記第１入力信号の前記少なくとも２つの励起は、４つの励起を含む、請求項３に記載の方法。
【請求項５】
前記４つの励起は、前記第１電極を介して前記試料へ印加された０．２５ボルトの一定電位を含む、請求項４に記載の方法。
【請求項６】
前記第２入力信号の前記少なくとも２つの励起の強度は、経時的に増加する、請求項１に記載の方法。
【請求項７】
前記第２入力信号の前記少なくとも２つの励起は、４つの励起を含む、請求項６に記載の方法。
【請求項８】
前記第２入力信号の前記４つの励起は、前記第２電極を介して前記試料に印加された０．２５ボルト、０．３５ボルト、０．５０ボルト、及び１．００ボルトの定電位を含む、請求項７に記載の方法。
【請求項９】
前記第２入力信号の前記少なくとも２つの励起は、電流測定法の励起である、請求項１に記載の方法。
【請求項１０】
前記第２入力信号の前記少なくとも２つの励起は、電圧測定法の励起である、請求項１に記載の方法。
【請求項１１】
前記第２入力信号の少なくとも２つの励起の少なくとも１つは定電位の励起であり、そして前記第２入力信号の前記少なくとも２つの励起の少なくとも１つは、線形走査、周期的な励起、又は非周期的な励起である、請求項１に記載の方法。
【請求項１２】
前記第１入力信号の前記少なくとも２つの励起は、第１のパルス幅の励起である、請求項１に記載の方法。
【請求項１３】
前記第２入力信号の前記少なくとも２つの励起は、前記第１のパルス幅の励起である、請求項１２に記載の方法。
【請求項１４】
前記第２入力信号の前記少なくとも２つの励起は、第２のパルス幅の励起である、請求項１２に記載の方法。
【請求項１５】
前記第２入力信号の前記少なくとも２つの励起は、変化するパルス幅を有している、請求項１２に記載の方法。
【請求項１６】
前記第２出力信号、前記第１出力信号に対する前記第２出力信号、又はそれらの組み合わせに基づいて１つ以上の誤差パラメータを決定すること、
をさらに包含し、
前記検体の濃度の決定は、前記１つ以上の誤差パラメータに、少なくとも部分的に、基づく、
請求項１に記載の方法。
【請求項１７】
前記第２出力信号は、前記第２入力信号の前記少なくとも２つの励起の１つ以上の励起についての少なくとも２つの応答を含む、請求項１に記載の方法。
【請求項１８】
前記第２入力信号の前記１つ以上の励起の少なくとも１つに対する前記少なくとも２つの応答に基づいて少なくとも１つの誤差パラメータを決定すること、
をさらに包含し、
前記検体の濃度の決定は、前記少なくとも１つの誤差パラメータに基づく前記検体濃度の相関の偏りを補償することに、少なくとも部分的に、基づく、
請求項１７に記載の方法。
【請求項１９】
前記少なくとも１つの誤差パラメータは、前記少なくとも２つの応答の比に基づいている、請求項１８に記載の方法。
【請求項２０】
（ｉ）前記第２入力信号の前記少なくとも２つの励起の１つ以上の励起のうちの第１の励起の少なくとも２つの応答のうちの１つの、及び
（ｉｉ）前記第２の複数のデューティサイクルの前記少なくとも２つの励起のうちの１つ以上の励起のうちの第２の励起の少なくとも２つの応答のうちの１つ
に基づいて、少なくとも１つの誤差パラメータを決定すること、
をさらに包含し、
前記検体の濃度の決定は、前記少なくとも１つの誤差パラメータに基づく検体濃度の相関の偏りを補償することに、少なくとも部分的に、基づく、
請求項１７に記載の方法。
【請求項２１】
前記少なくとも１つの誤差パラメータは、
（ｉ）前記第２入力信号の前記少なくとも２つの励起の１つ以上の励起のうちの第１の励起の少なくとも２つの応答のうちの前記１つと、
（ｉｉ）前記第２入力信号の前記少なくとも２つの励起の１つ以上の励起のうちの第２の励起の少なくとも２つの応答のうちの１つと
の比に基づく、請求項２０に記載の方法。
【請求項２２】
前記第１出力信号は、前記第１入力信号の前記少なくとも２つの励起の１つ以上の励起に対する少なくとも１つの応答を含み、
前記第２出力サイクルは、前記第２入力信号の少なくとも２つの励起の１つ以上の励起に対する少なくとも１つの応答を含む、請求項１に記載の方法。
【請求項２３】
（ｉ）前記第１入力信号の前記少なくとも１つの励起の１つ以上の励起の内の１つに対する前記少なくとも１つの応答と、
（ｉｉ）前記第２入力信号の前記少なくとも１つの励起の１つ以上の励起に対する前記少なくとも１つの応答と、
に基づいて、少なくとも１つの誤差パラメータを決定すること、
をさらに包含し、
前記検体の濃度の決定は、前記少なくとも１つの誤差パラメータに基づく検体濃度の相関における偏りを補償することに、少なくとも部分的に、基づく、
請求項２２に記載の方法。
【請求項２４】
前記少なくとも１つの誤差パラメータは、
（ｉ）前記第１入力信号の前記少なくとも１つの励起の前記１つ以上の励起の内の１つに対する前記少なくとも１つの応答と、
（ｉｉ）第２入力信号の前記少なくとも１つの励起の１つ以上の励起の１つに対する少なくとも前記１の応答と
の比に基づく、請求項２３に記載の方法。
【請求項２５】
前記第１出力信号は、前記試料中の前記検体の濃度に対応する、請求項１に記載の方法。
【請求項２６】
前記第２出力信号は、前記試料中の前記検体の濃度に対応しない、請求項２５に記載の方法。
【請求項２７】
前記第１出力信号は、前記検体の酸化還元反応に対応する、請求項１に記載の方法。
【請求項２８】
前記第２出力信号は、前記検体の酸化還元反応に対応しない、請求項２７に記載の方法。
【請求項２９】
前記第１電極の前記試薬は、酸化還元酵素である、請求項１に記載の方法。
【請求項３０】
前記第１電極の前記試薬は、グルコースオキシダーゼ酵素、グルコースデヒドロゲナーゼ酵素、又はそれらの組み合わせである、請求項２９に記載の方法。
【請求項３１】
前記検体は、グルコースである、請求項３０に記載の方法。
【請求項３２】
前記試料は、全血である、請求項３１に記載の方法。
【請求項３３】
前記試料中のグルコース濃度を測定するための濃度範囲は、約０ｍｇ／ｄＬから約９００ｍｇ／ｄＬまでである、請求項３１に記載の方法。
【請求項３４】
前記第１電極は、前記第１入力信号の緩和中、電気的に開状態にある、請求項１に記載の方法。
【請求項３５】
前記第２電極は、前記第２入力信号の緩和中、電気的に開状態にある、請求項１に記載の方法。
【請求項３６】
前記第１出力信号に基づいて、前記試料中の検体についての検体濃度の相関を決定すること、及び
前記第２出力信号、前記第１出力信号に対する前記第２出力信号、又はそれらの組み合わせに基づいて計算された１つ以上の誤差パラメータに基づいて、検体濃度の相関の偏りを補償すること、
をさらに包含し、
前記検体の濃度の決定は、前記補償された検体濃度の相関に基づく、
請求項１に記載の方法。
【請求項３７】
前記偏りの補償は、傾きの偏差値、切片の偏差値、又はそれらの組み合わせに従って、前記検体濃度の相関を調整することを含む、請求項３６に記載の方法。
【請求項３８】
前記検体の濃度は、±５％の偏りで３．２秒以内に決定される、請求項１に記載の方法。
【請求項３９】
前記検体の濃度は、±１％の偏りで３．０秒以内に決定される、請求項３８に記載の方法。
【請求項４０】
前記検体の濃度は、±０.５％の偏りで３．０秒以内に決定される、請求項３９に記載の方法。
【請求項４１】
試料中の検体の濃度を決定する方法であって、前記方法は、
試薬を有する第１電極を介して第１入力信号と、すべての試薬を欠く第２電極を介して第２入力信号とを組み合わせることであって、前記組み合わせることが、
少なくとも２つの電圧パルスを有する第１入力信号を、前記第１電極を介して、前記試料に印加することと、
少なくとも２つの電圧パルスを有する第２入力信号を、前記第２電極を介して、前記試料に印加することと
を包含し、
前記第１入力信号の前記少なくとも２つの電圧パルスは、前記第２入力信号の前記少なくとも２つの電圧パルスの内の少なくとも１つの電圧パルスによって分離されていること、
前記第１入力信号に対応する第１出力信号、及び前記第２入力信号に対応する第２出力信号を測定すること、並びに
少なくとも前記第１出力信号及び前記第２出力信号に基づいて前記検体の濃度を決定すること、
を包含している、
上記方法。
【請求項４２】
前記第２入力信号に対応して前記第２出力信号を測定することは、
前記第２入力信号の各電圧パルスに対応して生成される第１電流及び第２電流を測定すること、
を包含している、請求項４１に記載の方法。
【請求項４３】
前記第１電流は、前記第２入力信号の各電圧パルスに対応して生成される初期電流である、請求項４２に記載の方法。
【請求項４４】
前記第２電流は、前記第２入力信号の各電圧パルスに対応して生成される最終電流である、請求項４２に記載の方法。
【請求項４５】
前記第２入力信号の前記少なくとも２つの電圧パルスの内の１つ以上の電圧パルスの前記第１電流及び前記第２電流に基づいて、１つ以上の誤差パラメータを決定すること、
をさらに包含し、
前記試料中の前記検体の濃度の決定は、１つ以上の誤差パラメータに、少なくとも部分的に、基づく、
請求項４２に記載の方法。
【請求項４６】
前記１つ以上の誤差パラメータの各誤差パラメータは、同じ電圧パルスの前記第１電流と前記第２電流との比に基づく、請求項４５に記載の方法。
【請求項４７】
前記第１入力信号に対応する前記第１出力信号を測定することは、前記第１入力信号の各電圧パルスに対応して生成された第１電流を測定することを包含し、且つ前記第２入力信号に対応する前記第２出力信号を測定することは、前記第２入力信号の各電圧パルスに対応して生成された第２電流を測定することを包含している、請求項４１に記載の方法。
【請求項４８】
前記第１電流は、前記第１入力信号の各電圧パルスに対応して生成される初期電流である、請求項４７に記載の方法。
【請求項４９】
前記第２電流は、前記第２入力信号の各電圧パルスに対応して生成される最終電流である、請求項４７に記載の方法。
【請求項５０】
（ｉ）前記第１入力信号の１つの電圧パルスの第１電流、及び
（ｉｉ）前記第２入力信号の１つの電圧パルスの第２電流
に基づいて、１つ以上の誤差パラメータを決定すること、
をさらに包含し、
前記試料中の前記検体の濃度の決定は、前記１つ以上の誤差パラメータに、少なくとも部分的に、基づく、
請求項４７に記載の方法。
【請求項５１】
前記１つ以上の誤差パラメータの各誤差パラメータは、
（ｉ）前記第１入力信号の前記１つの電圧パルスの前記第１電流と
（ｉｉ）前記第２入力信号の１つの電圧パルスの前記第２電流と
の比に基づいている、請求項５０に記載の方法。
【請求項５２】
試料中の検体の濃度を決定する方法であって、
第１入力信号を前記検体に印加することであって、
前記第１入力信号が、第１の複数のデューティサイクルを含み、
前記第１の複数のデューティサイクルの各デューティサイクルが、
（ｉ）第１電極と対向電極との間の励起と、
（ｉｉ）前記第１電極の緩和と
を含み、
前記第１電極が、前記検体の酸化を促進する少なくとも１つの試薬を含むこと、
第２入力信号を前記検体に印加することであって、
前記第２入力信号が、第２の複数のデューティサイクルを含み、
前記第２の複数デューティサイクルの各デューティサイクルが、
（ｉ）第２電極と前記対向電極との間の励起と、
（ｉｉ）前記第２電極の緩和を含み、
前記第２電極が、少なくとも１つの前記試薬を排除していること、
前記第１入力信号に応じた第１出力信号と前記第２入力信号に応じた第２出力信号とを測定すること、及び
前記第１出力信号及び前記第２出力信号に基づいて、前記試料中の前記検体の濃度を決定すること、
を包含し、
少なくとも前記第１の複数のデューティサイクルの前記励起と前記第２の複数のデューティサイクルの前記励起とが組み合わされている、
上記の方法。
【請求項５３】
前記第２電極は、前記検体の酸化を促進する全ての試薬を排除している、請求項５２に記載の方法。
【請求項５４】
前記第１の複数のデューティサイクルの前記励起は、第１の強度である、請求項５２に記載の方法。
【請求項５５】
前記第１の複数のデューティサイクルの前記励起は、４つの励起を含む、請求項５４に記載の方法。
【請求項５６】
前記第１の複数のデューティサイクルの前記４つの励起は、前記第１電極と前記対向電極との間に印加された０．２５ボルトの定電位を含む、請求項５５に記載の方法。
【請求項５７】
前記第２の複数のデューティサイクルの前記励起の強度は、径時的に増加する、請求項５２に記載の方法。
【請求項５８】
前記第２の複数のデューティサイクルの前記励起の強度は、前記第２の複数のデューティサイクルの各励起によって倍増する、請求項５７に記載の方法。
【請求項５９】
前記第２の複数のデューティサイクルの前記励起は、４つの励起を含む、請求項５７に記載の方法。
【請求項６０】
前記第２の複数のデューティサイクルの前記４つの励起は、前記第２電極と前記対向電極との間に印加された０．２５ボルト、０．３５ボルト、０．５０ボルト、及び１．００ボルトの定電位を含む、請求項５９に記載の方法。
【請求項６１】
前記第２の複数のデューティサイクルの前記励起は、電流測定法の励起である、請求項５２に記載の方法。
【請求項６２】
前記第２の複数のデューティサイクルの前記励起は、電圧測定法の励起である、請求項５２に記載の方法。
【請求項６３】
前記第２の複数のデューティサイクルの前記励起は、電圧測定法の励起及び電流測定法の励起である、請求項５２に記載の方法。
【請求項６４】
前記第１の複数のデューティサイクルの前記励起は、第１のパルス幅である、請求項５２に記載の方法。
【請求項６５】
前記第２の複数のデューティサイクルの前記励起は、前記第１のパルス幅である、請求項６４に記載の方法。
【請求項６６】
前記第２の複数のデューティサイクルの前記励起は、第２のパルス幅である、請求項６４に記載の方法。
【請求項６７】
前記第２の複数のデューティサイクルの前記励起は、変化するパルス幅を有する、請求項６４に記載の方法。
【請求項６８】
前記第２出力信号、前記第１出力信号に対する前記第２出力信号、又はそれらの組み合わせに基づいて、１つ以上の誤差パラメータを決定すること、
をさらに包含し、
前記検体の濃度の決定は、１つ以上の誤差パラメータに、少なくとも部分的に、基づく、
請求項５２に記載の方法。
【請求項６９】
前記第２出力信号は、前記第２の複数のデューティサイクルの前記励起の１つ以上の励起に対する少なくとも２つの応答を含む、請求項５２に記載の方法。
【請求項７０】
前記第２の複数のデューティサイクルの前記１つ以上の励起のうちの少なくとも１つに対する前記少なくとも２つの応答に基づき、少なくとも１つの誤差パラメータを決定すること、
をさらに包含し、
前記検体の濃度の決定は、前記少なくとも１つの誤差パラメータに、少なくとも部分的に、基づく、
請求項６９に記載の方法。
【請求項７１】
前記少なくとも１つの誤差パラメータは、前記少なくとも２つの応答の比に基づく、請求項７０に記載の方法。
【請求項７２】
（ｉ）前記第２の複数のデューティサイクルの１つ以上の励起の第１のものの少なくとも２つの応答のうちの１つと、
（ｉｉ）前記第２の複数のデューティサイクルの１つ以上の励起のうちの第２のものの少なくとも２つの応答のうちの１つ
に基づいて、少なくとも１つの誤差パラメータを決定すること、
をさらに包含し、
前記検体の濃度の決定は、前記少なくとも１つの誤差パラメータに、少なくとも部分的に、基づく、
請求項６９記載の方法。
【請求項７３】
前記少なくとも１つの誤差パラメータは、
（ｉ）前記第２の複数のデューティサイクルの１つ以上の励起の第１のものの少なくとも２つの応答のうちの前記１つと、
（ｉｉ）前記第２の複数のデューティサイクルの１つ以上の励起のうちの第２のものの少なくとも２つの応答のうちの前記１つと
の比に基づく、請求項７２記載の方法。
【請求項７４】
前記第１出力信号は、前記第１の複数のデューティサイクルの前記励起の１つ以上の励起に対する少なくとも１つの応答を含み、前記第２出力サイクルは、前記第２の複数のデューティサイクルの前記励起の１つ以上の励起に対する少なくとも１つの応答を含む、請求項５２記載の方法。
【請求項７５】
（ｉ）前記第１の複数のデューティサイクルの１つ以上の励起のうちの１つに対する前記少なくとも１つの応答と、
（ｉｉ）前記第２の複数のデューティサイクルの１つ以上の励起のうちの１つに対する前記少なくとも１つの応答と
に基づき、少なくとも１つの誤差パラメータを決定すること、
をさらに包含し、
前記検体の濃度の決定は、前記少なくとも１つの誤差パラメータに、少なくとも部分的に、基づく、
請求項７４に記載の方法。
【請求項７６】
前記少なくとも１つの誤差パラメータは、
（ｉ）前記第１の複数のデューティサイクルの１つ以上の励起のうちの１つに対する前記少なくとも１つの応答と、
（ｉｉ）前記第２の複数のデューティサイクルの１つ以上の励起のうちの１つに対する前記少なくとも１つの応答と
の比に基づく、請求項７５に記載の方法。
【請求項７７】
前記第１出力信号は、前記試料中の前記検体の濃度に対応する、請求項５２に記載の方法。
【請求項７８】
前記少なくとも１つの試薬は、酸化還元酵素である、請求項５２に記載の方法。
【請求項７９】
前記少なくとも１つの試薬は、グルコースオキシダーゼ酵素、グルコースデヒドロゲナーゼ酵素、又はそれらの組み合わせである、請求項７８に記載の方法。
【請求項８０】
前記第１電極は、前記第１の複数のデューティサイクルの緩和の間、電気的に開いた状態にある、請求項５２に記載の方法。
【請求項８１】
前記第２電極は、前記第２の複数のデューティサイクルの緩和の間、電気的に開いた状態にある、請求項５２に記載の方法。
【請求項８２】
前記検体がグルコースである、請求項５２に記載の方法。
【請求項８３】
前記試料が全血である、請求項８２に記載の方法。
【請求項８４】
前記試料中のグルコース濃度を測定するための濃度範囲が、約０ｍｇ／ｄＬ〜約９００ｍｇ／ｄＬである、請求項８２に記載の方法。
【請求項８５】
試料中の検体の濃度を決定する方法であって、前記方法は、
前記試料へ第１入力信号を印加することであって、
前記第１入力信号が、第１の複数のデューティサイクルを含み、
前記第１の複数のデューティサイクルの各デューティサイクルが
（ｉ）第１電極と対向電極との間に印加された電圧パルスと、
（ｉｉ）第１電極の緩和と
を含み、
前記第１電極は、前記検体の酸化を促進する少なくとも１つの試薬を含むこと；
前記試料へ第２入力信号を印加することであって、
前記第２入力信号が、第２の複数のデューティサイクルを含み、
前記第２の複数のデューティサイクルの各デューティサイクルが、第２電極と前記対向電極との間に印加された電圧パルスを含み、
前記第２電極が、前記検体の酸化を促進するいかなる試薬をも排除していること; 
前記第１入力信号に対応する第１出力信号と前記第２入力信号に対応する第２出力信号とを測定すること、及び
前記第１出力信号及び前記第２出力信号に基づいて前記試料中の前記検体の濃度を決定すること、
を包含し、
前記第１電極と前記対向電極との間に印加された前記第１入力信号の各電圧パルスが、前記第２電極と前記対向電極との間に印加された前記第２入力信号の少なくとも１つの電圧パルスによって、前記第１電極と前記対向電極との間に印加された前記第１入力信号の次の電圧パルスから分離されている、
上記方法。
【請求項８６】
前記第２入力信号に対応する前記第２出力信号を測定することは、
前記第２の複数のデューティサイクルの各電圧パルスに対応して生成された第１の電流及び第２の電流を測定すること、
を包含する、請求項８５に記載の方法。
【請求項８７】
前記第１の電流は、前記第２の複数のデューティサイクルの各電圧パルスに対応して生成された初期電流である、請求項８６に記載の方法。
【請求項８８】
前記第２の電流は、前記第２の複数のデューティサイクルの各電圧パルスに対応して生成される最終電流である、請求項８６に記載の方法。
【請求項８９】
１つ以上の誤差パラメータを決定することであって、
前記１つ以上の誤差パラメータの各誤差パラメータが、対応する電圧パルスの前記第１の電流及び前記第２の電流に基づくこと、
をさらに含み、
前記試料中の前記検体の濃度の決定が、前記１つ以上の誤差パラメータに、少なくとも部分的に、基づく、
請求項８６に記載の方法。
【請求項９０】
前記１つ以上の誤差パラメータの各誤差パラメータは、対応する電圧パルスに対する前記第１の電流と前記第２の電流との比に基づく、請求項８９に記載の方法。
【請求項９１】
前記第１入力信号に対応する前記第１出力信号を測定することは、前記第１の複数のデューティサイクルの各電圧パルスに対応して生成された第１電流を測定すること、及び
前記第２入力信号に対応する前記第２出力信号を測定することは、前記第２の複数のデューティサイクルの各電圧パルスに対応して生成された第２電流を測定することを
包含している、請求項８５に記載の方法。
【請求項９２】
前記第１電流は、前記第１の複数のデューティサイクルの各電圧パルスに対応して生成される初期電流である、請求項９１に記載の方法。
【請求項９３】
前記第２電流は、前記第２の複数のデューティサイクルの各電圧パルスに対応して生成される最終電流である、請求項９１に記載の方法。
【請求項９４】
１つ以上の誤差パラメータを決定することであって、
前記１つ以上の誤差パラメータの各々が、
（ｉ）前記第１の複数のデューティサイクルの１つの電圧パルスの前記第１電流と、
（ｉｉ）前記第２の複数の電圧パルスの前記第２電流と
に基づくこと、
をさらに包含し、
前記試料中の検体の濃度の決定は、前記１つ以上の誤差パラメータに、少なくとも部分的に、基づく、
請求項９１に記載の方法。
【請求項９５】
前記１つ以上の誤差パラメータの各誤差パラメータは、
（ｉ）前記第１の複数のデューティサイクルのうちの前記１つの電圧パルスの前記第１電流と、
（ｉｉ）前記第２の複数のデューティサイクルのうちの１つの電圧パルスの前記第２電流と
の比に基づく、請求項９４に記載の方法。
【請求項９６】
血糖モニター装置を用いて溶液を分析する方法であって、
前記血糖モニター装置の裸電極を介して前記溶液に入力信号を印加することであって、
前記入力信号が定電圧パルスを含むこと、
前記定電圧パルスに対応して生成された電流の極性を決定すること、及び、
前記極性に、少なくとも部分的に、基づいて、対照基準又は血液試料としての溶液を識別すること、
を包含する、
上記方法。
【請求項９７】
前記定電圧パルスは０．２５ボルトである、請求項９６に記載の方法。
【請求項９８】
負の極性は、溶液が対照基準であることを示す、請求項９６に記載の方法。
【請求項９９】
正の極性は、溶液が血液試料であることを示す、請求項９６に記載の方法。
【請求項１００】
前記血液試料は全血である、請求項９９に記載の方法。
【請求項１０１】
前記裸電極は、前記溶液中の或る１つの種の酸化還元反応を促進する試薬を排除している、請求項９６に記載の方法。
【請求項１０２】
前記裸電極は、前記溶液中の任意の種の酸化還元反応を促進する試薬を排除している、請求項９６に記載の方法。
【請求項１０３】
前記電流は、前記定電圧パルスの開始に対応して生成される電流である、請求項９６に記載の方法。
【請求項１０４】
前記入力信号は、前記裸電極と前記対向電極との間に印加される複数の定電圧パルスをさらに含み、前記定電圧パルスは前記複数の定電圧パルスの中に含まれる、請求項９６に記載の方法。
【請求項１０５】
前記溶液を対照基準として識別することに対応して、前記複数の定電圧パルスに、少なくとも部分的に、基づいて、複数の所定の対照基準のうちの１つの所定の対照基準として前記溶液を識別すること、
をさらに含む、請求項１０４に記載の方法。
【請求項１０６】
前記複数の定電圧パルスは、初期定電圧パルス及び最終定電圧パルスを含み、さらに、本方法は、
前記初期定電圧パルスと前記最終定電圧パルスに、少なくとも部分的に、基づいて、前記複数の所定の対照基準の内の前記所定の対照基準としての前記溶液を識別すること、
を包含する、
請求項１０４に記載の方法。
【請求項１０７】
前記初期定電圧パルスは０．２５ボルトであり、そして前記最終定電圧パルスは１．００ボルトである、請求項１０６に記載の方法。
【請求項１０８】
前記初期定電圧パルスに対応する第１の複数の電流、及び前記最終定電圧パルスに対応する第２の複数の電流を測定すること、をさらに包含する、請求項１０６に記載の方法。
【請求項１０９】
前記溶液は、前記第１の複数の電流の内の初期電流と前記第２の複数の電流の内の最終電流とに基づいて前記所定の対照基準として識別される、請求項１０８に記載の方法。
【請求項１１０】
前記複数の定電圧パルスは、初期定電圧パルス及び最終定電圧パルスを含み、且つ前記溶液を前記対照基準又は前記血液試料として識別することは、前記初期定電圧パルス及び前記最終定電圧パルスに、少なくとも部分的に、基づく、請求項１０４に記載の方法。
【請求項１１１】
前記初期定電圧パルスは０．２５ボルトであり、且つ前記最終定電圧パルスは１．００ボルトである、請求項１１０に記載の方法。
【請求項１１２】
前記初期定電圧パルスに対応する第１の複数の電流、及び前記最終定電圧パルスに対応する第２の複数の電流を測定すること、をさらに包含する、請求項１１０に記載の方法。
【請求項１１３】
前記溶液を前記対照基準又は前記血液試料として識別することが、前記初期定電圧パルスに対応する前記第１の複数の電流の内の１の初期電流と、前記最終定電圧パルスに対応する前記第２の複数の電流の内の１の初期電流と、前記最終定電圧パルスに対応する前記第２の複数の電流の内の１の最終電流とに、少なくとも部分的に、基づく、請求項１１２に記載の方法。
【請求項１１４】
前記溶液を前記対照基準又は血液試料として識別することが、前記初期定電圧パルスに対応する前記第１の複数の電流の内の前記初期電流と比較された、
（ｉ）前記最終定電圧パルスに対応する前記第２の複数の電流の内の前記初期電流、及び
（ｉｉ）前記最終定電圧パルスに対応する前記第２の複数の電流の内の前記最終電流、
の比に、少なくとも部分的に、基づく、請求項１１３に記載の方法。
【請求項１１５】
前記複数の電圧パルスは、前記裸電極と少なくとも前記対向電極との間に２．５ボルト以上で印加された少なくとも１つの最終電圧パルスを含む、請求項１１３に記載の方法。
【請求項１１６】
前記溶液を前記対照基準として識別することに対応して、前記最終定電圧パルスを含む前記複数の定電圧パルスに、少なくとも部分的に、基づいて、前記溶液を前記複数の所定の対照基準の中の１の所定の対照基準として識別すること、
をさらに包含する、請求項１１５に記載の方法。
【請求項１１７】
前記最終定電圧パルスに対応する第３の複数の電流を測定すること、
をさらに含み、
前記溶液を前記複数の所定の対照基準のうちの前記所定の対照基準として識別することが、少なくとも部分的に、前記第３の複数の電流のうちの１つの最終電流に基づく、
請求項１１６に記載の方法。
【請求項１１８】
試料の種類を決定する方法であって、
裸電極を介して試料に１つの入力信号印加することであって、
前記入力信号が少なくとも２つの励起と１つの緩和を有していること、
前記入力信号に対応する出力信号を測定すること、
前記出力信号に基づいて１つ以上のパラメータを決定すること、及び
前記試料のタイプを決定するために、前記１つ以上のパラメータを１つ以上の閾値と比較すること、
を包含する、上記方法。
【請求項１１９】
前記タイプは、２つのタイプのうちの１つである、請求項１１８に記載の方法。
【請求項１２０】
前記２つのタイプは、対照基準及び生物学的試料である、請求項１１９に記載の方法。
【請求項１２１】
前記生物学的試料は、全血、血清、血漿、尿、唾液、間質液、又は細胞内液である、請求項１２０に記載の方法。
【請求項１２２】
前記２つのタイプのうちの第１のタイプがサブタイプを含み、前記試料のタイプを前記第１のタイプであると決定することに対応して、本方法は、
前記試料の前記第１のタイプの前記サブタイプを決定するために、前記１つ以上のパラメータを１つ以上の追加の閾値と比較すること、
をさらに包含する、請求項１１９に記載の方法。
【請求項１２３】
前記第１のタイプは対照基準であり、且つ前記サブタイプは前記対照基準のタイプを規定する、請求項１２２に記載の方法。
【請求項１２４】
少なくとも部分的に、前記決定されたタイプ及び前記決定されたサブタイプの指示を起こすこと、
をさらに包含する、請求項１２２に記載の方法。
【請求項１２５】
前記指示は、前記バイオセンサシステムのディスプレイ上に前記サブタイプを提示することである、請求項１２４に記載の方法。
【請求項１２６】
前記決定されたサブタイプに、少なくとも部分的に、基づいて、バイオセンサシステムの動作を変更すること、
をさらに包含する、請求項１２１に記載の方法。
【請求項１２７】
前記決定されたタイプに、少なくとも部分的に、基づいて、バイオセンサシステムの動作を変更すること、
をさらに包含する、請求項１１８に記載の方法。
【請求項１２８】
前記出力信号は、前記入力信号の前記少なくとも２つの励起に対応する電流を含み、且つ前記１つ以上のパラメータは、前記電流に基づく、請求項１１８に記載の方法。
【請求項１２９】
前記電流は、少なくとも２つの電流を含む、請求項１２８に記載の方法。
【請求項１３０】
前記少なくとも２つの電流は、前記入力信号の前記少なくとも２つの励起の内の１つに対応する、請求項１２９に記載の方法。
【請求項１３１】
前記少なくとも２つの電流の各々は、前記入力信号の前記少なくとも２つの励起の内の別の１つの励起に対応する、請求項１２９に記載の方法。
【請求項１３２】
前記試料に前記入力信号と組み合わされた別の入力信号を印加することであって、
前記組み合わせることが、試薬を有する第１電極を介して前記試料に前記別の入力信号を印加することを含み、
前記別の入力信号は、少なくとも２つの励起及び１つの緩和を含み、
前記別の入力信号の前記少なくとも２つの励起は、前記入力信号の前記少なくとも２つの励起と同時ではないこと、
をさらに包含する、請求項１１８に記載の方法。
【請求項１３３】
試料中の１つ以上の干渉種に責任を負う方法であって、
試薬を有する第１電極を介する第１入力信号を、試薬を有しない第２電極を介する第２入力信号と組み合わせることであって、
前記組み合わせることが、少なくとも２つの励起及び１つの緩和を有する前記第１入力信号を、前記第１電極を介して前記試料に印加することと、
少なくとも２つの励起及び１つの緩和を有する前記第２入力信号を、前記第２電極を介して前記試料に印加することと
を包含し、
前記第１入力信号の少なくとも２つの励起が、前記第２入力信号の少なくとも２つの励起と同時ではないこと、
前記第１入力信号に対応する第１出力信号と前記第２入力信号に対応する第２出力信号とを測定すること、及び
前記第２出力信号に、少なくとも部分的に、基づいて、前記試料内の前記１つ以上の干渉種の干渉レベルを決定すること、
を包含する、
上記方法。
【請求項１３４】
前記第１出力信号、前記第２出力信号、又はそれらの組み合わせに基づいて、１つ以上のパラメータを決定すること、
をさらに包含し、
前記干渉レベルの前記決定は、前記１つ以上のパラメータを１つ以上の閾値と比較することに基づく、
請求項１３３に記載の方法。
【請求項１３５】
前記１つ以上の閾値は、前記試料中の前記１つ以上の干渉種の濃度に関連している、請求項１３４に記載の方法。
【請求項１３６】
前記１つ以上の閾値は、１つ以上の干渉状態閾値及び１つ以上の誤り状態閾値を含む、請求項１３５に記載の方法。
【請求項１３７】
前記決定された干渉レベルは、前記１つ以上の干渉状態閾値を満たす前記１つ以上のパラメータに基づいて正常状態として決定される、請求項１３６に記載の方法。
【請求項１３８】
前記決定された干渉レベルは、前記１つ以上の干渉状態閾値を超え且つ前記１つ以上の誤り状態閾値を満たす前記１つ以上のパラメータに基づいて、高められた状態として決定される、請求項１３６に記載の方法。
【請求項１３９】
前記決定された干渉レベルは、前記１つ以上の誤り状態閾値を超える前記１つ以上のパラメータに基づいて誤り状態として決定される、請求項１３６に記載の方法。
【請求項１４０】
前記１つ以上の誤り状態閾値を超える前記１つ以上のパラメータに対応して、バイオセンサシステムに前記誤り状態を提示すること、
をさらに包含する、請求項１３９に記載の方法。
【請求項１４１】
前記第２出力信号は、前記第２入力信号の前記少なくとも２つの励起に対応する電流を含み、そして前記１つ以上のパラメータは前記電流に基づく、請求項１４０に記載の方法。
【請求項１４２】
前記電流は、少なくとも２つの電流を含む、請求項１４１に記載の方法。
【請求項１４３】
前記少なくとも２つの電流は、前記第２入力信号の前記少なくとも２つの励起のうちの１つに対応する、請求項１４２に記載の方法。
【請求項１４４】
前記少なくとも２つの電流の各々は、前記第２入力信号の前記少なくとも２つの励起の内のそれぞれ別の励起に対応する、請求項１４２に記載の方法。
【請求項１４５】
前記決定された干渉のレベルに基づいて、前記試料中の検体の濃度を決定する際に、バイオセンサシステムの動作を変更すること、
をさらに包含する、請求項１３３に記載の方法。
【請求項１４６】
前記バイオセンサシステムは、正常状態に関する１つ以上の誤差補償方程式と、高められた状態についての１つ以上の誤差補償方程式を含み、且つ前記１つ以上の閾値は、前記正常状態下での動作と高められた状態下での動作を区別する、請求項１４５に記載の方法。
【請求項１４７】
試料中の検体の濃度を決定する方法であって、
前記検体に特有の試薬を有する第１電極の２つ以上の励起と少なくとも１つの緩和とを有する第１入力信号を、前記検体に特有の試薬を欠く第２電極の２つ以上の励起と少なくとも１つの緩和とを有する第２入力信号と、前記第１入力信号の２つ以上の励起の各励起が前記第２入力信号の１つ以上の励起と同時ではないように組み合わせること、
前記第１入力信号に対応する第１出力信号と、前記第２入力信号に対応する第２出力信号とを測定すること、及び
少なくとも前記第１出力信号及び前記第２出力信号に基づいて前記検体の濃度を決定すること、
を包含する、
上記方法。
【請求項１４８】
前記第１電極の前記少なくとも１つの緩和の各緩和は、システムの緩和中、前記第２電極の前記少なくとも１つの緩和の１の緩和と、少なくとも部分的に、重なっている、請求項１４７に記載の方法。
【請求項１４９】
前記第１電極の前記少なくとも１つの緩和と、前記第２電極の前記少なくとも１つの緩和とは、同時ではない、請求項１４７に記載の方法。
【請求項１５０】
前記第１入力信号の前記２つ以上の励起の各励起は、前記第２入力信号の前記１つ以上の励起の少なくとも１つの励起によって、前記第１入力信号の前記２つ以上の励起の前及び後の励起から分離される、請求項１４７に記載の方法。
【請求項１５１】
試料中の１つ以上の干渉種に関する干渉効果を管理する方法であって、
１つ以上の入力信号を検体試料と接触しているバイオセンサシステムへ印加すること、
前記１つ以上の入力信号に対応して前記バイオセンサシステムの１つ以上の出力信号を測定すること、
事前設定された閾値の画定された境界と関連させた１つ以上の信号、１つ以上のパラメータ、又はそれらの組み合わせに基づいて、事前ソートされた分離マップ内のデータ点の位置を決定すること、及び
前記位置に基づいて、検体濃度の通常の計算／補償を前記データ点へ適用するか否か、検体濃度の特別な計算／補償をデータ点へ適用するか否か、又はデータ点の除外を適用するか否かを決定すること、
を包含する、
上記方法。
【請求項１５２】
前記１つ以上の入力信号は、試薬を欠く前記バイオセンサシステムの第２電極を介して入力された第２入力信号と組み合わされた、試薬を有する前記バイオセンサシステムの第１電極を介して入力された第１入力信号を含み、そして前記印加することは、
少なくとも２つの励起及び１つの緩和を有する前記第１入力信号を、前記第１電極を介して前記試料に印加すること、及び
少なくとも２つの励起及び１つの緩和を有する前記第２入力信号を、前記第１入力信号の少なくとも２つの励起が、前記第２入力信号の少なくとも２つの励起と同時ではないように、前記第２電極を介して前記試料に印加すること、
を包含する、請求項１５１に記載の方法。
【請求項１５３】
前記第１入力信号に対応する第１出力信号と、前記第２入力信号に対応する第２出力信号とを測定すること、
をさらに包含する。請求項１５２に記載の方法。
【請求項１５４】
前記第１出力信号、前記第２出力信号、又はそれらの組み合わせに基づいて、１つ以上のパラメータを決定すること、
をさらに包含する、請求項１５３に記載の方法。
【発明の詳細な説明】
【技術分野】
【０００１】
関連出願への相互参照
本出願は、「INTERTWINED ELECTRICAL INPUT SIGNALS（組み合わされた複数の電気信号）」と題する、２０１６年７月１２日に出願された米国仮出願第６２／３６１３５８、及び「INTERTWINED ELECTRICAL INPUT SIGNALS（組み合わされた複数の電気信号）」と題する、２０１６年１２月５日に出願された米国仮出願第６２／４３０２３２号の利益及び優先権を主張する。これらの各々は参照によりその全体が本明細書に組み込まれる。
【０００２】
技術分野
本開示の態様は、試料中の検体（検査対象）の濃度を決定するための装置及び方法に関する。
【背景技術】
【０００３】
バイオセンサシステムは、生体液、例えば、全血（ＷＢ）、血清、血漿、尿、唾液及び間質又は細胞内流体の分析を提供する。通常、バイオセンサシステムは、試験センサに接触する試料を分析する測定装置を有する。試料は、通常は液体の形態であり、生体液であることに加えて、生体液の誘導体、例えば、抽出液、希釈液、濾液、又は再構成沈殿物でありうる。システムによって実行される分析は、試料中の１つ以上の検体、例えば、アルコール、グルコース、尿酸（ＵＡ）、乳酸、コレステロール、ビリルビン（ＢＲＢ）、遊離脂肪酸、トリグリセリド、タンパク質、ケトン、フェニルアラニン、又は酵素の存在及び／又は濃度を決定する。この分析は、生理的異常の診断及び治療に有用でありうる。例えば、糖尿病患者は、食事及び／又は投薬の調整のために、ＷＢにおけるグルコースレベルを決定するためにバイオセンサシステムを用いうる。
【０００４】
電気化学的バイオセンサシステムにおいて、検体濃度は、入力信号が試料に適用されるときに、検体の酸化／還元（酸化還元）反応によって生成された電気信号から、又は検体に対応する種、例えば測定可能な種から決定される。入力信号は、電位又は電流であり得、一定、可変、又はそれらの組み合わせでありうる。
【０００５】
測定装置は、入力信号を試験センサの作用電極へ印加し、その作用電極は入力信号を試料に伝達する。測定可能な種の酸化還元反応は、入力信号に対応して電気出力信号を生成する。具体的には、グルコースの場合、グルコースは酵素によって酸化され、次いで酵素がメディエーターに電子を転送する。還元されたメディエーターは、次に、電気化学的に酸化され、出力信号を生成する試験センサの電極に移動する。測定装置は、出力信号を測定し、生体液中の１つ以上の検体の存在及び／又は濃度と相関させる処理能力を有しうる。
【０００６】
クーロメトリー（電量測定法）は、生体液中の検体を定量するために用いられてきた１つの電気化学的方法である。クーロメトリーにおいては、検体の濃度は、少容積内での検体を徹底的に酸化し且つ検体濃度を表す電荷を生成するために酸化時間にわたって電流を積分することによって定量化される。このようにして、クーロメトリーは、試験センサ内の検体の総量を捕捉する。クーロメトリーの重要な側面は、電荷対時間の積分曲線の終わりの方で、電荷が時間とともに変化する速度が実質的に一定になり、定常状態を生じることである。クーロメトリー曲線の定常状態部分は、比較的平坦な電流領域を形成し、それにより対応する電流の決定を可能にする。しかし、クーロメトリー法は、真の定常状態電流が非定常状態出力から推定されない限り、定常状態に達するために検体の全体積の完全な変換を必要とする。結果的にこの方法は、推定のために、時間がかかるか又は正確さが低下しうる。テストセンサの試料量もまた、正確な結果（これは大量生産のデバイスでは困難である）を得るように制御されなければならない。
【０００７】
アンペロメトリー（電流測定法）は、生体液中の検体を定量化するために使用されている別の電気化学的方法である。アンペロメトリーにおいては、電流は、一定の電位（電圧）が試験センサの作用電極と対向電極との間に印加されるときに読み出しパルスの間に測定される。測定された電流は、試料中の検体を定量化するために使用される。アンペロメトリーは、電気化学的に活性な種（従って検体）が作用電極の近くで酸化又は還元される速度を測定する。
【０００８】
ボルタンメトリー（電圧測定法）は、生体液中の検体を定量化するために用いることができる別の電気化学的方法である。ボルタンメトリーは、試験センサの作用極と対向電極との間に印加される入力信号の電位が時間とともに連続的に変化するという点でアンペロメトリーとは異なる。電流は、入力信号及び／又は時間の電位の変化の関数として測定される。
【０００９】
バイオセンサシステムの測定性能は、正確さ及び／又は精度に関して定義される。正確さ及び／又は精度の増加は、システムの測定性能（例えば偏りの低減）の改善をもたらす。正確さと誤差は、システムの性能を説明する際には逆である。より正確な測定は、測定に関連する誤差をより少なくすることを意味する。正確さ及び誤差は、基準検体の測定値と比較してのシステムの検体測定値の偏り（バイアスともいう）について表現することができ、偏りの値が大きいほど正確さは低いことを示す。精度は、複数の検体測定値間の平均に対する広がり又は分散の観点から表すことができる。偏りは、バイオセンサシステムから決定された１つ以上の値と生体液中の検体濃度に対する１つ以上の許容基準値との差である。このようにして、分析における１つ以上の誤差の源が、バイオセンサシステムの決定された検体濃度の偏りをもたらす。相反する考慮事項が、試料へのエネルギーの施与と検体濃度の決定との間に経過する合計時間である。より短い時間は、正確さ及び／又は精度に良くも悪くも影響を及ぼしうるが、検査時間が短すぎると正確さ及び／又は精度が損なわれうる。
【００１０】
誤差は、決定された検体濃度の基準検体濃度からの「絶対的偏り」又は「百分率偏り」で表されうる。絶対的偏りは、例えばミリグラム／デシリットルの測定単位で、（ＡＣａｌ−ＡＲｅｆｍｇ／ｄＬ）と表すことができ、一方、百分率偏りは、基準偏り値に対する絶対的偏り値の百分率（１００＊[ＡＣａｌ−ＡＲｅｆ]／ＡＲｅｆ）として表されうる。ここで、Ａは標的の検体濃度である。誤差の表現の例は、ＩＳＯ１５１９７-２０１３ＥのＩＳＯ規格に見出すことができる。この誤差は、絶対的偏りの観点から、１００ｍｇ／ｄＬ未満のグルコース濃度についてのベースライン・グルコース値からのグルコース測定偏差（ＧＣａｌ−ＧＲｅｆ）であるとして表され、一方また、１００ｍｇ／ｄＬ以上でのグルコース濃度についてのベースライン・グルコースからのグルコース測定百分率偏り偏差（１００*[ＧＣａｌ−ＧＲｅｆ]／ＧＲｅｆ）であるとして表されうる。用語「複合偏り」（偏り／％-偏りとして表される）は、１００ｍｇ／ｄＬ未満のグルコース濃度の絶対的偏り及び１００ｍｇ／ｄＬ以上のグルコース濃度の百分率偏りを表す。このような誤差の定義の下で、精度はさらに、測定されたグルコース測定値が、複合偏り（偏り／％-偏り）の境界内にどれほど良好にあるかとして定義される。例えば、ＩＳＯ-２０１３Ｅは、データの９５％以上が標準グルコース測定値の±１５ｍｇ／ｄＬ／±１５％の範囲内であることを要求している。精度の基礎を形成するのは、誤差境界と偏り／％-偏りである。誤差境界が狭ければ狭いほど、精度は良くなる。こうして、±１２．５ｍｇ／ｄＬ／±１２．５％以内に９５％以上のデータを有するバイオセンサシステムは、±１５ｍｇ／ｄＬ／±１５％以内のデータを有するものよりもより正確であるが、一方、±１０ｍｇ／ｄＬ／±１０％のものは、±１２．５ｍｇ／ｄＬ／±１２．５％のものよりも正確であり、±５ｍｇ／ｄＬ／±５％のものは、±１０ｍｇ／ｄＬ／±１０％のものよりも正確である。
【００１１】
関心のある検体の濃度の測定精度は、試料内の干渉種の存在によって影響を受けうる。干渉種は出力信号に寄与するが、検体の濃度とは無関係である。場合によっては、干渉種は、検体の酸化還元反応に直接影響を及ぼすことに基づいて出力信号に影響を及ぼすことがありうる。例えば、バイオセンサシステムが検体の酸化に対応して生成された還元メディエーターの濃度を決定する場合に、検体の酸化によらないで生成された何らかの還元メディエーターは、メディエーター背景のせいで、正しい場合よりも多い検体が試料中に存在することを示すバイオセンサシステムをもたらす。さらに、干渉種は検体と無関係であるが、干渉種はメディエーターを減少させうる。グルコースの場合、そのような干渉種は、キシロース又はグルコースに化学的に類似の別の種でありうる。別の場合、検体及び／又はメディエーターのものと同様の酸化還元電位を有する干渉種、及び試料に印加される入力信号の電位の干渉種は、検体及び／又はメディエーターと共に酸化及び／又は還元され得、したがって、出力信号に寄与する。検体の酸化還元反応に直接影響を与えないけれども出力信号に依然として影響を与える干渉種には、例えば、アスコルビン酸（ＡＳＡ）、ＵＡ、アセトアミノフェン（ＡＡ）、ドーパミン（Ｄｏｐ）などが含まれる。１つ以上の干渉種の存在、及び検体濃度測定におけるこれら干渉種の寄与に責任を負う点での従来の測定システムの不能又は失敗は、目的の検体濃度の測定の不正確さに望ましくない寄与を与える。
【００１２】
誤差を有する分析から得られた濃度値は、不正確でありうる。したがって、バイオセンサシステムは、分析に関連して、誤差を補正するための又は偏りを減らすための１つ以上の方法を含む。誤差を有するこれらの分析を訂正する能力は、得られた濃度値の正確さ及び／又は精度を増加させうる。誤差訂正システムは、１つ以上の誤差源、例えば測定可能な種の濃度が検体濃度と相関しない場合に生じる誤差からの影響を補償しうる。例えば、バイオセンサシステムが、検体の酸化に対応して生成された還元メディエーターの濃度を決定する場合に、検体の酸化によって生成されたものではない何等かの還元メディエーターは、メディエーター背景によって、正しいものよりもより多くの検体が試料中に存在することを示すシステムをもたらす。したがって、「メディエーター背景」は、基礎をなす検体濃度に対応しない測定可能な種に起因する、測定された検体濃度に導入された偏りである。
【００１３】
測定誤差又は偏りはまた、出力信号が試料の測定可能な種の濃度に相関しない場合に生じうる。例えば、バイオセンサシステムが出力信号電流から測定可能な種の濃度を決定する場合に、測定可能な種に対応しない出力電流は、干渉電流によって、正しいものよりもより多くの検体が試料中に存在することを示すシステムをもたらす。したがって、「干渉偏り」は、下にある検体濃度に対応しない出力電流を生成する干渉に起因する、測定された検体濃度に導入される偏りである。
【００１４】
これらの分析を訂正する能力は、得られた濃度値の正確さ及び／又は精度を高めうる。誤差訂正システムは、１つ以上の誤差源、例えば、試料温度、又は試料のヘマトクリットレベル（それらは、基準温度又は基準ヘマトクリット値とは異なる）を補償しうる。
【００１５】
従来の誤差補償方法／システムは、様々な競合する長所及び短所のバランスをとろうと試みるが、それらは、測定の不正確さを生じやすく、且つ性能上の欠点を有している。従来のシステムは、通常、例えば、温度又はヘマトクリットのいずれかの特定のタイプの誤差を検出し応答するように指向されている。そのような方法／システムは通常、複数の誤差源を補償する能力を欠く。これらのシステムはまた一般に、特定の試料からの複数の出力信号に基づいて、誤差の補償を変更する能力を欠いている。その結果、従来のバイオセンサシステムは、所望の測定性能限界内での決定された検体濃度値を有する分析結果を提供することができない。
【発明の概要】
【発明が解決しようとする課題】
【００１６】
少なくとも上記の理由から、改善された測定性能、特に、分析期間を延長することなく好ましくはそれを短縮して、生体の検体濃度の一層の正確な及び／又は精密な測定を提供しうる電気化学バイオセンサシステムに対する継続的なニーズが存在する。本開示のシステム、装置、及び方法は、従来のシステムに関する欠点の少なくとも１つを克服する。
【課題を解決するための手段】
【００１７】
本開示の態様は、試料中の１つ以上の検体の濃度の決定に関する装置、システム、及び方法を包含している。本開示の上記装置、システム、及び方法は、上記検体の濃度を決定するために、組み合わされた複数の入力信号を上記試料に印加する。上記組み合わされた複数入力信号は、１つ以上の試薬を有する作用電極及び１つの試薬をも欠く裸電極を介して上記試料に印加される。第１入力信号は、少なくとも２つの励起と少なくとも１つの緩和を含み、そして第２入力信号は少なくとも１つの励起と少なくとも１つの緩和を含み、上記第１及び第２入力信号の上記励起は非同期であり、そして一方の上記入力信号の１つの上記励起は、他方の入力信号の少なくとも１つの励起によって互いに分離されている。
【００１８】
本開示の態様は、上記試料中の上記１つ以上の検体の濃度を決定するために、上記の組み合わされた複数の入力信号に対応する１つ以上の出力信号を測定する装置、システム、及び方法を包含している。
【００１９】
本開示の態様は、決定された特定のタイプの上記試料を含むことができる上記試料のタイプを決定するために、上記の組み合わされた複数の入力信号に対応する１つ以上の出力信号を測定する装置、システム、及び方法を包含する。特定の態様において、上記タイプは、対照基準（control：コントロール）及びＷＢ試料でありうる。いくつかの態様において、１つのタイプの中で決定された上記特定のタイプは、特定の又は所定の対照基準でありうる。
【００２０】
本開示の態様は、上記試料中の１つ以上の干渉種、上記試料の干渉レベル、又はそれらの組み合わせを決定するために、上記の組み合わされた複数の入力信号に対応する１つ以上の出力信号を測定する装置、システム、及び方法を包含する。特定の態様において、上記装置、システム、及び方法の機能及び／又は動作は、上記試料中の１つ以上の干渉種、上記試料の干渉レベル、又はそれらの組み合わせの決定に基づいて変化しうる。
【００２１】
本開示の別の態様は、試料中の検体の濃度を決定する方法を含む。本方法は、試薬を有する第１電極を介する第１入力信号と、試薬を欠く第２電極を介する第２入力信号とを組み合わせることを含む。上記組み合わせは、少なくとも２つの励起及び１つの緩和を有する上記第１入力信号を上記第１電極を介して上記試料に印加すること、及び少なくとも２つの励起及び１つの緩和を有する上記第２入力信号を上記第２電極を介して上記試料に印加することを含み、その結果、上記第１入力信号の上記励起は上記第２入力信号の上記励起と同時ではない。本方法は、上記第１入力信号に対応する第１出力信号と、上記第２入力信号に対応する第２出力信号とを測定することをさらに含む。本方法は、少なくとも上記第１出力信号及び上記第２出力信号に基づいて上記検体の濃度を決定することを含む。
【００２２】
本開示の態様はまた、試料中の検体の濃度を測定する方法を含む。本方法は、試薬を有する第１電極を介する第１入力信号を、試薬を欠く第２電極を介する第２入力信号と組み合わせることを含む。上記組み合わせは、上記第１電極を介して少なくとも２つの電圧パルスを有する上記第１入力信号を上記試料に印加することと、上記第２電極を介して少なくとも２つの電圧パルスを有する上記第２入力信号を上記試料に印加することとを含み、その結果、上記第１入力信号の少なくとも２つの電圧パルスは、上記第２入力信号の少なくとも２つの電圧パルスの少なくとも１つの電圧パルスによって分離されている。本方法はさらに、上記第１入力信号に対応する第１出力信号と、上記第２入力信号に対応する第２出力信号とを測定することを含む。本方法はさらに、少なくとも上記第１出力信号及び上記第２出力信号に基づいて上記検体の濃度を決定することを含む。
【００２３】
本開示の別の態様は、試料中の検体の濃度を決定する方法を含む。本方法は、上記試料に第１入力信号を印加することを含む。上記第１入力信号は、第１の複数のデューティサイクルを含む。上記第１の複数のデューティサイクルの各デューティサイクルは、（ｉ）第１電極と対向電極との間の励起、及び（ｉｉ）上記第１電極の緩和を含む。上記第１電極は、上記検体の酸化を促進する少なくとも１つの試薬を含む。本方法は、第２入力信号を上記試料に印加することをさらに含む。上記第２入力信号は、第２の複数のデューティサイクルを含む。上記第２の複数のデューティサイクルの各デューティサイクルは、（ｉ）第２電極と上記対向電極との間の励起、及び（ｉｉ）上記第２電極の緩和を含み、上記第２電極は上記少なくとも１つの試薬を排除する。本方法はさらに、上記第１入力信号に対応する第１出力信号と、上記第２入力信号に対応する第２出力信号とを測定することを含む。本方法はさらに、上記第１出力信号及び上記第２出力信号に基づいて、上記試料中の上記検体の濃度を決定することを含む。本方法の態様において、少なくとも第１の複数のデューティサイクル及び第２の複数のデューティサイクルの励起は組み合っている。
【００２４】
本開示の別の態様は、試料中の検体の濃度を測定する方法を含む。本方法は、上記試料に第１入力信号を印加することを含む。上記第１入力信号は、第１の複数のデューティサイクルを含む。上記第１の複数のデューティサイクルの各デューティサイクルは、（ｉ）第１電極と対向電極との間に印加される電圧パルスと、（ｉｉ）上記第１電極の緩和とを含む。上記第１電極は、上記検体の酸化を促進する少なくとも１つの試薬を含む。本方法は、第２入力信号を上記試料に印加することをさらに含む。上記第２入力信号は、第２の複数のデューティサイクルを含む。上記第２の複数のデューティサイクルの各デューティサイクルは、第２電極と上記対向電極との間に印加される電圧パルスを含み、上記第２電極は、上記検体の酸化を促進するいかなる試薬をも排除する。本方法はさらに、上記第１入力信号に対応する第１出力信号と、上記第２入力信号に対応する第２出力信号とを測定することを含む。本方法はさらに、上記第１出力信号及び上記第２出力信号に基づいて、上記試料中の上記検体の濃度を決定することを含む。本方法の態様は、前記第２電極と前記対向電極との間に印加された前記第２入力信号の少なくとも１つの電圧パルスによって、上記第１電極と上記対向電極との間に印加される上記第１入力信号の次の電圧パルスから分離されている上記第１電極と上記対向電極との間に印加される上記第１入力信号の各電圧パルスを含む。
【００２５】
本開示の別の態様は、血糖測定装置を用いて溶液を分析する方法を含む。本方法は、上記血糖測定装置の裸電極を介して溶液に入力信号を印加することを含み、上記入力信号は、一定電圧パルス、例えば直流（ＤＣ）電圧を含む。本方法はさらに、上記電圧パルスに対応して生成される電流の極性を決定することを含む。本方法はさらに、上記電流の上記極性に、少なくとも部分的に、基づいて、上記溶液を対照基準又は血液試料として識別することを含む。
【００２６】
本概念の別の態様は、試料のタイプを決定する方法を含む。本方法は、裸電極を介して上記試料に入力信号を印加することを含み、上記入力信号は、少なくとも２つの励起及び緩和を含む。本方法はさらに、上記入力信号に対応させて出力信号を測定し、そして上記出力信号に基づいて１つ以上のパラメータを決定することを含む。本方法はさらに、上記試料のタイプを決定するために、上記１つ以上のパラメータを１つ以上の閾値と比較することを含む。
【００２７】
本概念の別の態様は、試料中の１つ以上の干渉種に責任を負う方法を含む。本方法は、試薬を有する第１電極を介する第１入力信号を、試薬を欠く第２電極を介する第２入力信号と組み合わせることを含む。上記組み合わせは、少なくとも２つの励起及び１つの緩和を有する上記第１入力信号を、上記第１電極を介して上記試料に印加すること、及び少なくとも２つの励起及び１つの緩和を有する上記第２入力信号を、上記第２電極を介して上記試料に印加することを包含し、その結果、上記第１入力信号の上記励起は、上記第２入力信号の上記励起と同時ではない。本方法はさらに、上記第１入力信号に対応する第１出力信号と、上記第２入力信号に対応する第２出力信号とを測定することを含む。
【００２８】
本概念の別の態様は、干渉管理の方法を含む。本方法は、１、２、又はそれ以上の次元における閾値によって境界を画定するように、干渉データを通常のデータから分離するために、１つ以上の信号及び／又は１つ以上のパラメータを選別することを含む。本方法はさらに、画定された境界に基づいて、データに対して通常の計算／補償を適用するか否か、データに対して特別な計算／補償を行うか否か、又はデータを拒絶するか否かを決定することを含む。
【００２９】
本概念の別の態様は、試料中の検体の濃度を決定する方法を含む。本方法は、上記検体に特化した試薬を有する第１電極の、２つ以上の励起と少なくとも１つの緩和とを有する第１入力信号を、上記第１入力信号の上記２つ以上の励起の各励起が、上記検体に特化した試薬を欠く第２電極の、１つ以上の励起と少なくとも１つの緩和とを有する第２入力信号と組み合わせることを含み、その結果、上記第２入力信号の上記１つ以上の励起と同時ではない。本方法はさらに、上記第１入力信号に対応する第１出力信号と、上記第２入力信号に対応する第２出力信号とを測定することを含む。本方法はまた、少なくとも上記第１出力信号及び上記第２出力信号に基づいて、上記検体の濃度を決定することを含む。
【００３０】
本概念の別の態様は、試料中の１つ以上の干渉種に関する干渉効果を管理する方法を含む。本方法は、検体試料と接触しているバイオセンサシステムに１つ以上の入力信号を印加することを含む。本方法はさらに、１つ以上の入力信号に対応して、上記バイオセンサシステムの上記１つ以上の出力信号を測定することを含む。本方法はまた、予め設定された閾値の画定された境界に関連する、１つ以上の信号、１つ以上のパラメータ、又はそれらの組み合わせに基づいて、事前ソート分離マップ内のデータ点の位置を決定することを含む。本方法は、上記位置に基づいて、上記データ点に検体濃度の通常の計算／補償、上記データ点に検体濃度の特別の計算／補償、又は上記データ点の除外、を適用するか否かを決定することをさらに含む。
【００３１】
本開示の別の態様は、試料プロファイルを提供する方法を含む。特に、本方法は、グルコースなどの検体濃度を決定すること、及び上記試料内の内在種についての１つ以上のパラメータ又は濃度を報告することを含む。内在種（人体に自然に存在する化学物質）は、尿酸、ドーパミン、コレステロール、又は％ヘマトクリットなどをＷＢ試料の一部として含む。一定期間に渡って、この試料プロファイリングは、１つ以上の次元でデータを提供し、長期的な健康及び糖尿病の懸念に対処するためのさらなる治療的処置につながりうる。
【００３２】
本開示の態様は、上述の方法を実行又は実行するように構成された１つ以上の装置及びシステムをさらに含む。いくつかの態様において、上記１つ以上の装置及び上記システムの１つ以上のコンポーネントは、上記装置及び上記１つ以上のコンポーネントに上記の方法の動作を実行させるコンピュータ可読命令を含む。
【００３３】
本開示の別の態様は、図面を参照してなされる様々な実施形態の詳細な説明の観点から当業者には明らかである。図面の簡単な説明は以下でなされる。
【図面の簡単な説明】
【００３４】
【図１】本開示の態様による、生体液の試料中の検体濃度を決定するバイオセンサシステムの概略図である。
【図２Ａ】本開示の追加の態様によるバイオセンサシステムのための組み合わされた複数の入力信号の印加を示すグラフである。
【図２Ｂ】本開示の追加の態様によるバイオセンサシステムのための組み合わされた複数の入力信号の別の印加を示すグラフである。
【図２Ｃ】本開示の追加の態様によるバイオセンサシステムのための組み合わされた複数の入力信号の別の印加を示すグラフである。
【図３】本開示の追加の態様によるバイオセンサシステムのための組み合わされた複数の入力信号の別の印加を示すグラフである。
【図４】本開示の追加の態様による、バイオセンサシステムのための組み合わされた複数の入力信号の代替の印加を示すグラフである。
【図５】本開示の追加の態様による、バイオセンサシステムのための組み合わされた複数の入力信号の代替の印加を示すグラフである。
【図６Ａ】本開示の追加の態様による、バイオセンサシステムのための組み合わされた複数の入力信号の代替の印加を示すグラフである。
【図６Ｂ】本開示の追加の態様による、システムの緩和なしの、バイオセンサシステムのための組み合わされた複数の入力信号の代替の印加を示すグラフである。
【図６Ｃ】本開示の追加の態様による、作用電極パルスの後のシステム緩和を有する、バイオセンサシステムのための組み合わされた複数の入力信号の代替の印加を示すグラフである。
【図６Ｄ】本開示の追加の態様による、裸電極パルスの後のシステム緩和を有する、バイオセンサシステムのための組み合わされた複数の入力信号の代替の印加を示すグラフである。
【図７】本開示の態様による、図２Ａの組み合わされた第１及び第２入力信号に対応して測定された組み合わされた第１及び第２出力信号を示すグラフである。
【図８Ａ】本開示の追加の態様による、バイオセンサシステムのための代替の組み合わされた第１及び第２入力信号の印加を示すグラフである。
【図８Ｂ】本開示の追加の態様による、バイオセンサシステムのための代替の組み合わされた第１及び第２入力信号の印加を示すグラフである。
【図８Ｃ】本開示の追加の態様による、バイオセンサシステムのための代替の組み合わされた第１及び第２入力信号の印加を示すグラフである。
【図８Ｄ】本開示の追加の態様による、バイオセンサシステムのための代替の組み合わされた第１及び第２入力信号の印加を示すグラフである。
【図９Ａ】本開示の追加の態様による、図８Ａの組み合わされた第１及び第２入力信号から生じる出力信号を示すグラフである。
【図９Ｂ】本開示の追加の態様による、図８Ｂの組み合わされた第１及び第２入力信号から生じる出力信号を示すグラフである。
【図９Ｃ】本開示の追加の態様による、図８Ｃの組み合わされた第１及び第２入力信号から生じる出力信号を示すグラフである。
【図９Ｄ】本開示の追加の態様による、図８Ｄの組み合わされた第１及び第２入力信号から生じる出力信号を示すグラフである。
【図１０Ａ】本開示の態様による、図８Ａの第１入力信号の異なるパルスに対する基準相関を示す図である。
【図１０Ｂ】本開示の態様による、図８Ｂの第１入力信号の異なるパルスに対する基準相関を示す図である。
【図１０Ｃ】本開示の態様による、図８Ｃの第１入力信号の異なるパルスに対する基準相関を示す図である。
【図１０Ｄ】本開示の態様による、図８Ｄの第１入力信号の異なるパルスに対する基準相関を示す図である。
【図１０Ｅ】本開示の態様による、３秒の電位系列及び６.６秒の電位系列に対する相関された生信号の参照グルコース濃度との比較を示す図である。
【図１１Ａ】本開示のさらなる態様による、全てが一定の電位にはないパルスを有するバイオセンサシステムのための組み合わされた第１及び第２入力信号の印加を示すグラフである。
【図１１Ｂ】本開示の態様による、図１１Ａの組み合わされた第１及び第２入力信号に対応する組み合わされた第１及び第２出力信号をそれぞれ示すグラフである。
【図１１Ｃ】本開示の態様によるボルタモグラムの形態における図１１Ａの第１入力信号の非周期的な電圧測定パルスＭ３に対応して測定された電流を示すグラフである。
【図１１Ｄ】本開示の態様によるボルタモグラムの形態における図１１Ｂの第２入力信号の線形走査パルスＧ３に対応して測定された電流を示すグラフである。
【図１２Ａ】本開示の追加の態様による、すべてが定電位にはないパルスを有するバイオセンサシステムのための組み合わされた第１及び第２入力信号の印加を示すグラフである。
【図１２Ｂ】本開示の態様による、図１２Ａの組み合わされた第１及び第２入力信号に対して応答する組み合わされた第１及び第２出力信号を示すグラフである。
【図１２Ｃ】本開示の態様による、図１２Ａの第１入力信号の非周期的な電圧測定パルスＭ３に対する応答について測定された電流を示すグラフである。
【図１２Ｄ】本開示の態様によるボルタモグラムの形態における図１２Ａの第２入力信号の線形走査パルスＧ３に対する応答について測定された電流を示すグラフである。
【図１３】本開示の態様による、組み合わされた複数の入力信号に基づいて検体の濃度を決定するための方法のフローチャートである。
【図１４Ａ】本開示の態様による様々な対照基準に印加された図８Ｄにおける、第２入力信号の第１から第３のパルスに対する応答について測定された電流を示すグラフである。
【図１４Ｂ】本開示の態様による様々なＷＢ試料に印加された図８Ｄにおける、第２入力信号の第１のパルスから第３のパルスに対する応答について測定された電流を示すグラフである。
【図１４Ｃ】本開示の態様による様々な対照基準に印加された図８Ｄにおける、第３のＨct入力信号に加えて第２入力信号の第３及び第４のパルスに対する応答について測定された電流を示すグラフである。
【図１４Ｄ】本開示の態様による様々なＷＢ試料に印加された図８Ｄにおける、第３のＨct入力信号に加えて第２入力信号の第３及び第４のパルスに対する応答について測定された電流を示すグラフである。
【図１５】本開示の態様による、第２入力信号のパルスが試料に印加される時間の間の、第２入力信号の電流の減衰の近似を時間の関数として示すグラフである。
【図１６Ａ】本開示の態様による、図８Ｄの第１及び第２入力信号に基づくＷＢ試料及び対照基準のためのパラメータＤＧ４に対する電流ｉＧ１,１を示すグラフである。
【図１６Ｂ】本開示の態様による、図８Ｄの入力信号に基づくＷＢ試料及び対照基準のためのパラメータＤＧ４に対する電流ｉＧ１,１を示すグラフである。
【図１６Ｃ】本開示の態様による、２０、５０、及び１００ｍＭの緩衝液濃度での３つのリン酸イオン対照基準についてのパラメータＤＧ４に対する電流ｉＧ１,１を示すグラフである。
【図１６Ｄ】本開示の態様による、２０、５０、及び１００ｍＭの３つの緩衝液濃度のそれぞれについて、ｐＨ６．５、７、及び７．５で、ミズーリ州セントルイスのSigma Ｃhemical Ｃompany（シグマ化学会社）製のTrizma（商標）アセテート対照基準についてのパラメータＤＧ４に対する電流ｉＧ１,１を示すグラフである。 ５０mM、１００mMである。
【図１６Ｅ】本開示の態様による、２０、５０、及び１００ｍＭの３つの緩衝液濃度のそれぞれについて、ｐＨ６．５、７、及び７．５でのN-(2-アセトアミド）イミノ二酢酸（ＡＤＡ）対照基準についてのパラメータＤＧ４に対する電流ｉＧ１,１を示すグラフである。
【図１６Ｆ】本開示の態様による、２０、５０、及び１００ｍＭの３つの緩衝液濃度のそれぞれについて、３つのｐＨ６．５、７、及び７．５の組み合わせでのビス-トリス対照基準についてのパラメータＤＧ４に対する電流ｉＧ１,１を示すグラフである。
【図１７Ａ】本開示の態様による、図８Ｂの入力信号に基づく、ＷＢ試料及び対照基準についてのパラメータＤＧ４に対する電流ｉＧ１,１を示すグラフである。
【図１７Ｂ】本開示の態様による、ＷＢ試料とパラメータＲＨＧ４及びＤＧ４に基づく対照基準との間の差異を示すグラフである。
【図１７Ｃ】本開示の態様による、２つの電流ｉＧ４,４及びｉＨ,４に基づく２つの対照基準の間の差異を示すグラフである。
【図１８】本開示の態様による、血中グルコース監視装置を用いて溶液を分析するための方法のフローチャートである。
【図１９】本開示の態様による、試料のタイプを決定するための方法のフローチャートである。
【図２０】本開示の態様による、４２％Ｈctの３００ｍｇ／ｄＬグルコースのブランクＷＢ試料に添加されたＤｏｐ、ＡＡ、及びＵＡの裸電極で取られたボルタモグラムを示すグラフである。
【図２１Ａ】本開示の態様による、実験室研究（Ｌａｂ:lab studies）及びドナー研究（ＤＳ:donor studies）からのデータ点と比較して、干渉種の試験から得られたパラメータＲＧ３４対ＲＧ１４の全範囲に対するパラメータＲＧ３４対ＲＧ１４のプロット図である。
【図２１Ｂ】本開示の態様による、実験室研究Ｌａｂ及びドナー研究ＤＳからのデータ点と比較しての干渉種の試験から得られたＲＧ１４のサブセット範囲に対するパラメータＲＧ３４対ＲＧ１４のプロット図である。
【図２１Ｃ】本開示の態様による、Ｌａｂ及びＤＳからのデータ点と比較した干渉種のパラメータＲＧ３４及びＲＧ１４の部分範囲に対するパラメータＲＧ３４対ＲＧ１４のプロット図である。
【図２１Ｄ】本開示の態様による、Ｌａｂ及びＤＳからのデータ点と比較した、干渉種に関するパラメータＲＧ３４対ＲＧ１４のプロット図である。
【図２１Ｅ】本開示の態様による、ＡＳＡ及びＤｏｐに対する電流ｉＧ１,４対ｉＧ４,４の分類及び分離を示すプロット図である。
【図２１Ｆ】本開示の態様による、ＡＡ、ＵＡ、及びヨウ化プラリドキシム（ＰＡＭ）の電流ｉＧ３,４対ｉＧ４,４の分類及び分離を示すプロット図である。
【図２１Ｇ】本開示の態様による、ＰＡＭに対する電流ｉＧ４,４対温度の分類及び分離を示すプロット図である。
【図２１Ｈ】本開示の態様による、ヘモグロビン（ＨＢ）に対するパラメータ（ＲＧ４３-ＲＧ３２）対ｉＧ４,４の分類及び分離のプロット図である。
【図２２Ａ】本開示の態様による、ＡＳＡに関する通常のアルゴリズムの補償結果と比較した特別なアルゴリズムの補償結果のプロット図である。
【図２２Ｂ】本開示の態様による、ＵＡに関する通常のアルゴリズムの補償結果と比較した特別なアルゴリズムの補償結果のプロット図である。
【図２２Ｃ】本開示の態様による、ＰＡＭに関する通常のアルゴリズムの補償結果と比較した特別なアルゴリズムの補償結果のプロット図である。
【図２２Ｄ】本開示の態様による、ＨＢに関する通常のアルゴリズムの補償結果と比較した特別なアルゴリズムの補償結果のプロット図である。
【図２３Ａ】本開示の態様による、実験室研究（Lａｂ）からのデータと比較したキシロース干渉研究データのパラメータＭ６Ｇ４対Ｒ６５のプロット図である。
【図２３Ｂ】本開示の態様による、実験室研究（Lａｂ）からのデータと比較したキシロース干渉研究データのパラメータＲ６１対Ｒ６５のプロット図である。
【図２４Ａ】本開示の態様による、ニュージャージー州パーシッパニーのAscensia Diabetes CareによるCONTOUR（商標）NEXTストリップを用いた、１７、２３、及び２８℃でのＷＢ試料の実験室試験から得られたデータを用いたＲ６５の温度効果を示すプロット図である。
【図２４Ｂ】本開示の態様による、Ｒ６５に対する温度補正後のパラメータＭ６Ｇ４対Ｒ６５_Ｔのプロット図である。
【図２４Ｃ】本開示の態様による、Ｒ６５_Ｔのヘマトクリット効果を調整した後の、パラメータＭ６Ｇ４対Ｒ６５_ＴＨのプロット図である。
【図２４Ｄ】本開示の態様による、５つの異なる実験研究からのデータを用いた、Ｒ６５の平均温度効果のプロット図である。
【図２４Ｅ】本開示の態様による、Ｉｎ（Ｒ６５）（左軸）及びＲ６５（右軸）の階段状温度係数との関係における、Ｒ６５の温度関数のプロット図である。
【図２４Ｆ】本開示の態様による、Ｒ６５_Ｔのヘマトクリット効果に対して調整した後の、パラメータＲ６１対Ｒ６５_ＴＨのプロット図である。
【図２５Ａ】本開示の態様による、画定された境界を有する正常データ及びキシロース干渉データの選別及び分離を示すプロット図である。
【図２５Ｂ】本開示の態様による、キシロース干渉試験（ＸＹ−１）の補償結果を示すプロット図であり、ベースライン・グルコース濃度は、この図の左から右へ８０及び３００ｍｇ／ｄＬである。
【図２５Ｃ】本開示の態様による、キシロース干渉試験（ＸＹ−２）の補償結果を示すプロット図であり、ベースライン・グルコース濃度は、この図の左から右へ５０、１１０、１８０ｍｇ／ｄＬである。
【図２６】本開示の態様による、試料内の１つ以上の干渉種の影響を考慮した、検体の濃度を決定する方法のフローチャート図である。
【図２７Ａ】本開示の態様による、ＷＢ％-Ｈctの予測及び％-Ｈct偏りに関する予測の精度を示したプロット図である。
【図２７Ｂ】本開示の態様による、ＷＢにおける添加された尿酸に対するパラメータＲＧ３４及び電流ｉＧ３,４の応答を示すプロット図である。
【発明を実施するための形態】
【００３５】
本開示は様々な変更及び別の形態が可能であり、そしていくつかの代表的な実施形態が、図面において例として示されているが、それらは本明細書において詳細に記載されるであろう。しかし本開示は、図示され記載された特定の形態に限定されるものではないことを理解されたい。むしろ本出願は、添付の請求項によってさらに規定されるように本開示の精神及び範囲内に入るすべての変更、均等物、及び代替物を包含する。
【００３６】
本開示は、多くの異なる形態で実施可能であり、図面として示され且つ本発明及び概念の実施例において詳細に説明されるが、本開示は、本発明及び概念の原理の例示と考えられるべきであり、開示された実施例の広範な態様を図示の例に限定する意図はないことを理解されたい。この詳細な説明の目的のために、用語において単数形は複数形を含み、（特に断らない限り）逆もまた同様である。用語「及び」と「又は」は、論理積及び論理和である。「すべての」という用語は「任意のかつすべての」を意味する。「任意の」という用語は「任意のかつすべての」を意味する。用語「含む」は、「限界なしに含む」を意味する。本詳細な説明および添付の図面の目的について、コンマで区切られた数字又はハイフンで区切られた数字（但しそれ以外は同一）を含む以下に定義され且つ全体を通して使用される用語は、同一のものを指し、そのような表記は交換可能である。例えば、以下でさらに論じられ且つ図示されるように、ｉＧ１,１とｉＧ１−１は意味が同一である。
【００３７】
裸電極又は第２電極は、本明細書に記載され用いられるように、試薬を全く加えていない電極、又は１つ以上の不活性物質を有する電極でありうる。裸電極は、標的検体のための試薬を有するものとして至るところに記載される作用電極又は第１電極とは対照的に、標的検体用ではない添加された試薬も含みうる。
【００３８】
緩和は、本明細書に記載され使用されるように、関心のある電極が励起のための入力信号を欠くこと（例えば開放回路の場合）を意味しうる。緩和はまた、バイオセンサシステムが、全体として、すべての電極に対して入力信号を欠くことを意味しうる。組み合わせの間、一方の電極は緩和状態にあり、他方の電極は励起状態にあり、その逆もありうる。しかし、バイオセンサシステムは、両方の電極（又は２つ以上の電極の場合はすべての電極）が緩和状態になるまでは、緩和状態になりえない。標的検体用に添加された試薬を有する作用電極の場合、以下に詳細に説明するように、その特定の電極に対する緩和は、測定可能な種が、外部作用（例えば電気化学的反応）なしに酵素活性化化学反応から生成されるインキュベーション時間である。標的検体用に添加された試薬を欠く作用電極の場合、以下に詳細に説明するように、電極の緩和時間は、電極への信号の入力中に、すべての電気化学的活性種（酸化可能及び還元可能）が空乏層への拡散によって補充されたときである。
【００３９】
図１は、本開示の態様による、生体液の試料中の検体濃度を決定するバイオセンサシステム１００の概略図を示す。バイオセンサシステム１００は、卓上装置、携帯型装置、又は手持ち式装置などを含む測定装置１０２及び試験センサ１０４（それらは任意の分析機器に実装されうる）を含む。測定装置１０２及び試験センサ１０４は、電気化学的センサシステムなどを実装するように適応されうる。バイオセンサシステム１００は、試料の検体濃度を決定するために、パラメータ、例えば試料に印加される組み合わされた複数の入力信号に対応して生成される１つ以上の誤差パラメータに基づいて、１つ以上の相関を調整する。以下により詳細に説明するように、組み合わされた複数の入力信号に基づく調整された相関は、試料の検体濃度を決定する際に、精度又は速度又はその両方について、バイオセンサシステム１００の測定性能を改善する。
【００４０】
バイオセンサシステム１００は、グルコース、ＵＡ、乳酸塩、コレステロール、ＢＲＢなどのうちの１つ以上を含む試料内の１つ以上の様々な検体の濃度を決定するために利用されうる。特定の構成が示されているが、バイオセンサシステム１００は、本開示の精神及び範囲から逸脱しない限り、追加の構成要素を有する構成を含む別の構成を有しうる。
【００４１】
試験センサ１０４は、容器１０８を形成する基部１０６と、開口部１１２を有するチャネル１１０とを有する。容器１０８及びチャネル１１０は、通気口付きの蓋によって覆うことができる。あるいは、容器は、スペーサ及び通気口付きの蓋で覆うことができる。容器１０８は、部分的に閉じた容積を画定する。容器１０８は、液体試料の保持を助ける組成物、例えば、水膨潤性ポリマー又は多孔性ポリマーマトリックス、を含みうる。試験センサ１０４は、本開示の精神及び範囲から逸脱しない限り別の構成を有しうる。試験センサ１０４は、ＷＢの単一の液滴（例えば１〜１５マイクロリットル（μＬ）の体積）を分析するように構成されうる。使用時には、分析のための液体を開口部１１２に導入することによって、分析のための液体試料が容器１０８に移される。液体試料は、チャネル１１０を通って流れ、前から含まれていた空気を追い出して容器１０８を充填する。
【００４２】
試験センサ１０４は、少なくとも３つの電極、すなわち作用電極１１４、対向電極（対極、カウンター電極ともいう）１１６、及び裸電極１１８を含む。しかし、いくつかの態様において、試験センサ１０４は、異なる数の電極、例えば、２つ以上の作用電極１１４、２つ以上の対向電極１１６、及び／又は２つ以上の裸電極１１８を含む４以上の電極、を含みうる。例として且つ限定的にではなく、試験センサ１０４は、２つの対向電極１１６を含むことができ、これら２つの対向電極１１６は、作用電極１１４及び裸電極１１８とは別個に対になっている。
【００４３】
作用電極１１４は、１つ以上の試薬、例えば１つ以上の酵素、結合剤、メディエーター、及び種などを含みうる。１つ以上の試薬は、分析中に検体から電子と反応して電子を移動させ、したがって試料中の検体の酸化還元反応を促進する。次いで、測定装置１０２は、試験センサ１０４を通過する電流及び／又は電圧として電子を測定及び記録し、電流及び／又は電圧を試料の検体濃度の測定値に変換することができる。
【００４４】
試薬に含まれる酵素又は類似の種は、酸化還元反応中に第１の種から第２の種への電子移動を促進する。この酵素又は類似の種は、検体と反応して、生成された出力信号の一部分に特異性を提供しうる。メディエーターが、酵素の酸化状態を維持するために使用されうる。このようにして、酵素及びメディエーターを有する作用電極１１４の場合、作用電極１１４は、検体が電気化学的反応を受ける場所である。対向電極１１６は、反対の電気化学反応が起こる場所であり、作用電極１１４と対向電極１１６との間に電流を流す。したがって、作用電極１１４で酸化が起こると、対向電極１１６で還元が起こる。
【００４５】
以下の表１は、特定の検体と共に用いられる酵素及びメディエーターの非限定的な組み合わせを与える。ここで、ＭＬＢは、3-(2'、5'-フェニルイミノ)-3H-フェノチアジンジスルホン酸である。
【表１】
2019521343.tif 000003
【００４６】
試薬に含まれる結合剤は、様々なタイプ及び分子量のポリマー、例えば、カルボキシルメチルセルロース（ＣＭＣ）、ＨＥＣ（ヒドロキシエチルセルロース）及び／又はポリエチレンオキシド（ＰＥＯ）、を含みうる。試薬を一緒に結合することに加えて、結合剤は、赤血球を濾過するのを助け、作用電極１１４（例えば血液グルコースモニタリング装置の場合）の表面を被覆することを防げるか又は抑止する。
【００４７】
対照的に、裸電極１１８は、バイオセンサシステムの焦点である検体の酸化還元反応を促進する１つ以上の試薬が排除される。従って、「裸」と記載されるが、裸電極１１８は、作用電極１１４に含まれる検体の酸化還元反応を促進するところの同一の１つ以上の試薬を含まないだけである。裸電極１１８は、関心のある検体以外に、試料中の他の種の酸化還元反応を促進する試薬を含みうる。代わりに、裸電極１１８は、その上又はその中にいかなる試薬も欠く単なる裸導体でありうる。
【００４８】
裸電極１１８は、作用電極１１４上の１つ以上の試薬の効果が、裸電極１１８の電気的応答に影響を与えないか又は影響を最小限にするように、作用電極１１４の上流に配置しうる。代わりに、いくつかの態様において、作用電極１１４及び裸電極１１８は、実質的に化学的分離を伴う別個の容器１０８内に設置されうる。したがって、バイオセンサシステム１００の濃度測定の焦点である検体は、１つ以上の試薬を有する作用電極１１４に基づいて作用電極１１４に印加された電流又は電圧に対応する。検体は、１つ以上の試薬を欠く裸電極１１８に基づいて裸電極１１８に印加された電流又は電圧に対して応答しないか、又は最小限にしか応答しない。
【００４９】
電極１１４〜１１８は、実質的に同一平面内又は複数の平面内にあってもよい。電極１１４〜１１８は、容器１０８を形成する基部１０６の表面上に配置されうる。電極１１４〜１１８は、容器１０８内に延在、又は突出しうる。
【００５０】
試験センサ１０４は、作用電極１１４、対向電極１１６、及び裸電極１１８に接続された導体を有する試料インターフェース１２０を含む。出力信号（例えば、第１出力信号、又は作用出力信号）は、作用電極１１４および対向電極１１６へ接続された複数の導体の一方又は両方から測定されうる。別の出力信号（例えば、第２出力信号、裸出力信号）は、対向電極１１６と裸電極１１８の一方又は両方から測定されうる。
【００５１】
測定装置１０２は、センサインターフェース１２４及びディスプレイ１２６に接続された電気回路１２２を含む。電気回路１２２は、信号発生器１３０に接続されたプロセッサ１２８、オプションの温度センサ１３２、及び記憶媒体１３４を含む。ディスプレイ１２６は、アナログでもデジタルでもよい。ディスプレイ１２６は、ＬＣＤ（液晶ディスプレイ）、ＬＥＤ（発光デバイス）、ＯＬＥＤ（有機発光デバイス）、真空蛍光、電気泳動ディスプレイ（ＥＤ）、又は数値を示すように適合された他のディスプレイを含みうる。別の電子ディスプレイが使用されうる。ディスプレイ１２６は、プロセッサ１２８と電気的に通信する。ディスプレイ１２６は、例えばプロセッサ１２８と無線通信しているときのように、測定装置１０２とは分離されうる。代わりに、ディスプレイ１２６は、例えば測定装置１０２が遠隔計算装置及び薬剤投与ポンプなどと電気通信するときのように、測定装置１０２から取り外すことができる。
【００５２】
信号発生器１３０は、プロセッサ１２８に対応してセンサインターフェース１２４に１つ以上の電気入力信号を提供する。電気入力信号は、電気入力信号を生体液の試料へ印加するために、センサインターフェース１２４によって試料インターフェース１２０に送信されうる。電気入力信号は、以下にさらに説明されるように、電位又は電流であってもよく、一定、可変、又はそれらの組み合わせであってもよい。電気入力信号は、単一パルスとして、又は複数のパルス、系列、又はサイクルにおいて印加されうる。以下で詳細に説明されるように、電気入力信号は、好ましくは複数の組み合わされたパルスとして印加される。信号発生器１３０はまた、センサインターフェース１２４からの１つ以上の出力信号を発生器記録器として記録しうる。
【００５３】
オプションの温度センサ１３２は、試験センサ１０４のリ容器１０８内の装置及び試料を含むバイオセンサシステムの温度を決定する。試料の温度は、出力信号から測定され計算されうるか、又は周囲温度若しくはバイオセンサシステム１００を実装する装置の温度の測定値と同一又は類似していると仮定されうる。温度は、サーミスタ、温度計、又は他の温度感知デバイスを用いて測定されうる。別の技術が試料温度の決定のために用いられうる。
【００５４】
記憶媒体１３４は、磁気メモリ、光メモリ、半導体メモリ、又は別の電子記憶装置等でありうる。記憶媒体１３４は、固定記憶装置、リムーバブル記憶装置（例えばメモリカード）、又は遠隔アクセスされるものなどでありうる。
【００５５】
電子プロセッサ１２８は、コンピュータ可読ソフトウェアコード及び記憶媒体１３４に記憶されたデータを用いて検体分析及びデータ処理を実装している。プロセッサ１２８は、センサインターフェース１２４での試験センサ１０４の存在に対応して検体分析を、ユーザ入力等に対応して試験センサ１０４への試料の印加を開始しうる。プロセッサ１２８は、電気入力信号をセンサインターフェース１２４へ供給するように信号発生器１３０に指示する。プロセッサ１２８は、センサインターフェース１２４からの出力信号を受ける。出力信号の少なくともいくつかは、試料に印加された入力信号に対応して生成される。他の出力信号が、試料の温度などの別の特性に基づいて生成されうる。出力信号に対応して、プロセッサ１２８は、検体濃度を決定するために１つ以上の相関関係を調整する。
【００５６】
より具体的には、本明細書に開示された何れかのシステム又は方法（バイオセンサシステム１００を含む）は、出力信号から抽出及び／又は生成された１つ以上の誤差パラメータ、１つ以上の予測関数、及び１つ以上のインデックス関数（１つ以上の複合インデックス関数を含む）などに基づいて、１つ以上の検体濃度の相関を調整することによって試料内の検体の濃度を決定しうる。例えばこれらは、「Slope-Based Compensation Including Secondary Output Signals（二次出力信号を含む傾きに基づく補償）」と題された２０１１年５月２７日に出願された米国特許第９１６４０７６号；「Method for Determining Analyte Concentration Based on Complex Index Functions（複合インデックス関数に基づいて検体濃度を決定するための方法）」と題された２０１１年６月６日に出願された米国特許第８７４４７７６号；「Biosensor System With Signal Adjustment（信号調整を有するバイオセンサシステム）」と題された２００９年１２月８日に出願された国際出願第ＰＣＴ／ＵＳ２００９／０６７１５０号；及び「Slope-Based Compensation（傾きに基づく補償）」と題された２００８年１２月６日に出願された国際出願第ＰＣＴ／ＵＳ２００８／０８５７６８号；に開示されている。
【００５７】
上記３つの参考文献で論じられたように、検体濃度と出力信号との相関における％-偏りは、１つ以上の誤差パラメータから得られた１つ以上の傾きの偏差によって表わされうる。出力信号の部分を含む誤差は、出力信号の仮定の傾きと基準の相関の傾きとの間の偏差に反映される。１つ以上の誤差パラメータからこの傾きの偏差を反映する１つ以上の値を決定することによって、分析の測定性能は向上させうる。予測関数、インデックス関数、及び／又は複合インデックス関数は、分析における１つ以上の誤差による、検体濃度と出力信号との間の相関における％-偏りに対応する。
【００５８】
予測関数は、検体濃度分析における標的検体濃度を決定するために、１つ以上の誤差源からの誤差を補償するために補正値を生成する。そのような誤差は、決定された検体濃度の偏りをもたらす可能性がある。１つ以上の予測関数が用いられうる。全傾きの偏差と完全に相関する予測関数は、検体濃度の最終的な総合誤差補償を提供する。そのような仮想的で完全に相関された予測関数は、全傾きの偏差、ひいては測定された検体濃度の偏りの正確な原因を知ることなく、分析におけるすべての誤差を補償するために用いられうる。予測関数は、少なくとも１つのインデックス関数を含み、そして１つ以上のインデックス関数は複合でありうる。
【００５９】
インデックス関数は、少なくとも１つの誤差パラメータに対応する。インデックス関数は、誤差パラメータと相関する計算された数であり、偏りについてのこの誤差パラメータの影響を表している。インデックス関数は、基準傾きからの偏差と誤差パラメータとの間の関係を表す回帰方程式又は他の方程式として実験的に決定されうる。このようにして、インデックス関数は、傾きの偏差への誤差パラメータの影響を表す。複雑なインデックス関数は、重み付け係数によって修正された項目の組み合わせを含む。複雑なインデックス関数に含まれた項目は、１つ以上の除外試験で選択されうる。
【００６０】
誤差パラメータは、出力信号における１つ以上の誤差源からの誤差に対応する。誤差パラメータは、検体の分析からの値（例えば、１つ以上の出力信号、出力信号の１つ以上の部分）、又は出力信号とは独立の別の信号（例えば熱電対電流又は電圧）からの値でありうる。このようにして、誤差パラメータは、出力信号から直接的又は間接的に抽出しうる。任意の誤差パラメータが、インデックス関数を構成する１の項目又は複数の項目を構成するために用いられうる。
【００６１】
傾きの偏差は、出力信号の変化の統計的効果を低減するために、出力信号の変動の差異を改善するために、出力信号の測定を標準化するために、これらの組み合わせなどのために、正規化されうる。傾きの偏差は正規化されうるので、インデックス関数はまた、多変数回帰から生成されるような誤差パラメータの関数としての正規化された傾きの偏差で表現されうる。正規化において、傾きの偏差、インデックス関数、又は他のパラメータは、出力信号の変化の統計的効果を低減するために、出力信号の変動の差異を改善するために、出力信号の測定を標準化するために、これらの組み合わせなどのために、１の変数によって調整（乗算、除算などで）される。予測又はインデックス関数と傾きの偏差との相関が大きいほど、解析における誤差を補正する機能は向上する。
【００６２】
インデックス関数が重み係数によって修正された項の組合せを含むとき、インデックス関数は複合である。組み合わせは、好ましくは線形の組み合わせであり、しかし、項に対する重み係数を提供する別の組み合わせ方法が、用いられうる。各項は、１つ以上の誤差パラメータを含みうる。
【００６３】
バイオセンサシステムを介して組み合わされた複数の入力信号を試験ストリップに印加することは、標的検体濃度に関する情報、及びまた試料タイプ、試料プロファイル、及び／又は、試料環境（潜在的な干渉種、内在種、及びそれらの標的検体との相互作用を含む）に関する標的検体に関する情報、を提供する。
【００６４】
図２Ａ〜図２Ｃは、本開示の態様による、電気化学バイオセンサシステム（例えば、図１のシステム１００）についての例示的な組み合わされた複数の入力信号を示す図である。より具体的には、図２Ａは、ラベルＭ、Ｇ、及びＨctによって表される３つの入力信号を示す。図１のバイオセンサシステム１００に関して説明したように、第１入力信号Ｍは、作用電極１１４と対向電極１１６との間に印加される一定の電位（電圧）の電気パルス（又は単にパルス）を含む。しかし、第１入力信号は、本明細書に記載されたような作用電極と対向電極を有する如何なるバイオセンサシステムへも印加されうる。いくつかの態様において、第１入力信号は、作用電極１１４を介して試料へ印加される信号に基づいて、作用入力信号として記載されうる。
【００６５】
図示されたように、第１入力信号Ｍは６つのパルスを含み、これらのパルスは、Ｍ１、Ｍ２、Ｍ３、Ｍ４、Ｍ５、及びＭ６のように、グラフの左から右に現れる順序で参照される。パルスＭ１は０．５ボルト（Ｖ）の電位を有し、パルスＭ２は０、３５ボルトの電位を有し、そして残りのパルスＭ３〜Ｍ６は０．２５ボルトの電位を有する。第１入力信号Ｍのパルスが作用電極１１４を介して１つ以上の試薬へ印加されるので、第１入力信号Ｍのパルスは、メディエーター又は別の測定可能な種を介して直接的又は間接的に、試料中の検体を探索する。
【００６６】
第２入力信号Ｇはまた、定電位のパルスを含む。しかし、図１のバイオセンサシステム１００に関して記載されたように、第２入力信号Ｇのパルスは、裸電極１１８と対向電極１１６と間に印加される。しかし、第２入力信号は、本明細書で記載されたような裸電極及び対向電極を有するどのようなバイオセンサシステムにも印加することができる。いくつかの態様において、第２入力信号が裸電極１１８を介して印加されるので、第２入力信号は裸の入力信号として記載されうる。
【００６７】
図示されたように、第２入力信号Ｇは、４つのパルスを含み、それらは、グラフ上で左から右へ現れる順番に、Ｇ１、Ｇ２、Ｇ３、及びＧ４のように呼ばれる。パルスＧ１は０．２５Ｖの電位を有し、パルスＧ２は０．３５Ｖの電位を有し、パルスＧ３は０．５Ｖの電位を有し、パルスＧ４は１．０Ｖの電位を有する。裸電極１１８は、試料中の標的検体に反応する１つ以上の試薬が排除されるので、裸電極１１８を介して印加された第２入力信号Ｇのパルスは、試料中の作用電極１１４によって標的とされた標的検体をプローブしない。代わりに、裸電極１１８を介して印加された第２入力信号Ｇのパルスは、電気化学的検出窓を横切って試料中の別の種をプローブし、以下でさらに詳細に説明するように、試料中の潜在的な干渉種を含む。こうして、裸電極１１８に基づく測定は、様々な電位で他の酸化可能な種について大抵は敏感であるが、第１入力信号Ｍと作用電極１１４とによって分析される標的検体については敏感ではない。裸電極１１８を介して印加された第２入力信号への応答の結果として得られた測定値は、検体濃度に関連していないにもかかわらず、作用電極１１４における酵素反応への寄与として誤って測定されうる。従って、第２入力信号Ｇに基づく分析及び誤差パラメータは、単独で、又は第１入力信号Ｍに基づく分析及び誤差パラメータと組み合わせた、以前には電気化学検出窓全体を考慮に入れることができなかった検体濃度の決定の補償を可能にする。
【００６８】
第３入力信号Ｈctは、ＷＢ試料の場合に、試料のヘマトクリットレベルを決定するための単一のパルスである。図１のバイオセンサシステム１００に関して記載されたように、第３入力信号Ｈctの単一パルスは、裸電極１１８と対向電極１１６及び作用電極１１４の組み合わせとの間に印加された２．５Ｖの一定電圧である。あるいは、第３入力信号Ｈctの単一パルスは代わりに、作用電極１１４を開いた状態で、裸電極１１８と対向電極１１６との間に印加されうる。３つの別個の入力信号として記載されているが、第２入力信号及び第３入力信号は、代わりに単一の入力信号、例えばパルスＧ１〜Ｇ４及びヘマトクリットレベルを決定するためのパルスＨctを含む第２入力信号、として考えられうる。
【００６９】
図示されるように、第１及び第２入力信号のパルスは同時ではない（例えば、第１及び第２信号が同時に最大に励起されないか、又は第１入力信号の最大電圧は、第２入力信号のいかなる最大電圧とも重ならない）。さらに、第１入力信号の各パルスは、第１入力信号の次のパルスによって、第２入力信号の１パルス分だけ分離される。同時ではない第１及び第２入力信号のパルス及び第１入力信号のパルスを分離する第２入力信号のパルスに基づいて、第１及び第２入力信号のパルスは組み合わされているとして記載される。
【００７０】
電圧パルスを印加しない場合、作用電極１１４及び裸電極１１８は開回路状態にありうる。したがって、第１入力信号のパルスの間、裸電極１１８は開回路状態にあり、第２入力信号のパルスの間、作用電極１１４は開回路状態にありうる。
【００７１】
図示されたように、第１及び第２入力信号の各パルスの後に、電気緩和、又は単に緩和が続く。具体的には、第１入力信号の各パルスには、緩和、例えば第１入力信号に対する入力電位のない状態（又は開回路）が直ちに続き、そして第２入力信号の各パルスには、緩和、例えば第２入力信号に対してはゼロ電位（又は開回路）が直ちに続く。同一入力信号の複数のパルス間の間隔は、その特定の信号の緩和とみなされうる。すべての入力信号のパルスの間の間隔（即ちパルスがない場合）は、システム１００の緩和とみなされうる。こうして、第１入力信号のパルスの後から第１入力信号の次のパルスまで、第１入力信号の緩和が存在する。図２Ａに示されるように、第１入力信号のパルスの後から第２入力信号の次のパルスまで、システムの緩和が存在する。第１又は第２入力信号内の緩和を伴うパルスの組み合わせは、デューティサイクルでありうる。したがって、第１及び第２入力信号は、緩和を伴うパルスの複数のデューティサイクルを含みうる。
【００７２】
緩和中に作用電極１１４又は裸電極１１８が開状態にあるか、又は作用電極１１４及び／又は裸電極１１８の間にゼロ電位が印加されると記載されるが、作用電極１１４及び裸電極１１８の緩和は、電極１１４及び１１８が開状態にあることを必要としない。いくつかの態様において、作用電極１１４及び裸電極１１８を通過する電流は、閉状態における電流の少なくとも半分であり、依然として緩和期間にあると考えられうる。あるいは、作用電極又は裸電極は、電極に印加される電位が場合によっては標的検体又は種の酸化還元電位よりも低いときに、緩和の期間又は状態にあると考えられうる。あるいは、作用電極又は裸電極は、電流が励起最大値での電流の少なくとも半分又は励起最大値での電流の流れに対して少なくとも１桁に減少したときに、緩和の期間又は状態にあると考えられうる。
【００７３】
各パルス及び各緩和は、それぞれパルス幅及び緩和幅とも呼ばれる幅を有する。パルスと緩和との一対は、デューティサイクルを定義する。各デューティサイクルについて、パルス幅と緩和幅とは、デューティサイクル幅又はデューティサイクル周期である。第１入力信号のパルスのパルス幅は、すべて同じ幅を有することもでき、すべて異なる幅を有することもでき、又は同じ幅と異なる幅の組み合わせを有することもできる。同様に、第１入力信号の緩和のための緩和幅は、すべて同じ幅を有することもでき、すべて異なる幅を有することもでき、又は同じ幅と異なる幅の組み合わせを有することもできる。第１入力信号のデューティサイクルのパルス幅及び緩和幅は、同じ幅であってもよいし、異なる幅であってもよい。加えて、第１入力信号のデューティサイクル幅又は周期は、同じ幅でも異なる幅でもよい。
【００７４】
同様に、第２入力信号のパルスのパルス幅は、すべて同じ幅を有することもありえ、すべて異なる幅を有することもありえ、又は同じ幅と異なる幅の組み合わせを有することもありうる。同様に、第２入力信号の緩和のための緩和幅は、すべて同じ幅を有することもありえ、すべて異なる幅を有することもありえ、又は同じ幅と異なる幅の組み合わせを有することもありうる。第２入力信号のデューティサイクルのパルス幅及び緩和幅は、同じ幅であってもよいし、異なる幅であってもよい。さらに、第２入力信号のデューティサイクルの幅又は周期は、同じ幅でも異なる幅でもよい。再び、いくつかの態様によれば、第１及び第２入力信号への最大電気エネルギーの印加は、同時ではなく起きる。強調されることは、本開示による電極に印加される電気エネルギーが、必ずしも特定の形状、振幅、又は持続時間に限定されないことである。
【００７５】
図２Ａに示された第１入力信号について、パルスＭ１及びＭ２のパルス幅は０．２秒であり、パルスＭ３、Ｍ４、Ｍ５、Ｍ６のパルス幅は０．２５秒である。第２入力信号については、パルスＧ１、Ｇ２、Ｇ３、及びＧ４のパルス幅は０．２秒である。第１入力信号の緩和幅は、それぞれパルスＭ１〜Ｍ５の後、０．２秒、０．３５秒、０．３５秒、０．３５秒、及び０．３５秒である。第２入力信号の緩和幅は、それぞれパルスＧ１〜Ｇ４の後、０．４秒、０．４秒、０．４秒、及び０．３５秒である。ヘマトクリットパルスのパルス幅は０．２秒である。
【００７６】
図２Ａに示されたグラフは、本開示の態様による組み合わされた第１及び第２入力信号の一例である。より一般的なケースにおいては、第１及び第２入力信号は、組み合わされた第１及び第２入力信号を依然として含む一方で、より少ないパルスを有しうる。
【００７７】
図２Ｂは、本開示の態様による電気化学バイオセンサシステム（例えば図１のシステム１００）のための代替の例示的な組み合わされた複数の入力信号を示すグラフを示す。より具体的には、図２Ｂは、ラベルＷＥ１及びＷＥ２によって表される２つの入力信号を示す。ここで本明細書において記載されるように、ＷＥIは第１入力信号を指し、ＷＥ２は第２入力信号を指す。したがって、図１のバイオセンサシステム１００について記載されたように、第２入力信号ＷＥ２は、裸電極１１８対向電極１１６との間に印加された定電位（電圧）の１つのパルスを含む。第１入力信号ＷＥ１のパルスは、左から右へ０．５Ｖと０．３５Ｖの電位を有し、 第２入力信号ＷＥ２のパルスは０．１５Ｖの電位を有する。
【００７８】
第２入力信号ＷＥ２のパルスは、第１入力信号ＷＥ１の２つのパルスを分離し、作用電極１１４は、少なくとも第２入力信号ＷＥ２のパルスの間中、緩和状態にあるので、第１及び第２入力信号ＷＥ１及びＷＥ２は、本明細書で記載されるように組み合わされている。このようにして、図２Ｂに示されたグラフは、組み合わされた第１及び第２入力信号の最も広い印加の１つと考えられうる。
【００７９】
図２Ｃは、本開示の態様による電気化学バイオセンサシステム（例えば図１のシステム１００）のためのさらに別の例示的な組み合わされた複数の入力信号を示すグラフを示す。より具体的には図２Ｃは、本明細書で記載されるようにラベルＷＥ１及びＷＥ２によって表される２つの入力信号を示す。ここで、ＷＥ１は第１入力信号を指し、ＷＥ２は第２入力信号を指す。したがって、図１のバイオセンサシステム１００に関して記載されたように、第１入力信号ＷＥ１は、作用電極１１４と対向電極１１６との間に印加された２つの定電位（電圧）パルスを含む。図１のバイオセンサシステム１００に関して記載されたように、第２入力信号ＷＥ２は、裸電極１１８と対向電極１１６との間に印加される２つの定電位（電圧）パルスを含む。第２入力信号ＷＥ２のパルスは、左から右へ０．１５Ｖと０．２５Ｖの電位を有する。第２の入力信号ＷＥ２のパルスは、左から右へ０．３５Ｖおよび０．２５Ｖの電位を有する。
【００８０】
再び、第２入力信号ＷＥ２の少なくとも第２パルスが第１入力信号ＷＥ１の２つのパルスを分離し、且つ作用電極１１４が少なくとも第２入力の第２パルスの間、緩和状態にあるので、第１及び第２入力信号ＷＥ１及びＷＥ２のパルスは、本明細書で記載されるように組み合っている。図２Ｃに示されたグラフは、組み合わされた第１及び第２入力信号の別の用途と見なしうる。
【００８１】
図２Ａ〜図２Ｃは、試料中の標的検体濃度を決定するために試料に印加されうる組み合わされた第１及び第２入力信号のいくつかの例を示す。図２Ａ〜図２Ｃに示された第１及び／又は第２入力信号の１つ以上の特性は、本開示の精神及び範囲から逸脱しない限度で変更可能である。
【００８２】
いくつかの態様において、第１及び／又は第２入力信号のパルスの総数は、図２Ａ〜２Ｃに示されたパルスの数とは変化しうる。図２Ａと比較すると、第１入力信号は、６つより多い又は少ないパルスを有しうる。いくつかの態様において、第１入力信号は、２つのパルス（図２Ｂ及び図２Ｃに示すように）、３つのパルス、４つのパルス、５つのパルス、７つのパルス、８つのパルス、９つのパルス、またはそれ以上を有しうる。同様に、図２Ａと比較すると、第２入力信号は、４つより多いか又は少ないパルスを有しうる。いくつかの態様において、第２入力信号は、１パルス（図２Ｂに示されるように、第１入力信号の緩和の間）、２つのパルス（図２Ｃに示されるように、第１入力信号の緩和の間少なくとも１つのパルスを有する）、３つのパルス、４つのパルス、５つのパルス、６つのパルス、７つのパルス、８つのパルス、９つのパルス、またはそれ以上のパルスを有しうる。
【００８３】
図３は、本開示の追加の態様による電気化学バイオセンサシステム（例えば図１のシステム１００）のための組み合わされた複数の入力信号の代替の印加を示すグラフである。図３は、ラベルＭ、Ｇ、及びＨctによって表される３つの入力信号を含む。図２Ａにおけると同様に、図３の第１入力信号Ｍは、作用電極１１４と対向電極１１６との間に印加される定電位のパルスを含み、そして図３の第２入力信号Ｇはまた、図１のシステム１００に関して、裸電極１１８と対向電極１１６との間に印加される定電圧のパルスも含む。図３の第１入力信号Ｍは９個のパルスを含み、それらは図の左から右に順番にＭ１、Ｍ２、Ｍ３、Ｍ４、Ｍ５、Ｍ６、Ｍ７、Ｍ８、Ｍ９と表わされる。第１入力信号Ｍのパルスの電位は、例えば、第１及び第２のパルスについてはそれぞれ０．５Ｖ及び０．３５Ｖであり、残りのパルスについては０．２５Ｖでありうる。第２入力信号Ｇは、８個のパルスを含み、それらは、グラフ上で左から右に順番にＧ１、Ｇ２、Ｇ３、Ｇ４、Ｇ５、Ｇ６、Ｇ７、及びＧ８のように表示される。第２入力信号Ｇのパルスの電位は、例えば左から右へ順番に０．２５Ｖ、０．３５Ｖ、０．４５Ｖ、０．５５Ｖ、０．６５Ｖ、０．７５Ｖ、０．８５Ｖ、及び０．９５Ｖでありる。第２入力信号のパルスの各々は、その電位変化が約２８６ｍＶ／秒であり、約２．４５秒以内に０．２５Ｖから始まり０．９５Ｖで終了するように、０．１５Ｖのパルス幅を有しうる。最後に、図３のヘマトクリット単一パルスＨctが存在する。
【００８４】
第２入力信号の１つのパルスのみが第１入力信号の２つの隣接するパルスを分離するように示されているが、いくつかの態様において、第２入力信号は、第１入力信号の隣接するパルスの間に、複数のパルスを有しうる。例えば、第１入力信号の各パルスを分離することは、第２入力信号の２つのパルス、３つのパルス、４つのパルス、５つのパルス、又はそれ以上のパルスでありうる。さらに、第１入力信号の各パルスの後に、第２入力信号の同じ数のパルス、第２入力信号の異なる数のパルス、又は第２入力信号の同じ数のパルスと異なる数のパルスとの組み合わせが存在しうる。
【００８５】
第２入力信号の複数のパルスが第１入力信号の２つの隣接するパルスを分離する場合に、第２入力信号の複数のパルスは、例えば第１入力信号の２つの隣接するパルスを分離する入力信号のＮパルスは、第２入力信号のＮ−１個の緩和を含むように、第２入力信号の緩和によってそれぞれ分離される。複数のパルスと、第１入力信号の２つのパルス間の第２入力信号の少なくとも１つの緩和とは、第２入力信号の単一のデューティサイクルと見なすことができ、またパルスと緩和の各対は、第２入力信号の複数のデューティサイクルが第１入力信号の２つのパルスを分離しうるように、単一のデューティサイクルと見なしうる。
【００８６】
図２Ａの入力信号は、試料へ約３．２秒の間印加される。第１及び／又は第２入力信号のパルスが、図２Ａよりも多くある場合、第１及び第２入力信号は、図３に示されるように同じ時間量、又は異なる時間量にわたって試料に印加されうる。いくつかの態様において、第１及び／又は第２入力信号に関するより多くのパルスが、図２Ａ及び図３に示された時間量よりも短い時間内に又はより長い時間内に印加されうる。同様に、第１及び／又は第２入力信号のパルス数が図２Ａよりも少ない場合には、第１及び第２入力信号は、同じ時間量又は異なる時間量にわたって試料に印加されうる。いくつかの態様において、第１及び／又は第２入力信号のより少ないパルス数が、図２Ａ及び図３に示された時間量よりも短い時間内又はより長い時間内に印加されうる。組み合わされた第１及び第２入力信号に基づいて、第１及び第２入力信号の印加時間の合計は、一方で依然同じか又はより高い正確さと精度を維持しつつ、従来のバイオセンサシステムと比較して低減されうる。
【００８７】
図３に関して上で少し説明したように、いくつかの態様において、第１及び／又は第２入力信号のパルスの電位は、図２Ａに示されるパルスの電位から変化しうる。第１入力信号の各パルスは、第１入力信号の１つ以上の他のパルスと異なるか又は同じ強度若しくは振幅でありうる。同様に、第２入力信号の各パルスは、第２入力信号の１つ以上の他のパルスと異なるか又は同じ強度若しくは振幅でありうる。第１入力信号の電位は、１つ以上の試薬と組み合わせて、検体の酸化還元電位をサンプリングするように構成されている。したがって、１例としてＷＢ試料中のグルコース濃度を検出するために、第１入力信号の電位は、センサ内の対向電極（例えば、メディエータの酸化還元電位）に対して主に約０．２５Ｖでありうる。このセンサは、サンプリングのためにシステムを準備するためのより高い又はより低い電位での１つ以上の初期パルスを伴う。
【００８８】
第２入力信号は、標的検体又は関連する測定可能な種以外の試料内の種の酸化還元電位の範囲をサンプリングするために使用されうる。したがって、第２入力信号の電位は、試料中の他の種の酸化還元電位の意図された及び／又は予想される範囲に基づいて変化しうる。例えば、パルスの電位は、粒状度のレベルの変化に伴い０．０１Ｖから２．５Ｖまで変動しうる。
【００８９】
１例として、図４は、本開示の追加の態様による電気化学バイオセンサシステム（例えば、図１のシステム１００）のための組み合わされた複数の入力信号の代替の印加を示すグラフである。図４は、ラベルＭ、Ｇ、及びＨctによって表される３つの入力信号を含む。前と同様に、第１入力信号Ｍは、図１のシステム１００に関して、作用電極１１４と対向電極１１６との間に印加される定電位のパルスを含み、第２入力信号Ｇはまた、裸電極１１８と対向電極１１６との間に印加される。第１入力信号は、図２Ａの第１入力信号と同一である。しかし、図４の第２入力信号の各パルスは、同じ電位を有する。最後にヘマトクリット信号パルスＨctが存在する。
【００９０】
いくつかの態様において、第１及び第２入力信号が試料に印加される時間の長さは、短くされるか又は長くされうる。時間の長さは、１つ以上の第１及び第２入力信号の１つ以上のパルスのパルス幅及び／又は緩和幅を変化させることによって、短縮又は延長されうる。１例として、第１及び第２入力信号の緩和の幅は、第１及び第２入力信号を試料へ印加するのに必要な全体の時間を短縮するために、短くされうる。時間の長さは、第１及び／又は第２入力信号のパルス数を変化させることによって代替的又は追加的に短縮又は延長されうる。
【００９１】
１例として、図５は、本開示の追加の態様による電気化学バイオセンサシステム（例えば、図１のシステム１００）のための組み合わされた複数の入力信号の代替の印加を示すグラフである。図５は、ラベルＭ、Ｇ、及びＨctによって表される３つの入力信号を含み、前と同様に、第１入力信号Ｍは、図１のシステム１００に関連して作用電極１１４と対向電極１１６との間に印加される定電位のパルスを含む。第１及び第２入力信号は、図２Ａの第１及び第２入力信号と同一である。しかし、第１及び第２入力信号は、より短い時間にわたって試料に印加される。図２Ａの３．２秒とは対照的に、図５の第１及び第２入力信号は、Ｈctパルスを含めて２．２秒以内で印加される。
【００９２】
第１及び第２入力信号の組み合わせに基づいて、組み合わされた複数の入力信号を試料に印加するのに必要な時間量は、組み合わされた複数の入力信号が含まれない従来のバイオセンサシステムと比較して低減されうる。しかし、時間の短縮は、正確さ及び／又は精度の相応の低下を受けることはない。むしろ、組み合わされた第２入力信号に応して測定及び／又は収集された情報は、単独で又は第１入力信号に応して測定及び／又は収集された情報と組み合わせて、同様の又は改善さえされた正確さ及び精度を有するより速い分析時間を可能にする。
【００９３】
図６Ａは、本開示の追加の態様による電気化学バイオセンサシステム（例えば、図１のシステム１００）のための組み合わされた複数の入力信号の代替の印加を示すグラフである。図６Ａは、ラベルＭ、Ｇ、及びＨctによって表される３つの入力信号を含む。図２Ａと同様に、第１入力信号Ｍは、図１のシステム１００に関連して作用電極１１４と対向電極１１６との間に印加される定電位のパルスを含み、第２入力信号Ｇはまた、裸電極１１８と対向電極１１６との間に印加される定電位のパルスを含む。
【００９４】
図示されているように、第１入力信号Ｍは、６つのパルスを含み、それらはグラフ上で左から右に順番に現れ、Ｍ１、Ｍ２、Ｍ３、Ｍ４、Ｍ５、及びＭ６と本明細書において呼ばれる。パルスＭ１は０．５Ｖの電位を有し、パルスＭ２は０．３５Ｖの電位を有し、そして残りのパルスＭ３〜Ｍ６は０．２５Ｖの電位を有する。第１入力信号Ｍのパルスが１つ以上の試薬を有する作用電極１１４を介して印加されるので、第１入力信号Ｍのパルスは、メディエーター又は他の測定可能な種を介して直接又は間接的に、試料中の標的検体をプローブする。
【００９５】
図示されているように、第２入力信号Ｇは５つのパルスを含み、これらのパルスは、グラフ上で左から右に順番に現れ、Ｇ１、Ｇ２、Ｇ３、Ｇ４、及びＧ５と本明細書において呼ばれる。パルスＧ１は０．２５Ｖ、パルスＧ２は０．３５Ｖ、パルスＧ３は０．５Ｖ、パルスＧ４は０．７５Ｖ、そしてパルスＧ５は１．０Ｖの電位である。裸電極１１８は試料内の標的検体に対応する１つ以上の試薬が排除されるので、裸電極１１８を介して印加される第２入力信号Ｇのパルスは、試料中の作用電極１１４によって標的とされる標的検体をプローブしない。代わりに、裸電極１１８を介して印加される第２入力信号Ｇのパルスは、電気化学的検出窓を横断して、以下でより詳細に記載されるように試料中の電位干渉種を含む試料中の他の種をプローブする。
【００９６】
第３入力信号Ｈctは、ＷＢ試料の場合に試料のヘマトクリットレベルを決定するための単一のパルスである。図１のバイオセンサシステム１００に関して記載されたように、第３入力信号Ｈctの単一パルスは、裸電極１１８と、対向電極１１６及び作用電極１１４の組み合わせとの間に印加される２．５Ｖの一定電圧である。あるいは第３入力信号Ｈctの単一パルスは、代わりに、作用電極１１４を開いた状態で、裸電極１１８と対向電極１１６との間に印加されうる。３つの別の入力信号として記載されたが、代わりに、第２入力信号及び第３入力信号は、単一の入力信号、例えばパルスＧ１〜Ｇ５とヘマトクリットレベルを決定するためのパルスＨctとを含む第２入力信号、と考えることができる。
【００９７】
第１入力信号中の作用電極１１４の各パルスの後から、作用電極１１４の緩和が、第１入力信号の作用電極１１４の次のパルスまで存在する。同様に、第２入力信号中の裸電極１１８の各パルスの後に、裸電極１１８の緩和が存在する。図示されたように、作用電極１１４及び裸電極１１８の各パルスの後に、システム１００の緩和が、作用電極の最後のパルスＭ６まで存在する。作用電極１１４（第１入力信号）と裸電極１１８（第２入力信号）の両方の緩和の部分が重なるために、システム１００の緩和は示される。すなわち、作用電極１１４のパルスと裸電極１１８のパルスとの間の各間隙が、システム１００の緩和である。
【００９８】
図６Ａに示された組み合わされた複数の入力信号がシステム１００の緩和を含むので、組み合わされた複数の入力信号の周期又はデューティサイクルが、作用電極１１４のパルスの開始で始まり且つ作用電極１１４の次のパルスの開始で終了することと定義される場合、システム１００の緩和を含む。各期間又はデューティサイクルは、２つのシステム緩和を含む。しかし本開示の別の態様は、システムの緩和を必要としない組み合わされた複数の入力信号を含む。
【００９９】
図６Ｂは、本開示の追加の態様による電気化学バイオセンサシステム（例えば、図１のシステム１００）のための組み合わされた複数の入力信号の代替の印加を示すグラフであり、ここではシステム１００の緩和がない。作用電極１１４の各パルスの後及び裸電極１１８の各パルスの後にシステム緩和がないように、裸電極１１８のパルスのパルス幅が伸長されていることを除いては、組み合わされた複数の入力信号は、図６Ａに示す信号と同一である。しかし、図６Ｂの組み合わされた複数の入力信号は、作用電極１１４の各パルスの後の且つ作用電極１１４の次のパルスまでの作用電極１１４の緩和、並びに裸電極１１８の各パルスの後の且つ裸電極１１８の次のパルスまでの裸電極１１８の緩和を、依然として含む。
【０１００】
裸電極１１８のパルスのパルス幅を、システムの緩和を起こさせないように伸長しうるけれども、代わりに、作用電極１１４のパルスのパルス幅を伸長することができ、又は作用電極１１４及び裸電極１１８の両方のパルスのパルス幅を、システムの緩和を起こさせないように伸長しうる。
【０１０１】
ここでも、図６Ａに示された組み合わされた複数の入力信号は、作用電極１１４のパルスの開始で始まり、作用電極１１４の次のパルスの開始で終了することと定義された組み合わされた複数の入力信号の各周期又はデューティサイクルに対するシステム１００の２つの緩和を含む。いくつかの態様において、組み合わされた複数の入力信号は、各周期又はデューティサイクルに対してシステム１００の単一の緩和を含みうる。
【０１０２】
図６Ｃは、本開示の追加の態様による電気化学バイオセンサシステム（例えば、図１のシステム１００）のための組み合わされた複数の入力信号の代替の印加を示すグラフであり、ここでは、各期間又はデューティサイクルについて唯一のシステム緩和が存在する。裸電極１１８のパルスと作用電極１１４の次のパルスとの間にシステム緩和がないように、ベア電極１１８のパルスが作用電極１１４の次のパルスの直前に生じるようにシフトされる点を除いて、組み合わされた複数の入力信号は、図６Ａに示された信号と同一である。しかし、作用電極１１４の前のパルスと、作用電極１１４の隣接するパルスを分離する裸電極１１８の次のパルスとの間に、システム緩和が存在する。図６Ｃの組み合わされた複数の入力信号は、作用電極１１４の各パルスの後の且つ作用電極１１４の次のパルスまでの作用電極１１４の緩和、並びに裸電極１１８の各パルスの後の且つ裸電極１１８の次のパルスまでの裸電極１１８の緩和を依然として含む。
【０１０３】
作用電極１１４のパルスの直後に発生する代わりに、システムの緩和は、裸電極１１８のパルスの後に生じうる。図６Ｄは、本開示の追加の態様による電気化学バイオセンサシステム（例えば、図１のシステム１００）のための組み合わされた複数の入力信号の代替の印加を示すグラフであり、ここでは、各期間又はデューティサイクルについて唯一のシステム緩和が存在する。作用電極１１４のパルスと裸電極１１８の次のパルスとの間にシステム緩和が存在しないように、裸電極１１８のパルスが裸電極１１８のパルスの直後に発生するようにシフトされることを除いて、組み合わされた複数の入力信号は、図６Ｃに示された信号と同一である。しかし、裸の電極１１８の前のパルスと、裸の電極１１８の隣接するパルスを分離する作用電極１１４の次のパルスとの間にシステム緩和が存在する。図６Ｄの組み合わされた複数の入力信号は、作用電極１１４の各パルスの後の且つ作用電極１１４の次のパルスまでの作用電極１１４の緩和、並びに裸電極１１８の各パルスの後の且つ裸電極１１８の次のパルスまでの裸電極１１８の緩和を依然として含む。
【０１０４】
図２Ａに戻って示すように、電気的測定は、第１及び第２入力信号、又は第１及び第２入力信号の一部分に応じて行われる。試料の測定値は、測定装置１０２によって測定された１つ以上の出力信号を構成する。具体的には、第１入力信号に対応して、第１出力信号又は作用出力信号が測定される。第２入力信号に対応して、第２出力信号又は裸の出力信号が測定される。組み合わされた第１及び第２入力信号に基づいて、得られる第１及び第２出力信号もまた組み合わされている。
【０１０５】
図７は、本開示の態様による、図２Ａの組み合わされた第１及び第２入力信号に対応して測定された組み合わされた第１及び第２出力信号を示すグラフである。第１及び第２入力信号が、それぞれの電極対の間に印加された一定電圧であることに基づいて、第１及び第２入力信号に対応する試料の出力電流のアンペロメトリック測定値を表す。
【０１０６】
任意の数の電流の測定値又は値は、第１及び第２入力信号のパルスの各々に対応して測定されうる。説明の便宜上かつ図７に示されたように、以下に記載された電流の特定の数が、第１及び第２の入力信号のパルスに対応して測定された。
【０１０７】
第１出力信号に関して、４つの出力電流が第１の２つのＭパルスΜ１とＭ２に対応して測定され、そして５つの出力電流が最後の４つのＭパルスＭ３〜Ｍ６に対応して測定された。これらの出力電流は、スキームｉＭＮ,Ｌに従って表示される。ここで、ｉは電流を表し、Ｍは電流が第１入力信号に対応することを表し、Ｎは入力信号のパルス数を表し、そしてＬは電流又はその特定のパルス数に対する測定数を表す。このようにして、例えば、ｉＭ１,１は、第１入力信号の第１パルスに対する第１電流を表し、ｉＭ６,５は、第１入力信号の第６パルスに対する第５電流を表す。
【０１０８】
第２出力信号に関して、４つの電流が、最初の４つのＧパルスＧ１〜Ｇ４に対応して測定された。これらの電流は、スキームｉＧＮ,Ｌに従って表示される。ここで、iは電流を表し、Ｇは、電流が第２入力信号に対応することを表し、Ｎは入力信号のパルス数を表し、Ｌは電流又はその特定のパルス数に対する測定値を表す。このようにして例えば、ｉＧ２,２は、第２入力信号の第２パルスの第２電流を表し、ｉＧ３,４は、第２入力信号の第３のパルスの第４の電流を表す。
【０１０９】
第２入力信号（又は第３入力信号）のヘマトクリット部分に関して、４つの電流値が１つのパルスＨctに対応して測定された。これらの電流は、スキームｉＨct,Ｌに従って指定され、ここで、iは電流を表し、Ｈctは電流がヘマトクリット値に関連することを表し、Ｌはヘマトクリットパルスの電流又は測定番号を表す。
【０１１０】
裸電極１１８は、濃度を測定しようとする標的検体の酸化又は還元を促進する試薬を有していないので、電流の測定値は、図７に示されるように、第２入力信号に対応して比較的一定であった。代わりに、電流の測定値は、検体の酸化に無関係な試料中の種の大部分を示していた。さらに、第２入力信号に対して変化する電位で電圧パルスを試料に印加することにより、様々な電位で酸化可能な種をサンプリングした。こうして、第２入力信号中の裸電極１１８の電圧パルスは、第１入力信号中の作用電極１１４によって感知された検体標的よりもＷＢ試料中の試料の異なる検体標的を感知し、又は変化する電位パルスを介してＷＢ環境プロファイルをプローブする。個体の異なる血液型の微妙な差異は、依然として存在し得て、パルス電位の異なる組合せ、例えば異なる第２入力信号パルスの内の終了電流の比、での電流の応答を通して表現されうる。
【０１１１】
第２出力信号からの情報は、同じか又はより短い試験時間で、従来のバイオセンサシステムよりも高められた精度を提供する。例えば、第２出力信号（それ単独で及び第１出力信号からの情報との組み合わせでの両方）に基づいて生成された誤差パラメータは、作用電極１１４によって酸化された干渉種（但し検体の濃度とは無関係である）に責任を負う誤差補償のために第１出力信号に基づいて生成された誤差パラメータを補完する。裸電極１１８と対向電極１１６との間に印加された第２入力信号なしで、第１入力信号中に作用電極１１４によって酸化された干渉種は、従来のバイオセンサシステムにおいて検体の酸化から隔離又は分離されえない。
【０１１２】
さらに、試料に第１入力信号と組み合わされた第２入力信号を印加することは、検体濃度決定に適用される電気化学的技術における従来のアプローチとは反対である。従来のアプローチは、作用電極の要求される電位を他の種の影響を受けないレベルに変更することによって、標的検体、メディエーター、又は関連する測定可能な種以外の試料中の他の種の効果を区別しようと前もって試みた。このようにして、従来のアプローチに従って、電気化学的検出ウインドウにまたがる電位で裸電極を用いて試料にパルスをかけることは、標的検体、メディエーター、又は関連する測定可能な種の酸化還元電位がこれらの追加の電位とは別の電位である場合に、標的検体の濃度の決定に比較的に僅かの影響を及ぼすか又は全く影響を及ぼさない。この効果のない様子は、図７における第２出力信号によって示されるように、第２入力信号の変化するパルスに対する試料の比較的一定の応答によってさらに証明される。しかし、本明細書で論じる理由のために、単独での及び／又は第１出力信号と組み合わせた第２出力信号の実行された分析は、特に短い分析期間について標的検体のより正確な及び／又は精度の高い決定を可能にする有用な情報を実際に明らかにする。以下でさらに論じるように、組み合わされた第１及び第２入力信号に基づいて許容されるより短い分析時間はまた、試料中のより大きな直線性を可能にし、従来のバイオセンサシステムの上限、例えばグルコースバイオセンサーシステムの場合６００ｍｇ／ｄＬを超える、をはるかに超えうる濃度の決定を可能にする。
【０１１３】
上述されたように、第１及び第２出力信号の電流の測定値に基づいて、誤差パラメータが生成されうる。誤差パラメータは、標的検体の濃度を測定する際の誤差を、標的検体の実際の濃度から逸脱する既知の因子（例えば、試料中の干渉種）と相関させる。誤差パラメータは、対応するバイオセンサシステムがどのように構成されているかに依存する様々な種類のパラメータであり得、異なる誤差源からの誤差を生成する。例えば、いくつかの態様において、第２出力信号の１つ以上の電流は、誤差パラメータでありうる。加えて又は代わりに、誤差パラメータは、第１出力信号の、第２出力信号の、及び／又は第２出力信号に対する第１出力信号の、電流の比に基づいて生成されうる。第１又は第２出力信号に基づく誤差パラメータは、パルス内比又はパルス間比に基づきうる。
【０１１４】
パルス内比は、同じパルスに対応する電流の測定値に基づく比である。例えば、第１出力信号の電流の測定値に基づくパルス内比は、スキームＲＮ＝ｉＭＮ,ｎｔｈ／ｉＭＮ,１ｓｔに従って指定される。ここで、ＲＮは、第１出力信号のパルスＮに対するパルス内比を表し、nthはパルスＮに対する最後の電流を表し、lstはパルスＮに対する最初の電流を表す。図７戻って参照すると、１例として、第１出力信号は、第１出力信号の６つのパルスに対して、Ｒ１＝ｉＭ１,４／ｉＭ１,１、Ｒ２＝ｉＭ２,４／ｉＭ２,１、Ｒ３＝ｉＭ３,５／ｉＭ３,１、Ｒ４＝ｉＭ４,５／ｉＭ４,１、Ｒ５＝ｉＭ５,５／ｉＭ５,１、およびＲ６＝ｉＭ６,５／ｉＭ６,１である６つのパルス内比を含む。
【０１１５】
第２出力信号の電流の測定値に基づくパルス内比は、スキームＲＧＮ＝ｉＧＮ,nth／ｉＧＮ,1stに従って指定される。ここで、ＲＧＮは、第２出力信号のパルスＮに対するパルス内パルス比を表し、残りの変数は、第１出力信号のパルス内比について上に列挙されたものと同様の値を表す。再び図７を参照すると、第２出力信号は、第２出力信号の４つのパルスに対して、ＲＧ１＝ｉＧ１,４／ｉＧ１,１、ＲＧ２＝ｉＧ２,４／ｉＧ２,１、ＲＧ３＝ｉＧ３,４／ｉＧ３,１、及びＲＧ４＝ｉＧ４,４／ｉＧ４,１の４つのパルス内比を含む。
【０１１６】
パルス間比は、同じ信号であるが信号内の異なるパルスに対応する電流の測定値に基づく比率である。例えば、第１出力信号の電流の測定値に基づくパルス間比は、スキームＲＮＯ＝ｉＭＮ,nth／ｉＭＯ,nthに従って指定される。ここで、ＲＮＯは、第１のパルスのパルスＯに対するパルスＮのパルス間比を表す。そして、nthはパルスＮとパルスＯの両方に対する最後の電流である。 図７に示すように、第１出力信号は、
【数１】
2019521343.tif 000004
のパルス間比を含む。別のパルス間比のタイプは、パルスの最初の電流と別のパルスの最後の電流との比、及びパルスの最後の電流と別のパルスの最初の電流との比などを含みうる。これらのパルス間比のタイプの例は、Ｒ’２１＝ｉＭ２,１／ｉＭ１,４、及びＲ”２１＝ｉＭ２,４／ｉＭ１,１である。
【０１１７】
第２出力信号の電流の測定値に基づくパルス間比は、スキームＲＧＮＯ＝ｉＧＮ,nth／ｉＧＯ,nthに従って指定される。ここで、ＲＧＮＯは、第２出力信号のパルスＯに対するパルスＮのパルス間比を表し、そして残りの変数は、第１出力信号のパルス内比について上に挙げた値を表す。図７を参照して、第２出力信号は、
【数２】
2019521343.tif 000005
のパルス間比を含む。
【０１１８】
第１及び第２出力信号に基づく比は、組み合わされたパルス比と見なされる。 第１出力信号と第２出力信号との電流の測定値に基づく組み合わされたパルス比は、スキームＭＮＧＯ＝ｉＭＮ,nth／ｉＧＮ,nthに従って指定される。ここで、ＭＮは第１出力信号のパルスＮ、ＧＮは第２出力信号のパルスのパルスＯであり、そして、nthはパルスＮ又はＯについて最後の電流の測定値を表す。このようにして、例えば、組み合わされたパルスは、
【数３】
2019521343.tif 000006
を含むことになる。
【０１１９】
第２出力信号に対するパルス内比及びパルス間比、並びに第１及び第２出力信号に対する組み合わされたパルスの比のうちの１つ以上は、検体の濃度をより正確かつ精度よく測定するように出力信号と検体の濃度との間の相関を調整する補償方程式に使用することができる。第２出力信号又は第１及び第２出力信号に基づいて計算された様々な比は、第１出力信号単独からの誤差パラメータによって責任を負わされない誤差に責任を負う１つ以上の補償方程式を生成するために多変数回帰に入力されうる。
【０１２０】
図２Ａ及び図７は、第１及び第２入力信号及び対応する第１及び第２出力信号の企図された多くのプロットの内の１つのみを示す。第１及び第２入力信号及び結果として得られる第１及び第２出力信号の特性は、上記されたいずれかの変化に従って変化させうる。第１及び第２入力信号及び対応する第１及び第２出力信号の追加の例は、以下に示され説明される。
【０１２１】
具体的には、図８Ａ〜８Ｄは、本開示の追加の態様による電気化学バイオセンサシステム（例えば、図１のシステム１００）のための組み合わされた第１及び第２入力信号の様々な配置を示すグラフである。図８Ａ〜図８Ｄはすべて、ラベルＭ、Ｇ、及びＨctによって表される３つの入力信号を示している。第１入力信号Ｍは、作用電極１１４と対向電極１１６との間に印加される定電位のパルスを含み、第２入力信号Ｇは、裸電極１１８と対向電極１１６との間の定電位のパルスを含み、そして第３入力信号は単一のヘマトクリットパルスである。
【０１２２】
図８Ａにおいて、第１入力信号Ｍは６個のパルスを有し、第２入力信号Ｇは４個のパルスを有し、第３入力信号は単一のＨctパルスを有する。図８Ａの組み合わされた複数の入力信号は、３秒以内印加される。図８Ｂにおいて、第１入力信号Ｍは６個のパルスを有し、第２入力信号Ｇは４個のパルスを有し、そして第３入力信号は単一のＨctパルスを有する。図８Ｂの組み合わされた複数の入力信号は、３．２秒以内印加される。図８Ｃにおいて、第１入力信号Ｍは６個のパルスを有し、第２入力信号Ｇは５個のパルスを有し、第３入力信号は単一のＨctパルスを有する。図８Ｃの組み合わされた複数の入力信号は、３．３秒以内印加される。図８Ｄにおいて、第１入力信号Ｍは５個のパルスを有し、第２入力信号Ｇは４個のパルスを有し、第３入力信号は単一のＨctパルスを有する。図８Ｄの組み合わされた複数の入力信号は、３．２秒以内印加される。
【０１２３】
第１入力信号は一般に、第１及び第２のパルス（左から右へ）について０．５Ｖ及び０．３５Ｖの電位を含み、０．２５Ｖの後続のパルスが後に続く。第２入力信号は、一般に０．２５Ｖ、０．３５Ｖ、０．５Ｖ、及び１．０Ｖのパルス（左から右へ）を含む。第３入力信号の終了パルスは、約２．５Ｖである。
【０１２４】
図９Ａ〜図９Ｄは、本開示の追加の態様による図８Ａ〜図８Ｄの組み合わされた第１及び第２入力信号並びに第３入力信号から生じた出力信号を示すグラフである。図８Ａ〜図８Ｄを参照する。具体的には、図９Ａ〜９Ｄは図８Ａ〜図８Ｄの入力信号からの第１、第２及び第３出力信号をそれぞれ示しており、室温で４３％Ｈctでの５９ｍｇ／ｄＬのグルコースを有するＷＢ試料に印加された場合である。第１入力信号に対応する第１出力信号はＭによって表され、第２入力信号に対応する第２出力信号はＧによって表され、第３入力信号に対応する第３出力信号はＨctによって表される。しかし、図８Ｃの第２入力信号の０．１５Ｖでの第１のパルスに対応する、図９Ｃの第２出力信号Ｇの負電流に対しては、０．２５Ｖ以上での第１及び第２入力信号のパルスに対応する電流の測定値は、すべて正であった。これはＷＢ試料の電気化学的環境を示している。
【０１２５】
図１０Ａ〜１０Ｄは、それぞれ、本開示の態様による、図８Ａ〜図８Ｄの第１入力信号の異なるパルスに対する基準の相関を示す。図１０Ａ及び１０Ｂに示されるように、ここでは、第１入力信号は６つのパルスを含み、１．７秒という短い期間内の最後の３つのパルスは実質的に同一の線形応答を示す。図１０Ｃにおける１．３秒という短い期間内の最後の４つのパルスは、実質的に同一の直線応答を示す。最後に、図１０Ｄは、５つの内の最後の２つのパルスからの応答が、最後の２つのパルスよりも低い前のパルスからの応答と同一であることを示している。これらの相関は、２．０秒未満の分析時間が実現可能であることを示している。
【０１２６】
図１０Ｅは、３秒及び６．６秒の電位系列についての、生の信号の相関とベースライン・グルコース濃度との比較を示している。３秒及び６．６秒の電位系列の両者は、第１電極に６つの主パルスを有し、その終点はそれぞれ３秒及び６.６秒であった。図１０Ｅから分かるように、６．６秒の相関からの生信号は、７００ｍｇ／ｄＬでレベル低下が始まり、より高いグルコース濃度でレベルの低下が続くが、３秒の相関からの生信号は９００ｍｇ／ｄＬまで線形であり、より高いグルコース濃度でだけ僅かに低下する。
【０１２７】
図１０Ａ〜１０Ｅの相関のプロットは、２．０秒以下の時間から取られた信号が濃度とともに直線的であり検体濃度を示すために使用できることを示している。Ｇ信号のより良い使用のために、３つ以上のパルスを有するさらにコンパクトなパルス列が、実装されうる。そうでなければ、図８Ａ〜図８Ｄの現在の列の場合には、Ｇ信号は、約３秒で終了する時間を有する、信号を指示する先行するＭ個のいずれかと組み合わせて使用される。
【０１２８】
同様の又は改善された正確さ及び精度で実現しうる２．０秒未満の分析時間により、より高い線形性が達成されうる。より高い線形性で、検体のより高い濃度が、検体の濃度を決定するのに用いられる試薬の、より短時間にわたり生じる消費量に基づいて決定されうる。このようにして、より多くの試薬が、より高い濃度を決定するために残る。グルコースの場合に、本開示のバイオセンサシステム、特に組み合わされた第１及び第２入力信号を実装するバイオセンサシステムに基づいて、９００、１０００、１１００、又は１２００ｍｇ／ｄＬと同じグルコースレベルが決定されうる。
【０１２９】
バイオセンサに関する従来の知恵は、通常の操作（グルコースの範囲、温度、及びヘマトクリット範囲など）の下での化学反応及び電気化学反応を支援するために過剰な試薬容量を有することである。分析時間が著しく短くなると、例えば５０％減少すると、試薬の過剰容量は、より高い検体濃度での化学反応をサポートするために利用可能である。さらに、従来の知恵は、バイオセンサ分析過程を終了させるための化学的及び／又は電気化学的反応を安定した状態に到達させることである。試薬配合物は、血糖モニター装置及び医療装置システムのためのバイオセンシングプロセスにおいて重要な役割を果たし続けている一方で、複雑な誤差補償方法／アルゴリズムと結合された最近の信号励起／生成における進歩は、反応が完了するのを待つのではなく、バイオセンサがこれまでよりはるかに短い時間でシステムの信号のサンプリングを行うことを可能にする。本発明はさらに、誤差補償を増大させるために第２電極から信号を生成する方法を開示し、より正確な検体濃度を同等以上の精度で求めることを可能にする。
【０１３０】
上記の第１及び第２入力信号の全ては、作用電極１１４及び対向電極１１６を介して、又は裸電極１１８及び対向電極１１６を介して、試料に印加された一定電位の励起若しくはパルスを含む。これらの励起又はパルスは、アンペロメトリック（電流測定の）励起又はパルスとして記載される。しかし、第１及び／又は第２入力信号の励起若しくはパルスは、定電位の、例えばボルタンメトリック（電圧測定の）励起若しくはパルス以外のパルスであってもよい。いくつかの態様において、第１及び／又は第２入力信号の１つ以上のパルスは、代わりに、線形スキャン（走査）パルス、周期的な電圧測定パルス、非周期的な電圧測定パルスなどでありうる。
【０１３１】
「周期的な」パルス若しくは励起は、線形順方向走査及び線形逆方向走査を組み合わせた電圧測定の励起を指し、走査範囲はレドックス対の酸化及び還元ピークを含む。例えば、電位を−０．５Ｖから＋０．５Ｖへ、そして−０．５Ｖへと周期的に変化させることは、グルコースバイオセンサ系で使用されるフェリシアン化物／フェロシアン化物レドックス対の周期的な走査の一例であり、酸化ピーク及び還元ピークの両方が走査範囲に含まれる。順方向走査と逆方向走査の両方は、電位の一連の増分変化によって近似されうる。このようにして、周期的な変化を近似する電位の変化を印加することは、周期的な走査とみなしうる。
【０１３２】
「非周期的な」パルス若しくは励起は、別の電流ピークよりも順方向又は逆方向電流ピークの１つを越えて含む電圧測定の励起の１態様を指す。例えば、順方向及び逆方向の線形走査を含む走査は、非周期的なスキャンの１例であり、順方向走査は、逆方向走査が停止する電圧とは異なる電圧で開始され、例えば−０．５Ｖから＋０．５Ｖまで上がり、そして＋０．２５Ｖまで戻る。別の例では、非周期的なスキャンは、レドックス対の正式電位Ｅo'から最大で＋２０、＋１０、又は＋５ｍＶ離れたところでスキャンが開始されるとき、実質的に同じ電圧で開始及び終了することができる。別の態様において、非周期的な走査若しくはパルスは、レドックス対の酸化出力電流ピーク及び還元出力電流ピークを実質的に排除する順方向及び逆方向の線形走査を含む電圧測定の励起を指す。例えば、励起は、レドックス対の拡散制限条件（ＤＬＣ:diffusion limited condition）領域内で開始、逆転、終了することができ、その結果、対の酸化及び還元出力電流ピークを排除しうる。順方向走査と逆方向走査の両方は、電圧の一連の漸増変化によって近似することができる。したがって、非周期的な変化を近似する電位の変化を印加することは、非周期的な走査とみなすことができる。
【０１３３】
図１１Ａは、本開示の追加の態様による、電気化学バイオセンサシステム（例えば、図１のシステム１００）のための、電流測定及び電圧測定のパルスを伴う、組み合わされた複数の入力信号を示すグラフである。より具体的には、図１１Ａは、ラベルＭ及びＧによって表される２つの入力信号を示す。第１入力信号Ｍは、１つのパルスが非周期的な電圧測定パルスである以外は、図１のシステム１００に関する作用電極１１４及び対向電極１１６の間に印加された定電位のパルスを含む。合計で、第１入力信号Ｍは６つのパルスを含み、これらのパルスはグラフ上で左から右に現れる順序で、Ｍ１、Ｍ２、Ｍ３、Ｍ４、Ｍ５、及びＭ６と呼ばれる。図示されたように、パルスＭ１は０．５Ｖの電位を有し、パルスＭ２は０．３５Ｖの電位を有し、パルスＭ４〜Ｍ６は０．２５Ｖの電位を有する。パルスＭ３は、０．２５Ｖで始まり、約０．５５Ｖまで直線的に増加し、約０．２５Ｖまで直線的に降下する、２．４Ｖ／秒の走査速度を有する非サイクリックボルタンメトリーパルスである。
【０１３４】
第２入力信号Ｇは、１つのパルスが線形走査パルスであることを除いて、また一定電圧のパルスを含むが、パルスは裸電極１１８と対向電極１１６との間に印加される。第２入力信号Ｇは、合計で５つのパルスＧ１、Ｇ２、Ｇ３、Ｇ４、及びＧ５を含む。図示されているように、パルスＧ１は０．２５Ｖの電位を有し、パルスＧ２は０．３５Ｖの電位を有し、パルスＧ４は０．５Ｖの電位を有し、パルスＧ５は１．０Ｖの電位を有する。パルスＧ３は、約０．１５Ｖで始まり約０．６５Ｖまで直線的に増加する、約２Ｖ／秒の走査速度を有する線形走査パルスである。
【０１３５】
図１１Ｂは、本開示の態様による図１１Ａの組み合わされた第１及び第２入力信号に対応する組み合わされた第１及び第２出力信号を示すグラフである。グラフは、２０％Ｈct及び室温での３００ｍｇ／ｄＬのグルコースのＷＢ試料に印加された第１及び第２入力信号への応答状態である。第１及び第２入力信号の各パルスに対応する各トレースは、１つ以上の出力電流、例えば、１つの電流、２つの電流、３つの電流、４つの電流、５つの電流、６つの電流、７つの電流、８つの電流、９つの電流、１０の電流などでありうる。
【０１３６】
図１１Ｃは、本開示の態様によるボルタモグラムとしてプロットされた、第１入力信号の非周期的な電圧測定パルスＭ３に対応する出力電流を示すグラフである。図１１Ｃに示されたデータの取得に用いられた電子サンプリング速度は、毎秒４０データ点である。図示されているように、作用電極１１４と対向電極１１６との間に印加された電圧が、０．２５Ｖから０．５５Ｖの間で変化し、そして０．２５Ｖに戻るときに、１０の電流が測定された。
【０１３７】
図１１Ｄは、本開示の態様によるボルタモグラムとしてプロットされた、第２入力信号の線形走査パルスＧ３に対応する電流を示すグラフである。図１１Ｃに示されたデータの取得に用いられた電子サンプリング速度は、毎秒４０データ点である。図示されているように、裸電極１１８と対向電極１１６との間に印加される電圧が、０．１５Ｖと０．６５Ｖとの間で直線的に走査されるにつれて、１０個の電流が測定された。
【０１３８】
図１２Ａは、本開示の追加の態様による電気化学バイオセンサシステム（例えば、図１のシステム１００）のための電流測定及び電圧測定のパルスを有する、組み合わされた複数の入力信号を示す別のグラフである。より具体的には、図１２Ａは、ラベルＭ及びＧによって表される２つの入力信号を示す。第１入力信号Ｍは、図１１Ａの第１入力信号Ｍと同一である。第２入力信号Ｇは、線形走査パルスＧ３が約−０．０５Ｖで始まり約−０．９５Ｖで終了する３．０Ｖ／秒の走査速度を有する点を除いて、図１１Ａの第２入力信号Ｇと同一である。
【０１３９】
図１２Ｂは、本開示の態様による、図１２Ａの組み合わされた第１及び第２入力信号に対応する組み合わされた第１及び第２出力信号を示すグラフである。図１２Ａに示されている。このグラフは、４２％Ｈct及び室温でグルコース５００ｍｇ／ｄＬのＷＢ試料に印加された第１及び第２入力信号への応答状態である。第１及び第２入力信号の各パルスに対応する各トレースは、１つ以上の出力電流、例えば、１つの電流、２つの電流、３つの電流、４つの電流、５つの電流、６つの電流、７つの電流、８つの電流、９つの電流、１０の電流などでありうる。
【０１４０】
図１２Ｃは、本開示の態様によるボルタモグラムの形態における、図１２Ａの第１入力信号の非周期的な電圧測定パルスＭ３に対応する電流を示すグラフである。図１２Ａに示されたデータの取得に用いられるデータサンプリング速度は、毎秒５００データ点であった。このデータサンプリングレートによれば、より多くのデータポイントが同じ時間に取得され、ほぼ連続した出力電流トレースを提供される。しかし、トレースは、実線であり、図１２Ａの第１入力信号のパルスＭ３の電圧が作用電極１１４と対向電極１１６との間に０．２５Ｖ〜０．５５Ｖの間で印加され、０．２５Ｖに戻されるにつれて、パルスＭ３に対応して任意の数の電流が取られうることを示している。
【０１４１】
図１２Ｄは、本開示の態様によるボルタモグラムの形態の図１２Ａの第２入力信号の線形走査パルスＧ３に対応する電流を示すグラフである。図１２Ｃと同様に、図１２Ｄに示されたデータの取得に用いられるデータサンプリング速度は、毎秒５００データ点であった。このデータサンプリング速度によれば、より多くのデータ点が同じ時間に取得され、ほぼ連続した出力電流トレースを提供する。しかし、トレースは、実線であり、図１２Ａの第２入力信号のパルスＧ３の電圧が裸電極１１８と対向電極１１６との間に印加され、−０．０５Ｖと−０．９５Ｖとの間で直線的に走査されるにつれて、パルスＧ３に対応して任意の数の電流が取られうることを示している。
【０１４２】
第１及び第２の組み合わされた出力信号に基づいて、上述の１つ以上の誤差パラメータは生成され（例えば、計算、コンピュータ計算などにより）、そして試料中の検体の濃度を決定するための誤差補償方程式で用いられうる。第２出力信号に基づく誤差パラメータは、標的検体の他に試料中の種に対応するが、従来の方法よりもより正確で、精度があり、迅速な、検体濃度の決定を可能にする、試料の電気化学的窓に関する追加の情報を提供する。さらに、検体、メディエーター、又は検体に関連する他の測定可能な種に関連する酸化還元電位よりも低い又は高い酸化還元電位を探索する第２入力信号にもかかわらず、対応する第２出力信号は、検体濃度決定に役立つ情報を依然として提供する。
【０１４３】
図１３は、本開示の態様による、組み合わされた複数の入力信号に基づいて検体の濃度を決定するための方法１３００のフローチャートである。方法１３００は、バイオセンサシステム（例えば、上述したバイオセンサシステム１００）によって実行されうる。特定の態様において、方法１３００を実行するバイオセンサシステムは、血液試料（例えばＷＢ試料）中のグルコース濃度を決定するための装置であってよく、そして分析の焦点である標的検体はグルコースでありうる。
【０１４４】
ステップ１３０２において、第１及び第２の組み合わされた複数の入力信号が、上記の概念に従って試料に印加される。第１入力信号は、試薬を有する第１電極を介して試料に印加され、第２入力信号は、試薬を欠く第２電極を介して試料に印加される。いくつかの態様において、第２電極は、標的検体の酸化を促進する如何なる試薬をも欠いている。しかし、いくつかの態様においては、第２電極は、検体の酸化を促進しないが試料中の他の種の酸化を促進することができる１つ以上の試薬を含みうる。試料中の検体としてグルコースの場合、第１電極の試薬は酸化還元酵素を含みうる。具体的には、試薬は、グルコースオキシダーゼ酵素、グルコースデヒドロゲナーゼ酵素、又はそれらの組み合わせでありうる。試料は、グルコースを含むＷＢ試料であってもよい。代わりに、試料はＷＢ試料の派生物であってもよい。
【０１４５】
組み合わされた第１及び第２入力信号の印加は、少なくとも２つの励起若しくはパルス及び第１電極の少なくとも１つの緩和を有する第１入力信号を第１電極を介して試料に印加すること、及び、少なくとも１つの励起若しくはパルス及び第２電極の少なくとも１つの緩和を有する第２入力信号を第２の電極を介して試料に印加することを含む。第１入力信号の少なくとも２つの励起（若しくはパルス）は、上述のような任意のタイプの励起、例えば、定電圧パルス、線形走査パルス、周期的な電圧測定パルス、非周期的な電圧測定パルスなど、及び／又はそれらの組み合わせでありうる。第２入力信号の少なくとも１の励起は、上述のような任意のタイプの励起、例えば、定電圧パルス、線形走査パルス、周期的な電圧測定パルス、非周期的な電圧測定パルスなど、及び／又はそれらの組み合わせでありうる。第１及び第２入力信号は、第１入力信号の励起が第２入力信号の励起によって互いに同時ではなくかつ互いに分離されるように組み合わされて印加される。第１及び第２電極は、それぞれの電極の緩和中は電気的に開状態でありうる。代わりに、特定の電極の緩和中に、開状態でないように、そうでなければ、試料の励起の間、第１又は第２電極の他方に影響を及ぼさないか又は決定的には影響を及ぼさないように、最小電位が第１又は第２電極に印加されうる。
【０１４６】
第１入力信号及び第２入力信号のそれぞれの少なくとも２つの励起及び少なくとも１つの励起として説明されたように、いくつかの態様において、第１入力信号及び第２入力信号は、より多くの励起を有しうる。例えば、第１入力信号は、試料内の検体の濃度の決定の間、試料に印加される３、４、５、６、７、８、９、１０又はそれ以上の励起若しくはパルスを有しうる。同様に、第２入力信号は、試料内の検体の濃度の決定の間、試料に印加される２、３、４、５、６、７、８、９、１０又はそれ以上の励起若しくはパルスを有することができ、励起の数は、第１入力信号の励起の数と同じであっても異なっていてもよい。
【０１４７】
第１入力信号の全ての励起は、同じ強度又は振幅、例えば、同じ電圧又は電圧範囲のものでありうる。いくつかの態様において、第１入力信号の全ての励起は、分析のために試料を調製する初期の励起数の後では、同じ強度でありうる。例えば、第１入力信号の第１励起は一定の０．５Ｖの励起であり、第１入力信号の第２励起は一定の０．３５Ｖの励起であり、第１入力信号の残りの励起は一定の０．２５Ｖの励起でありうる。しかし、励起は、上述したように、様々な別の励起のタイプ及び強度でありうる。
【０１４８】
第２入力信号の全ての励起は、同じ強度の、増加する強度の、減少する強度の、又は減少し増加する強度のものでありうる。１例として、第２入力信号の第１の励起は、一定の０．２５Ｖの励起、又は検体検出のための後の作用電極パルスのパルス電圧に等しい電圧でありうる。第２入力信号の第２の励起は、一定の０．３５Ｖの励起、又は第１のパルスよりも５０〜２００ｍＶ程度高い電圧でありうる。第２入力信号の第３の励起は、一定の０．５Ｖの励起、又は第１のパルスよりも２００〜４００ｍＶ程度高い電圧でありうる。第２入力信号の第４の励起は、一定の１．０Ｖの励起、又は第１のパルスよりも５００〜１０００ｍＶ程度高い電圧、又は１０００〜１８００ｍＶのような第１のパルスからさらに遠く離れた電圧であってもよい。上記の電圧に従って、第２電極パルスは、試料及び試料プロファイリング中の干渉種及び／又は内在種の存在のために酸化還元電位窓の近視野及び遠視野を探索する。これらの干渉種及び／又は内在種は、作用電極パルスの出力信号に直接的又は間接的な影響を有しうる。裸電極パルスの出力信号は、誤差パラメータ及び誤差検出によって誤差補償を増大させる。しかし、励起は、上述したように、様々な励起の別のタイプ及び強度でありうる。
【０１４９】
第１及び第２入力信号の励起若しくはパルスの幅又は持続時間は、同一入力信号内の他の励起及び別の入力信号内の他の励起の両方に対して、一定であっても変化してもよい。さらに、いくつかの態様において、第１入力信号の２つの隣接する励起の間に、第２入力信号の２つ以上の励起が生じうる。
【０１５０】
いくつかの態様において、追加の又は第３入力信号が、別個の入力信号として又は第２入力信号の一部分として、試料に印加されうる。追加の入力信号は、ＷＢヘマトクリットレベルを感知するための添加された試薬を有しない第２電極への大振幅の励起パルスでありうる。さらに、第１及び第２入力信号の他の特性は、上述のように変化しうる。
【０１５１】
ステップ１３０４で、第１入力信号に対応する第１出力信号と第２入力信号に対応する第２出力信号とが、異なる時刻に、又はそれぞれの第１及び第２入力信号が印加されるときに測定される。第１及び第２出力信号は、それぞれ第１及び第２入力信号に対する応答である。第１及び第２出力信号は、それぞれ第１及び第２入力信号の励起に対応する電流の測定値を含む。特に、第１出力信号は、第１入力信号が１つ以上の試薬を有する試料に印加されるところの第１電極に基づいて、試料中の検体の濃度に直接応答する。したがって、第１出力信号は、検体の酸化還元反応に直接的又は間接的に（例えば、検体濃度に関連するメディエーター又は他のタイプの測定可能な種を介して）応答する。対照的に、第２出力信号は、第１電極及び第１入力信号によって標的とされる試料中の同じ検体の濃度に対応せず、第２入力信号が試料（第１電極若しくは作用電極の１つ以上の試薬を有しない）に印加されるところの第２電極若しくは裸電極に基づいて、応答する。
【０１５２】
第１及び第２入力信号の各励起に対して、第１及び第２出力信号を生成する際に、１つ以上の電流が測定されうる。例えば、１、２、３、４、５、６、７、８、９、１０又はそれ以上の出力電流が、第１及び第２入力信号のそれぞれの励起に対応して測定されうる。測定された出力電流の数は、第１及び第２入力信号の各励起に対して同じであっても異なっていてもよい。
【０１５３】
ヘマトクリットに関する第３入力信号への応答において、１つ以上の電流が測定されうる。これらの電流は、第３出力信号又は第２出力信号の一部分と考えることができる。
【０１５４】
ステップ１３０６で、検体の濃度が、少なくとも第１出力信号及び第２出力信号に基づいて決定される。第１及び第２出力信号は、検体の濃度を決定するために、基準の相関及び誤差パラメータ（誤差の相関及び／又は誤差の検出に関連する）に関連する標的検体濃度に関して分析される。１つ以上の誤差パラメータが、第１出力信号、第２出力信号、第１出力信号と比較された第２出力信号、又はそれらの組み合わせに基づいて生成される。誤差パラメータは、第１出力信号の、第２出力信号の、又は第２出力信号と比較された第１出力信号の電流の比を包含しうる。１つ以上の誤差パラメータは、第１若しくは第２出力信号の単一パルスに関連する電流に基づくパルス内比率、第１若しくは第２出力信号の２つの異なるパルスに関連する電流に基づくパルス間比率、又は２つのパルス（１つのパルスは第１出力信号からのものであり、１つのパルスは第２出力信号からのものである）に関連する電流に基づく組み合わせ比率を含みうる。
【０１５５】
いくつかの態様において、１つ以上の誤差パラメータは、ヘマトクリットレベルに関する第３出力信号に対応して測定される電流に基づきうる。これらの誤差パラメータは、ヘマトクリットレベルについての追加の出力信号からの電流単独、又は第１及び／又は第２出力信号からの１つ以上の電流の組み合わせを含む比率に基づきうる。
【０１５６】
試料中の検体の濃度を決定するためのいくつかの態様において、試薬を有する第１電極からの第１出力信号による検体に対する基準の相関が、確立されうる。ΔＳ値は、バイオセンサシステムのメモリに記憶され且つ工場較正及び補償機能の回帰の結果として生成される１つ以上の所定の補償関数から決定されうる。第１及び／又は第２出力信号から計算された誤差パラメータは、所定の補償関数に入力することができる。誤差パラメータは、傾きの偏差ΔＳ値、又はそれらの組み合わせを介して基準の相関を調整することによって、１つ以上の誤差要因から生じるバイオセンサシステム誤差を補償することによって正確な検体濃度を決定することに寄与する。組み合わされた第１及び第２入力信号が含まれない従来のバイオセンサシステムと比較して、第２出力信号、第１出力信号に対する第２出力信号（例えば組み合わされた誤差パラメータの場合）、又はそれらの組み合わせに対して生成された誤差パラメータを有することに基づいて、本開示による利点は達成されうる。
【０１５７】
第２電極からの出力信号は、補償方程式に入力される追加の誤差パラメータを提供する。これらの誤差パラメータは、個々の種に特異的でなくてもよいが、ＷＢ試料からの検体決定過程中に存在しうる干渉種の種類を分類的に表すことができる。ＷＢ試料は、異なるレベルの干渉種を有する異なるエンドユーザによって変動するので、検体のための標的試薬を有する第１電極単独では、標的検体とは独立した干渉情報を提供することができない。したがって、干渉種と関連する誤差は、第１電極出力信号によって対処することができず、添加された試薬を欠く又は標的検体に対する試薬を欠く第２電極が干渉情報を提供するであろう。第２出力信号を有する第２電極の別の利点の中で、いくつかの利点には、従来のバイオセンサシステムと同じか又はより改善さえされた精度で、より短い分析時間を含まれる。例えばいくつかの態様において、利点は、ここで記載されたような組み合わされた第１及び第２入力信号が含まれない従来のバイオセンサシステムと比較して、精度で５％、１０％、２０％、３０％、又は４０％の改善を伴う約３．５秒の分析時間を含む。いくつかの態様において、利点は、ここで記載されたような組み合わされた第１及び第２入力信号が含まれない従来のバイオセンサシステムと比較して、精度で５％、１０％、２０％、３０％、又は４０％の改善を伴う約３．２秒の分析時間を含む。いくつかの態様において、利点は、ここで記載されたような組み合わされた第１及び第２入力信号が含まれない従来のバイオセンサシステムと比較して、精度で５％、１０％、２０％、３０％、又は４０％の改善を伴う約３．０秒の分析時間を含む。いくつかの態様において、利点は、ここで記載されたような組み合わされた第１及び第２入力信号が含まれない従来のバイオセンサシステムと比較して、精度で５％、１０％、２０％、３０％、又は４０％の改善を伴う約２．２秒の分析時間を含む。いくつかの態様において、利点は、同じか又はより短い分析時間で、例えば３．５秒、３．２秒、３．０秒、２．８秒、２．６秒、２．４秒、２．２秒、又はそれ以下で、決定された検体濃度の％-偏りが±１０％、±５％、±４％、±３％、±２％、±１％、又はそれより良好な検体濃度の％-偏りを含む。
【０１５８】
以下の表２は、Ｇ-項（又は第２の作用電極に基づいて生成された項）を有する補償方程式、及びＧ-項を欠く補償方程式による特定のドナー研究に関する例示的な結果を示す。回帰に入力されるＧ項を有する場合と有しない場合の２つの例示的な複合関数方程式が、以下に示される（ベースライン・グルコース、温度、及びヘマトクリットレベルの変化を有する実験室データから導かれる）。これら２つの補償関数は生のドナー研究データに適用された。補償は、Ｇcomp＝（１−Intcal）／（Ｓcal＊（１＋ΔＳ／Ｓ））の形をとる。偏り／％-偏り値は、ＹＳＩ＜１００ｍｇ／ｄＬについては（Ｇcomp−ＹＳＩ）により、そしてＹＳＩ＞１００ｍｇ／ｄＬについては１００％＊（Ｇcomp-ＹＳＩ）／ＹＳＩにより計算された。さらに、補償は、予測関数（複合インデックス関数）ΔＳ／Ｓ＝ｆ（Ｒx，．．．．）により基準の相関の傾きを調整することにより達成される。これは、多変数回帰の結果として予測関数からの計算された正規化傾きの偏差ΔＳ／Ｓである。平均値及び標準偏差（ＳＤ：standard deviation）値は、６つのロットからの自己試験の内部ドナー試験における６００データ点（各サンプルの二重データ）の合計から計算された。
【０１５９】
表２から、補償結果について、補償関数においてＧ-項を有するＳＤ値は、約０．２ＳＤ単位よりも小さいか、又は、システム誤差が、補償関数に入力されるＧ-項なしの場合よりも多くの電力により低減されることが分かりうる。これは、±５％の精度（Ｇ-項については±５％以内に６８．６％に対してＧ-項なしについては±５％以内に６０．５％）に対して１０％を超える改善をもたらす。±１０％レベルの精度に対しては、Ｇ-項を用いた補正関数に対するＧ-項のある場合の方が、２パーセントの改善がある（Ｇ-項のある場合について±１０％以内で９５．４％、Ｇ-項のない場合について±１０％以内で、９３．４％）。これらの結果は、連続駆動におけるＧパルス信号の重要性を強調し、ＢＧＭシステムに対する精度を向上させる。
【表２】
2019521343.tif 000007
Ｇ-項の有る補償複合インデックス関数のための例示的な方程式は、
【数４】
2019521343.tif 000008
であり、そして
Ｇ-項のない補償複合関数のための例示的な方程式は、
【数５】
2019521343.tif 000009
であった。
ここで、Ｇ＝Ｇraw＝（I−Int）／Ｓcalであり、ここで、Iは電流であり、Intは計算では省略されている。Ｓcalはシステム較正傾きであり、Ｈは２．５ＶのＨctパルスからの終了電流である。Ｇ、Ｔ、及びＨは、それぞれ生グルコース値、温度、及びヘマトクリット信号を表す。しかし、上記の式は、Ｇ-項が存在する場合とＧ-項が存在しない場合とを比較するための補償複合関数の単なる例示であり、本開示はこれらの２つの特定の式に限定されることを意図しない。
【０１６０】
試料中の検体の濃度を計算する際の補償式を調整するための誤差パラメータを提供することに加えて、第２入力信号は、単独で又は第１入力信号と組み合わされて、バイオセンサシステム、例えばバイオセンサシステム１００、のための別の機能及び／又は情報を提供しうる。追加の機能は、大部分のグルコースの測定が適用されるＷＢ試料の試料タイプを識別すること、又は他の試料タイプを区別することを含みうる。特に、バイオセンサシステムと共に使用される対照基準溶液の自動検出は非常に重要である。別の追加機能には、標的検体、試料プロファイリング、又はそれらの組み合わせとは無関係な試料中の検出窓内の酸化可能な種の測定及び／又は識別が含まれうる。
【０１６１】
確立されたバイオセンサシステム、例えば、Ascensia Diabetes Care社（ニュージャージー州パーシッパニー）によるCONTOUR（商標）NEXT、における対照基準溶液は、システム機能の即時検証を提供することによって重要である。過去２０年間で、医療用の革新的な溶液は、ＷＢ試料に対する対照基準の自動認識がデータ処理及び分析（例えばデータ平均化）のための医療機器システムの不可欠な部分となったところまで進んでいる。
【０１６２】
さらに、インスリンポンプに接続している血糖モニター（ＢＧＭ：blood glucose monitor）システムにおいて、対照基準の測定値は、ＷＢグルコース測定値として扱われないように（それはそうでなければポンプにより治療上の決定に影響を与える）、確実に識別されなければならない。自動検出のさらに別の例において、エンドユーザが誤って異なる対照基準溶液を使用した場合に、あるシステムに属する対照基準溶液を別のシステムの対照基準溶液に対して検出する必要がある。
【０１６３】
対照基準溶液に対処する過去の方法は、いくつかの酸化可能な種を、バイオセンサのメディエーターの酸化のための電位よりも高い電位で対照基準中に含むことであった。加えられた種は対照基準マーカと呼ばれる。１つの電位は検体濃度決定のための低電位であり、もう１つは添加されたマーカを検出するための高電位である２つの電位の方法を用いて、これら２つの電位での電流からの指標値が、試料のタイプ、即ち対照基準とＷＢ試料とを区別するために１つ以上の閾値と比較される。しかし、この方法論には限界があり、その１つは対照基準マーカを追加する必要があることである。本開示の概念に基づいて、試料の種類を区別するために、特に第２入力信号のパルス又は励起に基づいてＷＢ試料と対照基準を区別するために、複数のパラメータを使用することができる。
【０１６４】
ＷＢ試料と対照基準とを区別するための基礎となりうる１つのパラメータは、第１のパルスが裸電極１１８と対向電極１１６の間で０．２５Ｖである場合の、第２入力信号の第１の（励起）パルスに対する応答における第１の出力電流（即ち、ｉＧ１,１）である。ＷＢ試料（例えば、低濃度から高濃度の範囲のグルコース、５〜４５℃の範囲の温度、及び０〜７０％の範囲のヘマトクリット値）に対する電流ｉＧ１,１は、０．２５Ｖでの第２入力信号パルスに対して応答して正である。対照基準的に、第２入力信号パルスに対する応答における対照基準用の電流ｉＧ１,１は、一般に負である。したがって、ゼロに近い閾値は、区別のために使用され得、また電流ｉＧ１,１の極性切り替えは、対照基準とＷＢ試料とを区別するために使用されうる。
【０１６５】
図１４Ａは、本開示の態様による、様々な対照基準に印加された図８Ｄの第２入力信号の第１から第３のパルスに対して応答する電流の測定値を示すグラフである。種々の対照基準は、低い（グルコース約４５ｍｇ／ｄＬを示す）、正常の（約１１０ｍｇ／ｄＬグルコースを示す）、又は高い（約３００ｍｇ／ｄＬを示す）グルコースレベルを有し、そして対照基準の３つの異なるロット（ロットＡ、Ｂ、又はＣによって指示された）からのものである。図１４Ｂは、本開示の態様による、様々なＷＢ試料に印加された図８Ｄの第２入力信号の第１パルスから第３パルスに対応して測定された電流を示すグラフである。種々のＷＢ試料は、１５％、４３％、又は６５％の様々なヘマトクリットレベル、及び５０、９０、２５０、又は５００ｍｇ／ｄＬの様々なグルコース濃度を有する。
【０１６６】
図１４Ａに示されたように、第２入力信号の第１のパルス、具体的には、裸電極１１８と対向電極１１６との間に印加された０．２５Ｖ、に対応して測定された電流は負である。対照的に、図１４Ｂに示されたように、様々なＷＢ試料に印加された同じパルスに対する応答において測定された電流は正である。第２入力信号の０．２５Ｖの第１のパルスに対する応答における対照基準についての結果として生じる負の電流と、同じパルスに対する応答におけるＷＢ試料についての結果として生じる正の電流とに基づいて、ゼロに近い閾値又は測定された電流の極性スイッチは、試料が対照基準であるかＷＢ試料であるかを示しうる。図１４Ｃは、本開示の態様による、図１４Ａの対照基準へ印加された図８Ｄの第３のＨct入力信号に加えて、第２入力信号の第３及び第４のパルスに対応する電流の測定値を示すグラフである。図１４Ｄは、本開示の態様による、図１４Ｂの様々なＷＢ試料に印加された図８Ｄの第３のＨct入力信号に加えて第２入力信号の第３及び第４のパルスに対応する電流の測定値を示すグラフである。
【０１６７】
０．２Ｖより低い電位で、ＷＢ試料からの電流ｉＧ１,１値もまた負になる。０．３Ｖで、対照基準のｉＧ１,１値は正にまで上昇しうる。対照基準のｐＨは６．５〜７．０の範囲で負の値を示す。はるかに高いｐＨ値（例えば７．５以上）で、対照基準のｉＧ１,１値は正になる。負のｉＧ１,１電流は、対照基準が０．２５Ｖの還元電位でわずかに平衡状態にあり、一方ＷＢ試料は０．２５Ｖのわずかの酸化電位で平衡にされることを示している。この挙動は、対照基準からＷＢ試料への極性切り替えを示しているように見えるが、この挙動はゼロ付近の閾値電流以上のことを示している。試料の種類を分離するこの閾値は、操作条件に依存して変わりうる。他の閾値電流値が、他の因子、例えば、操作電位、対照基準ｐＨ、及び緩衝液濃度に依存して可能でありうる。例えば、０．２５Ｖでの動作電位は、対向電極でのＭＬＢメディエーターのレドックス電位に関連している。フェリシアン化物がＭＬＢよりも約１５０〜２００ｍＶ高いレドックス電位を有するメディエーターである場合、動作電位は閾値をほぼゼロに維持するために約０．０５〜０．１Ｖである必要がある。
【０１６８】
試料が対照基準であるか生体試料であるかを示す電流の極性に加えて又はその代わりに、第２入力信号の１つ以上のパルスに対応する電流の減衰特性を、単独で又は第１入力信号は、対照基準と生物学的試料とを区別するために使用されうる。
【０１６９】
図１５は、ビス-トリス（bis-tris）に基づくＷＢ試料及び対照基準溶液における１．０Ｖでの第２の入力パルスからの減衰の比較を示す。ＷＢ試料においては急峻な減衰があり、ビス-トリス緩衝液に基づく対照基準溶液においては浅い減衰があることが観察された。いくつかの態様によれば、減衰特性は、式（１）において以下のように定義されるパラメータＤＧ４によって表すことができる。
ＤＧ４＝iＧ４-first／iＧ４-ending−１          （１）
他の類似のパラメータ、例えばＲＧ４（＝iＧ４,nth／iＧ４,1st）は、対照基準とＷＢ試料との間の類似の比較結果を用いて減衰特性を表すために用いられうる。
【０１７０】
バイオセンサシステムと共に使用される単一の正しい対照基準を選択するためにバイオセンサシステムのユーザに依存するのではなく、システム１００は、複数の異なる対照基準を区別し、それに応じて動作することができる。ユーザが特定のバイオセンサシステムにとって好ましくない対照基準を誤って使用するというシナリオの下では、システムは、対照基準が好ましい対照基準ではないと判断し、その機能及び／又は動作を、検出された特定の対照基準のタイプに基づいて適切に修正することができる。いくつかの態様において、バイオセンサシステムは、バイオセンサシステムが別の定数を有するように実装されている場合に、別の較正定数に基づく対照基準測定値を提供することができる。あるいは、バイオセンサシステムは、使用されている対照基準が好ましい対照基準ではないことを示し、好ましい対照基準を使用するようにユーザへ指示を提供する。
【０１７１】
上記によれば、３つ以上の試料のタイプの間の、例えば２つ以上の所定のタイプの対照基準の間の、差別化が可能である。微分指数を計算するための電流を生成するために高電圧での添加された対照基準マーカの直接酸化に依存する従来の方法とは異なり、添加された対照基準マーカ有するか又は有しない対照基準中の作用電極の動作電位に等しいか又はそれに近い電位で測定された第２入力信号のパルスからの電流が、使用されうる。以下は、第２出力信号からの情報（単独で、又は第１入力信号からの情報と組み合わせて）がどのようにして異なる対照基準間を区別するのに用いられることができるのかの追加の例である。
【０１７２】
図８Ｄに示されたパルス系列は、０.２５Ｖでの第２電極入力パルスに対する対照基準の応答を試験するための５つの異なる緩衝系に基づく対照基準に印加された。５つの緩衝系は、ｐＨ６．５で１００ｍＭのリン酸イオン、ｐＨ７で２０ｍＭのTrizm（商標）アセテート、ｐＨ７で２０ｍＭのＡＤＡ、ｐＨ６．７で２ｍＭのＨＥＰＥＳ、及びｐＨ６．５でのビス-トリスであった。結果は、図１６Ａに、ｉＧ１,１対ＤＧ４のプロットととして示されている。
【０１７３】
具体的には、図１６Ａは、本開示の態様による、図８Ｄの入力信号に基づく、ＷＢ試料及び対照基準のための、電流の測定値対パラメータＤＧ４のグラフである。示されたように２７０のＷＢ試料について、結果の電流ｉＧ１,１の９８．９％が正又は０であったが、５つの対照基準の電流ｉＧ１,１のすべてがＷＢ試料のいずれの値よりも負であった。ＷＢ試料の化学反応は複雑であるが、支配的に正のｉＧ１,１電流を与えた。対照的に、対照基準は、それらの製剤に関して一貫しており、一貫して陰性の電流を与えた。従って、５つの緩衝系は、対向電極でのセンサメディエーター酸化還元電位に対して０．２５Ｖでのわずかに負の電流を与えた。５つの緩衝系のＤＧ４値は、０．２〜３．５まで変化したが、ｉＧ１,１電流はすべて負であった。従って、ＷＢ試料の特徴的な挙動はわずかに酸化的な電流であり、且つ対照基準の特徴的な挙動は、ＷＢ試料を水溶液（ここで２つ以上の水溶液がＷＢと反対の挙動を示した）から区別されるための境界を形成する僅かな還元電流である。従って、ｉＧ１,１の電流対パラメータＤＧ４の比較、又はｉＧ１,１の電流をそれ自体との比較は、ＷＢ試料と対照基準とを区別することができる。閾値は、対照基準溶液をＷＢ試料から分離するようにわずかに負に設定されうる。
【０１７４】
境界がほぼゼロであることが生じるという事実は、バイオセンサシステムの構築及び処方（例えば、作用電極１１４のための特定の試薬）及び裸電極と対向電極との間の０．２５Ｖでの動作電位の条件下で、ＷＢ試料のわずかな酸化部分及び対照基準のわずかな還元部分を反映している。この特性の違いは、原則として、ゼロ付近の閾値に対する電流ｉＧ１,１の極性切り替えを表し、第２入力信号の０．２５Ｖパルスに対する応答における第２出力信号の第１の電流に基づいてＷＢ試料と対照基準とを区別を提供する。０．２Ｖ以下で、ＷＢ試料電流ｉＧ１,１は負にシフトさせられた。０．３Ｖで、対照基準の電流ｉＧ１,１は正にシフトさせられた。異なる試薬、例えば異なるメディエータ（例えば、フェリシアン化物）を有するバイオセンサシステムでは、分割境界又は極性の切り替えは、別のメディエーターの電位シフトのために、裸電極と対電極との間の別の動作電位で起こりうる。
【０１７５】
図１６Ｂはさらに、ｐＨ６．５での２０、５０、及び１００ｍＭの３つの異なる緩衝液濃度を有するリン酸塩ベースの対照基準溶液からのｉＧ１,１電流を示した。ＤＧ４値は緩衝液の濃度によって変化したが、ｉＧ１,１電流は、いずれも閾値の点線よりも低く、ＷＢｉＧ１,１電流の値から対照基準溶液の値を分離した。
【０１７６】
インジケータの１つとしてのｉＧ１,１電流に加えて、裸電極パルスの終了電流もまた、ＷＢ試料から対照基準を区別するために用いられうる。これは、図１６ＣのｉＧ２,nth対ＤＧ４のプロットに示されている。ここで、ＷＢ試料データ点は、プロットの右上領域にクラスタリングされている。すなわち、ＷＢ試料のデータ点は、１（“ｍＶ”）以上の領域及びパラメータＤＧ４の２つ以上の領域にクラスタリングされる。ビス-トリスの対照基準に対して、ＷＢ試料及び対照基準は、ＤＧ４のインジケータに基づいて、そしてより少ない程度でＨＥＰＥＳ対照基準システムに基づいて良好に区別されうる。これは、垂直境界及び水平境界に基づく閾値によってシステム内に容易に実装されうる。
【０１７７】
図１６Ｄは、本開示の態様による、３つのｐＨ６．５、７、及び７．５、及び３つの緩衝液濃度２０、５０、及び１００ｍＭの組み合わせでのTrizma（商標）アセテート緩衝液ベースの対照基準試料についての電流ｉＧ１,１対パラメータＤＧ４を示すグラフである。具体的には図１６Ｄは、Trizma（商標）アセテート対照基準についての電流ｉＧ１,１に対する緩衝液濃度及びｐＨの複合効果を示す。より低いｐＨがより負の電流ｉＧ１,１を与える傾向があり、それにより負の極性を増強する。電流ｉＧ１,１とパラメータＤＧ４の組み合わせは、またＷＢ試料と対照基準を区別するためにＡＤＡ緩衝システムに適用される。
【０１７８】
図１６Ｅは、本開示の態様による、３つのｐＨ６．５、７、及び７．５の及び３つの緩衝液濃度２０、５０、及び１００ｍＭの組み合わせにおけるＡＤＡ対照基準についての電流ｉＧ１,１対パラメータＤＧ４を示すグラフである。電流ｉＧ１,１とＤＧ４との組み合わせは、ＷＢ試料及び対照基準を区別するためにＡＤＡ対照基準にも適用される。
【０１７９】
図１６Ｆは、本開示の態様による、３つのｐＨ６．５、７、及び７．５と、３つの緩衝剤濃度２０、５０、及び１００ｍＭとの組み合わせにおけるビス-トリス対照基準についての電流ｉＧ１,１対パラメータＤＧ４を示すグラフである。ｉＧ１,１電流は、対照基準溶液のより高いｐＨ値で境界を横切る傾向があったが、対照基準をＷＢ試料と区別するためにＤＧ４軸に広いマージンがあった。図１６Ｆにおいて、ビス-トリス対照基準のｐＨは、電流ｉＧ１,１極性に有意に影響し、ｐＨ７又はそれよりわずかに上では、電流ｉＧ１,１のいくつかが０より上になった。ｐＨの８．１５では、電流ｉＧ１,１のすべてが正だった。しかし、ＷＢ試料とビス-トリス対照基準との間の差異は、図１６Ｆの広いマージンによって示されたように、パラメータＤＧ４によって主として決定される。この傾向は、ビス-トリス濃度（例えば、２０、５０、及び１００ｍＭビス-トリス）とは無関係である。
【０１８０】
異なるパラメータは、異なる緩衝液に基づく対照基準により適している可能性がある。第２出力信号から計算することができる他のパラメータは、上で定義されたＲＧ３１、ＲＧ３２、ＲＧ４１、ＲＧ４２、及びＲＧ４３を含む。最適対照基準処方（例えば、ｐＨ及び／又は緩衝液濃度）及び第２入力信号パルスにおける動作電位の選択は、１つの対照基準システムのために特定のパラメータを高めうる。いくつかの態様によれば、ＷＢ試料及び対照基準を区別するための２つ以上の指標が存在しうる。
【０１８１】
図１６Ａ〜１６Ｆの破線及び／又は点線は、バイオセンサシステム内にプログラムされた閾値を表すことができ、その閾値は、対照基準と非対照基準との間での試料及び／又は異なる対照基準間での試料を区別するために、電流及び／又は電流に基づいたパラメータとの比較において用いられうる。
【０１８２】
試料タイプが対照基準であると決定された後、それはさらに別の１つの特定のタイプの対照基準としてさらに区別されうる。図８Ｂの入力信号は、２つの対照基準に加えて、ラボＷＢ試料及びドナーＷＢ試料を含む様々な試料に印加された。ラボＷＢ試料は、５、１０、１５、２３、３３、４０、及び４５℃での、０、２０、４２、５５、及び７０％Ｈct値の、６０、３３０、及び５５０ ｍｇ／ｄＬのグルコース濃度に及ぶ３０００種類の試料を含む。ドナーＷＢ試料は、グルコース濃度及びＨct値の範囲をカバーする３６５２の異なる試料を含む。第１の対照基準にはニュージャージー州パーシッパニーのAscensia Diabetes Care社のCONTOUR（商標）CLASSICグルコースメーターの溶液が含まれていた。第２の対照基準にはニュージャージー州パーシッパニーのAscensia Diabetes Care社のCONTOUR（商標）NEXTグルコースメーターの溶液が含まれていた。
【０１８３】
図１７Ａは、ニュージャージー州パーシッパニーのAscensia Diabetes Care社のCONTOUR（商標）CLASSIC及びCONTOUR（商標）NEXT対照基準溶液についてのＤＧ４（ｉＧ４-first／ｉＧ４-ending−１）に対するｉＧ１,１のプロット、及び併せて、実験室研究（温度、グルコース濃度、及びヘマトクリット値を変えた）及びドナー研究からのＷＢ試料データを示している。ＤＧ４指標は、ＷＢデータ点から対照基準データ点を分離するために幅広いマージンを提供した。図示されているように、実験室のＷＢ試料では、１００％の電流ｉＧ１,１は正又は０であった。ドナーＷＢ試料では、電流ｉＧ１,１の９９．８６％が正又は０であった。したがって、ＷＢ試料は、対照的に、電流ｉＧ１,１の８５％以上の電流は、対照基準に対して負であった。
【０１８４】
図１７Ａにおいて、ＷＢ試料と対照基準とを分離するための主要パラメータは、パラメータＤＧ４であった。対照基準とＷＢ試料とに関するデータ間のパラメータＤＧ４軸には広いマージンがあった。オプションで、ＲＨＧ４パラメータ（ｉＨ-ending／ｉＧ４-ending）を使用することもできる。
【０１８５】
より良好な分離は、図１７Ｂに示されるように、ＤＧ４に対するＲＨＧ４の別の双方向プロットで提供することができる。対照基準データ点は、プロットの左下隅に２つの境界線で明確に区切られて示されている。パラメータＲＨＧ４については、ＲＨＧ４とＷＢ試料の％Ｈctとの間に逆相関があった。したがって、分離マージンは、７０％で最も高いヘマトクリットレベルと対照基準との間であった。
【０１８６】
パラメータＲＨＧ４及びＤＧ４に基づいてＷＢ試料と対照基準を区別した後、同じパラメータ又は１つ以上の追加のパラメータに基づいて追加の比較を行うことができる。追加の比較は、複数の異なる対照基準を区別しうる。
【０１８７】
例えば、一旦、試料タイプが対照基準であると決定されると、対照基準は、図１７Ｃに示されるように、２つの例示的なCONTOUR（商標）CLASSIC及びCONTOUR（商標）NEXTに適用された、複数の異なる対照基準からさらに分離することができる。ｉＧ４,４対ｉＨ,４電流（２．５Ｖヘマトクリットパルスの終了電流に対する１．０ＶのＧ４パルスの終了電流）の双方向プロットは、左下隅にCONTOUR（商標）NEXT対照基準をもたらす。図１７Ｃに示された比較は、図１７Ｂに示された比較に対応し、又はそれに続いて起こりうる。例えば、図１７Ｂの比較に基づいて試料が対照基準であると判定した後、図１７Ｃに示されるように、バイオセンサシステムは、特定のタイプの対照基準を決定するために、図１７Ｃに示されるような比較を行いうる。
【０１８８】
図１７Ａ〜１７Ｃの破線及び／又は点線は、バイオセンサシステムにプログラムされた閾値を表し、これは、対照基準と非対照基準との間で試料を区別及び／又は異なる対照基準間の区別をするために、電流及び／又は電流に基づいたパラメータの比較において用いられる。
【０１８９】
上述のパラメータに基づいて、バイオセンサシステムは、例えば対照基準とＷＢ試料との間、及び複数の異なる特定の対照基準の間での試料を区別するためのパラメータを決定しうる。試料を対照基準又はＷＢ試料として、又は複数の異なる特定の対照基準間の特定の対照基準として区別することに基づいて、バイオセンサシステムは、その決定された試料タイプによってその機能及び／又は動作を変更しうる。
【０１９０】
図１８は、本開示の態様による、血中グルコース監視装置を用いて溶液を分析するための方法１８００のフローチャートである。方法１８００は、バイオセンサシステム（例えば、上述されたバイオセンサシステム１００）により実行されうる。具体的には、方法１８００を実行するバイオセンサシステムは、血液試料（例えばＷＢ試料）中のグルコース濃度を決定するための装置でありうる。
【０１９１】
ステップ１８０２で、入力信号が、血糖モニター装置の裸電極を介して溶液に加えられる。裸電極は、本明細書に記載されたような何等かの裸電極（例えば、バイオセンサシステム１００の裸電極１１８）である。入力信号は、少なくとも１つの定電圧パルスを含む。いくつかの態様において、定電圧パルスは、０．２５Ｖの電位である。試料は、血液試料（例えば、ＷＢ試料）でありうる。
【０１９２】
入力信号が１つの定電圧パルスを含みうるが、いくつかの態様において、入力信号はさらに複数の電圧パルスを含みうる。複数の電圧パルスは、裸電極と対向電極との間に印加されうる。複数の電圧パルスの中には、前段落で説明した定電圧パルスがある。
【０１９３】
ステップ１８０４で、０．２５Ｖの電圧に対応して生成された出力電流に関して電流閾値との間で比較が行われる。測定された出力電流は、ステップ１８０２で印加された定電圧パルスに対応する電流である。
【０１９４】
いくつかの態様において、０．２５Ｖの電圧パルスに対応して生成される出力電流の極性が決定される。出力電流の極性は、ステップ１８０２で印加された定電圧パルスに基づいて生成された試料の出力電流を測定することにより決定される。次に、出力電流の極性は、例えば正又は負の電流であると決定される。この態様において、閾値は、極性、すなわち極性が正であるか負であるかに関係しうる。いくつかの態様において、極性は、定電圧パルスに対応して測定される初期電流である。したがって、定電圧パルスに対応して複数の電流が測定される場合、ステップ１８０４で、第１又は初期電流の極性が決定される。定電圧パルスは、０．２５Ｖである。
【０１９５】
ステップ１８０６で、溶液は、閾値との比較に、少なくとも部分的に、基づいて、対照基準又は血液試料として識別される。例えば、閾値以下の場合、溶液は対照基準として識別される。閾値を超える場合、溶液はＷＢ試料として識別される。しかし、ＷＢ試料を表す以下のような関係は、逆であってもよい。極性に関する閾値の場合、極性が負であれば、溶液は対照基準として識別される。極性が正である場合、溶液は、血液試料（例えばＷＢ試料）として識別される。
【０１９６】
対照基準又はＷＢ試料であるとの試料の決定に対応して、バイオセンサシステムは、追加の機能性及び／又は動作を開始するために必要とされるところのバイオセンサシステムへのさらなるユーザ入力なしに、追加の機能及び／又は動作を自動的に実行しうる。そのような追加の機能及び／又は動作は、例えば、バイオセンサシステムが、試料が対照基準であるとの決定に対応して正確に機能しているかどうかを決定する１つ以上の動作を実行すること及び／又はランさせることを含みうる。このような動作は、例えば、対照基準中の種の濃度を決定すること、及びバイオセンサシステムが設定公差内で動作しているかどうかを決定するためにその濃度を対照基準用の予め設定された標準濃度と比較すること、を含みうる。このような追加の機能及び／又は動作は、例えば、試料がＷＢ試料であると決定したことに対応して、試料中の検体（例えば、グルコース）の濃度を決定する１つ以上の動作を実行すること及び／又はランさせることを含みうる。従って、試料を対照基準又はＷＢ試料として決定するバイオセンサシステムの能力は、ユーザの介入なしに追加の機能及び／又は動作の自動開始を可能にし、このことは、バイオセンサシステムの使用を簡単化し、及び／又は誤り（例えば、バイオセンサシステムの使用の際の人為的な誤り）の潜在的可能性を低下させうる。
【０１９７】
入力信号が複数の電圧パルスを含む態様に対しては、溶液は、溶液を対照基準として特定することに応じて又はその後に、複数の電圧パルスに、少なくとも部分的に、基づいて、複数の所定の対照基準の中の所定の対照基準として識別されうる。
【０１９８】
この溶液は、パルスの電位と試料とに依存して、入力信号の初期電圧パルス及び最終電圧パルス（又は２つの中間のパルス）に、少なくとも部分的に、基づいて、複数の所定の対照基準のうちの１つの所定の対照基準として識別されうる。電圧パルスの１つ又は第１は、裸電極と対向電極との間に印加された０．２５Ｖの電位であり、そして、別の１つ又は最終の電圧パルスは、裸電極と対向電極との間に印加された１．０Ｖの電位でありうる。
【０１９９】
いくつかの態様において、第１の複数の電流が、初期又は１つの電圧パルスに対応して測定され、第２の複数の電流が、最終又は別の電圧パルスに対応して測定される。次に、溶液は、第１の複数の電流の初期電流と第２の複数の電流の最終電流に基づいて所定の対照基準として特定される。あるいは、対照基準又は血液試料としての溶液の識別は、初期電圧パルスに対応する第１の複数の電流の初期電流、第１の電圧パルスに対応する第２の複数の電流の初期電流、及び第１の電圧パルスに対応して第２の複数の電流の最終電流に、少なくとも部分的に、基づきうる。いくつかの態様において、対照基準または血液試料としての溶液の識別は、初期電圧パルスに対応した第１の複数の電流の初期電流と比較して、（ｉ）最終電圧パルスに対応した第２の複数の電流のうちの初期電流と、（ｉｉ）最終電圧パルスに対応した第２の複数の電流の最終電流との比に、少なくとも部分的に、基づいている。
【０２００】
図１９は、本開示の態様による、試料のタイプを決定するための方法１９００のフローチャートである。方法１９００は、バイオセンサシステム（例えば、上述されたバイオセンサシステム１００）により実行されうる。具体的には、方法１９００を実行するバイオセンサシステムは、血液試料（例えば、ＷＢ試料）中のグルコース濃度を決定するための装置でありうる。
【０２０１】
ステップ１９０２で、入力信号が、裸電極を介して試料に印加される。裸電極は、裸電極１１８に関して上述されたように構成されている。入力信号は、裸電極と対向電極との間に印加されうる。対向電極は、対向電極１１６に関して上述されたように構成されている。入力信号は、少なくとも２つの励起と１つの緩和とを有する。
【０２０２】
１の入力信号が試料に印加されるとして記載されているが、いくつかの態様においては、別の入力信号が上記入力信号と組み合わされて試料に印加されうる。組み合わせは上記の通りである。具体的には、組み合わせは、試薬を有する第１電極を介して別の入力信号を試料に印加することを含み、別の入力信号は少なくとも２つの励起と１つの緩和とを有し、別の入力信号の少なくとも２つの励起は、上記入力信号の少なくとも２つの励起と同時ではない。
【０２０３】
ステップ１９０４で、ステップ１９０２の入力信号に対応する出力信号が測定される。出力信号は、上述されたように（例えば測定デバイス１０２によって）測定されうる。上述された出力信号と同様に、出力信号は、入力信号の少なくとも２つの励起に対応して測定された電流を含む。いくつかの態様において、電流は少なくとも２つの電流を含む。これら少なくとも２つの電流は、入力信号の少なくとも２つのパルス又は励起のうちの１つに対応しうる。あるいは、これら少なくとも２つの電流の各１つは、入力信号の少なくとも２つのパルス若しくは励起の別のパルス若しくは励起に対応しうる。３つ以上の励起若しくはパルス及び／又は３つ以上の電流の場合に、同一の複数の励起に対応して測定された多数の電流と別の複数の励起に対応して測定された多数の電流との組み合わせが、存在しうる。
【０２０４】
ステップ１９０６で、１つ以上のパラメータが出力信号に基づいて決定される。上記１つ以上のパラメータは、電流の測定値に基づいて決定されうる。上記１つ以上のパラメータは、パルス内比、パルス間比、又はそれらの組み合わせに基づいて決定されうる。あるいは、上記１つ以上のパラメータは、電流、又は電流と比の組み合わせでありうる。上記１つ以上のパラメータは、試料のタイプ、いくつかの態様においては同じ試料のサブタイプ又は所定のタイプ、を区別しうるパラメータに基づいて選択される。
【０２０５】
ステップ１９０８で、１つ以上のパラメータが１つ以上の閾値と比較されて、試料のタイプが決定される。いくつかの態様においては、試料のタイプは２つのタイプの中から決定される。２つのタイプは、対照基準及び生物学的試料でありうる。対照基準は、方法１９００を実行するバイオセンサシステムが適切に機能しているか、又はバイオセンサシステムを較正するためか、あるいはその両方かを決定するためのものであってもよい。生物学的試料は、様々な生物学的試料、例えば、ＷＢ、血清、血漿、尿、唾液、間質液、又は細胞内液のうちの１つ以上を含む生物学的液体でありうる。
【０２０６】
いくつかの態様において、２つのタイプのうちの１つは、複数のサブタイプを含みうる。例えば、対照基準は、所定の対照基準又は特定のタイプの対照基準を含む様々なサブタイプを有しうる。試料は対照基準であるという決定に対応して、１つ以上のパラメータを１つ以上の追加の閾値と比較する追加のステップが、対照基準のサブタイプ、即ち具体的には所定の対照基準、を決定するために生紀しうる。
【０２０７】
いくつかの態様において、試料のタイプ、具体的には所定の対照基準を決定した後、方法１９００は、所定の対照基準の表示を、少なくとも部分的に、引き起こすことを含みうる。そのような表示は、特定の対照基準タイプをバイオセンサシステムのディスプレイ上に表示することを含みうる。
【０２０８】
代替又は追加として、試料のタイプ、具体的には所定の対照基準を決定した後、プロセス１９００を実行するバイオセンサシステムの動作は、決定された所定の対照基準に基づいて変更されうる。例えば、異なる方程式又は方程式の組がバイオセンサシステムの動作及び／又は較正が正しいかどうかを決定するために用いられた場合、用いられた特定の方程式は、動作及び／又は較正の検証のために使用される特定の所定の対照基準に依存しうる。バイオセンサシステムによって分析される所定の対照基準を決定すると、バイオセンサシステムは、決定された所定の対照基準に従って使用する適切な方程式を選択することができる。したがって、方法１９００を実行するように構成されたバイオセンサシステムのユーザは、バイオセンサシステムで多数の異なる対照基準の１つを使用することができる。バイオセンサシステムは、方法１９００の実行に対応して、使用されている特定の対照基準を識別し、その機能及び／又は動作を適切に変更しうる。こうしてユーザは、バイオセンサシステムについて正しい対照基準を選択することに頼らない。反対に、バイオセンサシステムは、方法１９００によって複数の異なる対照基準を受け入れることができ、そのことがバイオセンサシステムの使用を単純化し、及び／又は潜在的な誤差を低減しうる。
【０２０９】
追加又は代替として、対照基準と生物学的試料を区別するため、又は複数の異なる対照基準を区別するために、第２出力信号の分析は、単独で又は第１出力信号の分析と組み合わせて、バイオセンサシステム内の別の機能及び／又は動作を可能にする。そのような追加の分析、及び関連する機能及び／又は動作は、生物学的試料内の１以上の干渉種からの干渉効果の管理を提供しうる。
【０２１０】
干渉は、バイオセンサシステム、特に生物学的試料（例えばＷＢ）に用いられるバイオセンサシステムによる試料の検体決定において、共通の課題である。干渉の様式は、（ａ）酵素活性化反応を伴わずに標的検体と同時に作用電極で酸化された種、及び（ｂ）干渉物基質に対する非特異性のために酵素によって酸化された種，を含みうる。酸化可能な干渉種は、ＡＳＡ及びＤｏｐ、並びに程度は低いがＵＡ及びＡＡを含む。酵素感受性干渉種は、キシロースをＦＡＤ-ＧＤＨ酵素と共に含みうる。干渉の様式はまた、ヘマトクリットを示すために用いられた信号に影響を与える種を含みうる。干渉の余り明白でない様式はまた、微妙で否定的な仕方で電極の活性に影響を与える種を含みうる。
【０２１１】
干渉種は、内的種及び外的種に分けることができ、内的種は生物学的系又は人体に天然に存在するもの、例えばＤｏｐ及びＵＡであり、外的種は個体によって取り込まれたもの、例えばＡＳＡ、ＡＡ、及びキシロースである。標的検体に対する試薬を有する作用電極のみが電位を加えることによって励起されるようなバイオセンサシステムにおいて、干渉種の存在は、作用電極において検出されない。さらに、補助電極が単一の固定電位を提供するようなバイオセンサシステムにおいて、干渉種の存在はまた、補助電極において検出されない。
【０２１２】
干渉管理の目標は、干渉種からの影響を除去／最小化することである。実際に、干渉種は、バイオセンサシステムによる生物学的試料中の検体の分析中に遭遇しうる。そのような状況において、干渉種の影響は、検体濃度を決定するために使用されるバイオセンサシステムの出力信号の一部分として測定されうる。干渉種によるそのような干渉は、検出されないまま、検体の決定された濃度に影響を及ぼす可能性がある。従来のアプローチは、作用電極上に新しい試薬を導入することによって干渉物質の影響を緩和しようと試みみる。新しい試薬、例えば新しいメディエーターは、バイオセンサシステムの動作電位を低下させる可能性があり、それは次に生物学的試料における大抵の干渉種の影響を低下させる。
【０２１３】
干渉管理は、干渉信号及び／又は干渉効果を検出／認識するためのパラメータを計算するために用いられるところの信号を検出するバイオセンサシステムを提供する。具体的には、干渉管理の方法は、１つ以上の信号及び／又は干渉効果に関連する１つ以上のパラメータをソートすることを含み、その結果、干渉データ及び正常データは、閾値を有する所定の境界によって分離される。より具体的には、開示された方法は、相互に組み合わされた複数の入力信号をバイオセンサシステムに印加すること、及び入力信号に対応する信号を測定することを含む。得られた出力データはソートされ得、１つ以上の信号及び／又は１つ以上のパラメータは、通常のデータと干渉データとの間の境界を規定するように構成／定式化されうる。正常データと干渉データが分離されると、適切な措置が個々のケースの結果を管理するように講じられうる。例えば、個々のデータ点が正常データ領域内に識別される場合、閾値を有する分離マップによって規定されるように、検体濃度の通常の計算／補償が実行されうる。しかし、個々のデータ点が、無の／低い干渉と中程度の干渉との間の重なる可能性が高い領域内に識別される場合、特別な検体濃度の計算／補償が実行されうる。最後に、個々のデータ点が高干渉の領域内に識別される場合、このデータポイントは、分離マップに基づいて検出された高干渉信号／パラメータの故に除外されうる。
【０２１４】
グルコース濃度を測定するバイオセンサシステムの場合に、生物学的試料中の干渉種は、異なる方法でグルコース濃度測定を妨害する可能性がある。作用電極において直接酸化可能である干渉種が存在しうる。このような干渉種は、例えば、ＡＳＡ及びＤｏｐ（又はカテコールアミン）を含む。これらの種が酸化可能であるかどうかにかかわらず、試薬に敏感であり且つ追加の電子を生成する干渉種が存在しうる。そのような干渉種は、例えばグルコースの酵素ＦＡＤ-ＧＤＨに対するキシロースを含む。この干渉種は、大きな偏りを作りうる。ＦＡＤ-ＧＤＨ酵素からキシロースの影響を排除又は減少させるには、キシロース不感受性酵素が必要であり、これは、既存のバイオセンサシステム（既存のバイオセンサシステムのアルゴリズムを含む）との後方互換性がないこと、及び／又は、すべての干渉種に対しては化学的に可能ではないことによって費用が問題になりうる。
【０２１５】
他の干渉種は、必ずしも作用電極出力信号に正に寄与するとは限らないが、電極表面での電気化学反応、例えば作用電極のためのＡＡ及びＵＡに依然として影響を及ぼす可能性がある。他の干渉種は、試料のマトクリットレベル（例えば、誤ったヘマトクリット信号で補償することによりグルコース濃度の誤った決定を導く可能性があるＷＢ試料中のコレステロール及び遊離ヘモグロビン）を表すヘマトクリットパルスの出力信号に影響を及ぼしうる。
【０２１６】
干渉信号の影響は、作用電極における検体及び／又は試薬の効果と組み合わされるため、作用電極の出力信号からの影響を排除又は低減する方法はない。しかし、作用電極からのパルスと組み合わされた、異なる電位で脈動する裸電極を有する組み合わされたゲート入力信号に対して、結果として得られる測定電流を使用して、補償目的のための干渉種の影響を識別することができる。さらに、そのような干渉種のそのような検出は、キシロース非感受性酵素のような干渉種非感受性酵素に頼ることなく可能であり、新しいセンサを開発するコストを低減する可能性が高い。
【０２１７】
異なるパルスで異なる電位に置かれた裸電極で、得られる第２出力信号は、試料内の異なる干渉種の異なる挙動に関する信号を含む。第２出力信号又は第２出力信号から生成される１つ以上のパラメータは、単独で、及び／又は第１出力信号と組み合わされ、又は第１出力信号からの１つ以上のパラメータと組み合わされて、異なる挙動に基づいて干渉種の存在を検出するために分析されうる。
【０２１８】
例えば、作用電極（例えば、作用電極１１４）によって印加される第１入力信号の動作電位に等しい電位から開始して、裸電極（例えば、裸電極１１８）と対向電極（例えば、対向電極１１６）との間に第２入力信号として印加されたパルスは、同じ動作電位の第１入力信号に対応して検出される何れかの種をまず検出する。次に、第２入力信号パルスは、第１入力信号の動作電位では何らの検出可能な信号を示しえないが、第１入力信号に対応する第１出力信号への別の正及び／又は負の効果を依然として有する別の干渉種に対して、近距離および遠距離電位場を探索するために徐々に高い電位に進む。
【０２１９】
酸化可能な干渉効果を低減するための１つの方法として比較的低いレドックス電位を有するメディエーターの場合に、この戦略の１例は、ＭＬＢメディエーターの使用であり、このＭＬＢメディエーターにおいては、レドックス電位が従来のフェリシアン化メディエーターのそれよりも約２００ｍＶ低い。メディエーターとしてＭＬＢを使用した結果、ＡＡ及びＵＡによる作用電極からの出力信号に対する正の誤った影響は、ほとんど回避される。以下の表３〜表７は、ＷＢ試料中のいくつかの干渉種からの出力信号に対する典型的な効果を示す。 
【表３】
2019521343.tif 000010
【表４】
2019521343.tif 000011
【表５】
2019521343.tif 000012
【表６】
2019521343.tif 000013
【表７】
2019521343.tif 000014
【表８】
2019521343.tif 000015
【０２２０】
比較の目的のために、グルコース３００ｍｇ／ｄＬのブランクＷＢ試料、並びにこれに別途１３ｍｇ／ｄＬのＤｏｐ、１０ｍｇ／ｄＬのＡＡ、及び１０ｍｇ／ｄＬのＵＡをそれぞれ添加したもののそれぞれのボルタモグラムが、重ね合わされて図２０に示されている。基準として、グルコース測定のための試薬を有する主作用電極は、０．２５Ｖで動作され、これは図２０の垂直線の０．２５Ｖによって表されている。０．３５Ｖ及び０．５Ｖでの他の２つの動作電位も、垂直線におけるこれら２つの位置によって表されている。試薬の添加のない第２作用電極は標的検体グルコースを酸化することができないので、ブランクボルタモグラムは第２電極で非常に低い電流を示す。３００ｍｇ／ｄＬのグルコースのブランクＷＢ試料に１３ｍｇ／ｄＬのＤｏｐを添加すると、０．２５Ｖでの第２電極の出力電流は大幅に増加する。一方、ＡＡ及びＵＡの場合、各々の種の１０ｍｇ／ｄＬの添加レベルで、ボルタモグラムの０．２５Ｖでの電流の変化は事実上ない。電流の増加は、高電位（例えば０．３５Ｖ及び０．５Ｖ）の場合のみである。このように、Ｄｏｐ及びＡＳＡ（ここには示されていない）は、第１作用電極の出力電流に正に寄与する酸化可能な種である（表３）。図２０に示すように、ＡＡ及びＵＡは、０．２５Ｖでは酸化可能ではなく、おそらく、第１作用電極の出力電流に殆ど又は全く影響を及ぼさない。
【０２２１】
表３を参照すると、この表の例は、酸化可能な干渉化学種（Ｄｏｐ及びＡＳＡ）による正の効果を示す。グルコース中の誤差（％-偏り）は、結果として現在の誤差と同等であると予想される。典型的には、干渉の影響は、低グルコース濃度（約８０〜１２０ｍｇ／ｄＬ）でより顕著である。高グルコース濃度（約３００ｍｇ／ｄＬ）では、ＡＳＡ及びＤｏｐの場合の両方で見られるように、干渉効果はあまり重要でないか又は有意性がない。幸い、人体におけるＤｏｐの自然量は、試験された濃度（最も低い４ｍｇ／ｄＬの添加に対してＭＴＣ／ＵＲＶ＝０．０４ｍｇ／ｄＬ）よりもはるかに低い。ＭＴＣは潜在的な干渉化学種の最大治療濃度であり、一方ＵＲＶはその種の上限基準値であることに留意されたい。ドーパミンのＭＴＣ＝０．０４ｍｇ／ｄＬの結果として、例えＤｏｐが低グルコース濃度で比較的大きな正の％-偏りを与える潜在能力を有するとしても、Ｄｏｐの干渉から臨床的意義はないはずである。他方、外的物質としてのＡＳＡは、食物と共に（例えばオレンジジュースを飲むことで）取り込まれ、瞬時濃度はかなり高くなりうる。Ｄｏｐ及び／又はＡＳＡのように振る舞う別の潜在的干渉種は、出力電流に同様の影響を及ぼすはずである。
【０２２２】
表４は、標的検体（例えば、０．２５Ｖ）に関する試薬を有する第１電極と同等の電位で酸化されないように見えるところの干渉種（ＡＡ及びＵＡ）からの効果の例を提示する。ＡＡ及びＵＡのボルタモグラムは０．２５Ｖでほとんど活性を示さないが、ＡＡ及びＵＡを添加した干渉試験は、ＡＡに対してわずかに負の効果を示し、８０ｍｇ／ｄＬのグルコースレベルでＵＡに対する中程度の負の効果を示す。これらの微妙な負の影響は、個々の干渉種（図２０のＡＡ及びＵＡ）の単純なボルタンメトリー挙動によって予測することはできず、そして、これらの酸化を単純に回避するのに頼るのではなく、より良い方法がＡＡ及びＵＡの検出のために必要である。
【０２２３】
表５は、添加されたＢＲＢ及びＰＡＭの効果の例を提示する。追加されたＢＲＢからの影響はないが、添加されたＰＡＭは、ｉＭ６,５電流にわずかな負の影響を及ぼす。添加されたＰＡＭを有するグルコースセンサーの挙動は、ＵＡを有する場合と同様であり、そしてＰＡＭの微妙な効果を考慮する必要がある。
【０２２４】
表６は、２組のキシロース干渉試験を提示する。キシロースからの正の偏りは、グルコースデヒドロゲナーゼ酵素（ＦＡＤ-ＧＤＨ）のキシロースに対する感受性によるものである。キシロースからの正の誤差は、低グルコース濃度で顕著であるが、高グルコース濃度では減少する。キシロースの使用は、主に胃腸吸収不良検査であり、これは最近減少している。にもかかわらず、これに遭遇した場合には、キシロース干渉効果は相当に大きくなりうる。
【０２２５】
表７は、ＨＢ干渉研究に関する試験結果を提示する。主電極（ｉＭ６,５電流）に及ぼす影響は、低グルコースではないものから高グルコースで僅かに負のもの範囲であるけが、主要な効果がヘマトクリット信号ｉＨ,４に示される。ブランク試料が４２％Ｈctである場合、１２ｇ／ｄＬの高添加ＨＢレベルでのブランク試料に対するｉＨ,４電流の２６％の負の偏りは、５５％のヘマトクリットレベルを表し、ひいては、ｉＨ,４電流に基づいて過補償になる。
【０２２６】
表８は、コレステロール干渉の研究に関する試験結果を提示する。主電極電流（ｉＭ６,５）に対するコレステロールの最高添加レベルの影響は、ベースライン・グルコース８０及び３００ｍｇ／ｄＬの両方で中程度の〜１０％であるが、標的検体電極の出力電流に対するコレステロールの中程度の添加（１５０〜２５０ｍｇ／ｄＬ）の影響は、負の傾向があるが無視できるほど小さい。しかし、ベースライン・グルコース８０及び３００ｍｇ／ｄＬの両方へのコレステロールの添加が増加するにつれて、Ｈct信号（電流ｉＨ-４）に中程度から高い負の影響がある。Ｈct信号のこれらの変化は、補償方程式への入力を介して標的検体の誤った決定を引き起こすのに十分である。
【０２２７】
第１作用電極の出力電流に対する個々の種の微妙な影響が与えられる場合に、第２作用電極からの電流を比例的に第１作用電極の出力電流のための補償アルゴリズムに入力することによって簡単な減法的な補償を行うことは、効果的ではない可能性がある。系統的に、様々な干渉種の干渉効果を管理することは、干渉検出に関連する１つ以上の信号及び／又は１つ以上のパラメータに関してデータをソートすることによって達成されうる。以下は、関連するパラメータの観点からの正常データと干渉データのソートと分離の例である。多かれ少なかれ酸化的な性質を有する干渉種は、裸電極のパルス比、例えば、ＲＧ１４（それぞれ０．２５Ｖ及び１．０ＶでのｉＧ１,４／ｉＧ４,４）、ＲＧ２４（それぞれ０．３５Ｖ及び１．０ＶでのｉＧ２,４／ｉＧ４,４）、及びＲＧ３４（それぞれ０．５Ｖ及び１．０ＶでのｉＧ３,４／ｉＧ４,４）によって分類的に特徴付けられうる。これらのパラメータは、干渉試験の結果として図２１Ａ及び図２１Ｂにその全範囲がプロットされている。ＷＢ試料中の１．０Ｖでの電気化学パルスが比較的一定の電流を提供するので、１.０Ｖの電流に対する０．２５Ｖ、０．３５Ｖ及び０．５Ｖでの電流の比を取ることは、すべての酸化可能な種に対して異なる電位での干渉効果を正規化する。様々な種の干渉効果を示す１つの方法は、ＲＧ１４に対するＲＧ３４、及びＲＧ１４に対するＲＧ２４をプロットすることである。これらのプロットは、Ｄｏｐ、ＡＳＡ、ＡＡ、ＵＡ、ＢＲＢ、及びＸＹの干渉種に対して、ラボ研究及びドナー研究からのデータと共に、図２１Ａ及び２１Ｂに示される。
【０２２８】
図２１Ａ及び図２１Ｂから、干渉種が存在しないか又は低いラボ研究及びドナー研究からのデータ点（正常データ）は、実質的にＲＧ１４が約０〜０．０３５及びＲＧ３４が約０〜０．２５内の左下コーナーに位置することが判る。異なる種のより詳細な分布は、図２１Ｃ及び更に拡大されたｘ軸とｙ軸を有する図２１Ｄに示されうる。非電気化学的に酸化可能な種であるＢＲＢ及びキシロースについては、これらもこの領域内にある。しかし、０．２５Ｖ（又は第１作用電極の同じ動作電位）での、及びその前後での電気化学的に活性な種、例えば、Ｄｏｐ、及びより少ない程度であるがＡＳについては、データは、ＲＧ１４軸に沿って延在する水平方向に沿って表されている。一方、０．２５Ｖでは電気化学的に活性が低いがより高い電位ではより活性が高い種（例えば、ＡＡ及びＵＡ）については、データは、ＲＧ３４軸に沿って延在する垂直方向に沿って表される。この特性はさらに、図２１ＢにおいてＲＧ１４に対するＲＧ３４のプロットとして示される。正常データと干渉データとの間の分離の閾値は、バイオセンサシステムメモリ記憶装置に記憶される。一度、データセットが測定されると、関連するパラメータが計算され閾値と比較される。干渉種は、正確な干渉種の識別が必要でないように、これらの閾値を参照することによって分類的に検出される。Ｄｏｐ、ＡＳＡ、ＵＡ、及びＡＡ以外の種は、それらの関連パラメータが、ＲＧ１４に対するＲＧ３４又はＲＧ１４に対するＲＧ２４の領域（例えば図２１Ｃ及び図２１Ｄ内の領域）の規定された範囲に入る限り検出されうる。関連パラメータと事前設定された閾値との比較に基づいて、バイオセンサシステムは、通常の補償アルゴリズムに基づいてグルコース測定値を計算し報告すること、、エンドユーザに警告を提供すること、干渉効果に対して補償すること、試験結果を却下すること、又はそれらの組み合わせに関して決定を下しように管理されうる。
【０２２９】
同様に重要なことは、測定された信号に関して正常データから干渉データをソートし及び分離することであり、これは。図２１Ｅ〜２１Ｈの例のプロットで示されている。すべての図において、「ラボ」は、５〜４５℃の温度、０〜７０％のヘマトクリット、及び離散値レベルでの５０〜６００ｍｇ／ｄＬのグルコースでの実験室の試験から取得されたデータを表す。「ドナー」は、周囲の室温（２０〜２４℃）でのランダムグルコース濃度及びヘマトクリット値を用いた内部ドナー研究からのデータを表す。個々の干渉試験結果は、表１〜８に示されている。図２１Ｅは、電流Ｇ１４及び電流Ｇ４４に関して、実験室及びドナー研究データからのＡＳＡ及びＤｏｐデータのソート及び分離を表す。Ｇ１パルスが主パルスＭ３、Ｍ４、Ｍ５、Ｍ６と同じ電位である０.２５Ｖで動作させられるので、直線ｙ＝０.０４*ｘ（ここで、ｙはｉＧ１,４であり、ｙはｉＧ４,４である）によって画定された分離限界を超える正の信号は、これらの２つの種からの検体濃度の正常な計算／補償に関して耐え難い干渉レベルを意味する。同様に、図２１Ｆは、電流Ｇ３４及び電流Ｇ４４に関する実験室研究及びドナー研究のデータからのＡＡ、ＵＡ、及ＰＡＭデータのソート及び分離を表示する。Ｇ３パルスは、主電極の０．２５Ｖでの動作電位での近傍距離を探索するように０．５Ｖの電位で動作するので、分離限界を超える正の信号は、直線ｙ＝０.２２*ｘ（ここで、ｙはｉＧ３,４であり、ｘはｉＧ４,４である）を画定した分離限界を超える正の信号は、これらの種からの検体濃度の正常な計算／補償に関して耐え難い干渉レベルを意味する。さらに、図２１Ｇは、温度に対する電流ｉＧ４,４に関して、実験室研究及びドナー研究のデータからのＰＡＭデータのソート及び分離を示す。高電流ｉＧ４,４は、この干渉種の独自の識別法を提供する。最後に、図２１Ｈは、電流ｉＧ４,４に対するパラメータＲＧ４３−ＲＧ３２に関する実験室研究及びドナー研究のデータからのＨＢデータのソートと分離を示している。これは、パラメータと測定信号を組み合わせることによるソートと分離の独自の例である。すべての例において、干渉信号の高レベルを強調する特別なアルゴリズムが、通常の計算／補償アルゴリズムの代わりに、計算／補償に用いられている。
【０２３０】
実験室研究及びドナー研究からの、並びに干渉種からの正常試料のデータ分布に基づいて、干渉の検出、補償、及び除去の戦略は以下のように決定された。（Ａ）ＲＧ１４値がＲＧ１４_limit１（例えば０．０３５）より下に、且つＲＧ３４値がＲＧ３４_limit1（例えば０．３）より下の場合に、原信号と変換関数からの出力結果とに対する通常の補償は、1次の及び残余の補償により提供されるように実行される。（Ｂ）ＲＧ１４値がＲＧ１４_limit１（０．０３５）とＲＧ１４_limit2（例えば０．０８）との間にあり、且つＲＧ３４値がＲＧ３４_limit1（０．３）とＲＧ３４_limit2（例えば０．６）との間にある場合に、特別な補償は、第１作用電極の出力信号に対する影響を除去するために、これらのパラメータ及び別の関連するパラメータからの有意な入力を備える。（Ｃ）ＲＧ１４値がＲＧ１４_limit2の外にあるか、又はＲＧ３４値がＲＧ３４_limit2の範囲外にある場合に、データ点の除外が発生しうる。これらの３つの領域は図２１Ａに示されている。
【０２３１】
図２２Ａ〜図２２Ｄを参照すると、これらの図は、本開示の態様による、様々な異なる干渉種のための通常のアルゴリズムによる補償結果と比較した特別なアルゴリズムによる補償結果の例を提示している。具体的には、図２２Ａは、特別なアルゴリズムの補償結果を、ＡＳＡに対する通常のアルゴリズムの補償結果と比較して示す。図２２Ｂは、特別なアルゴリズムの補償結果を、ＵＡに対する通常のアルゴリズムの補償結果と比較して示す。図２２Ｃは、特別のアルゴリズムの補償結果を、ＰＡＭに対する通常のアルゴリズムの補償結果と比較して示す。図２２Ｄは、特別のアルゴリズムの補償結果を、ＨＢの通常のアルゴリズムの補償結果と比較して示す。図２２Ａ〜図２２Ｄにおけるｘ軸は、２つの基準線、即ち、８０ｍｇ／ｄＬ（ｘ軸上の中心からデータ点まで）と３００ｍｇ／ｄＬ（ｘ軸上の中心点のデータ点）であるグルコース濃度のそれぞれに対して、それぞれＡＳＡ、ＵＡ、ＰＡＭ、及びＨＢの添加された濃度（ＡＳＡ、ＵＡ、及びＰＡＭについてｍｇ／ｄＬ、そしてＨＢについてはｇ／ｄＬで表す）を表している。ここで、繰り返されたｘ軸の値は、干渉種（例えば、ＡＳＡ、ＵＡ、ＰＡＭ、及びＨＢ）の同じ濃度に対する多数のデータ点を表している。正常な補償結果については、添加された高い干渉レベル（例えば、８０ｍｇ／ｄＬの基準線グルコースへの８及び１２ｍｇ／ｄＬのＡＳＡの添加、２５及び４０ｍｇ／ｄＬの添加ＵＡ、１０２及び２０５ｍｇ／ｄＬの添加ＰＡＭ、及び１２ｇ／ｄＬの添加ヘモグロビン）で、大きな偏りが示されうる。ＡＳＡ及びＵＡに対する干渉管理は、図２１Ｃに示されたソート及び分離における境界値に依存しうる。一方、ＰＡＭ及びＨＢについての干渉管理は、図２１Ｃに示すように、それぞれ図２１Ｆ及び２１Ｇに示されたソート及び分離の境界値に依存しうる。
【０２３２】
しかし、キシロースを検出するには、直接の電気化学的酸化からの信号は、添加試薬を有していない第２電極から得ることは容易でなく、ひいては従来法基づいては不可能でないにしても、キシロース干渉効果を検出し且つ分離することは困難になる。キシロースに感受性のない酵素を使用することが、キシロース効果を回避する唯一の選択肢であった。しかし、本開示の概念によって、組み合わされた複数の入力信号からの出力信号を処理することにより、或る範囲のキシロースが検出される得、そしてキシロースで汚染されたグルコース測定値が或る基準に基づいて除外されうることが示される。
【０２３３】
図２３Ａ及び２３Ｂは、本開示の態様による、室温（ＲＴ）での高度に偏ったレベルでのキシロースの検出が、第１、第２出力信号、及び／又はこの両方の組み合わせの出力信号を処理することから得られる情報で、どのように可能かを示すグラフである。図２３Ａ及び２３Ｂのグラフにおいて、パラメータＭ６Ｇ４及びＲ６１（上で規定されたように）は、実験室研究からのデータ、及び８０又は３００ｍｇ／ｄＬの基準線グルコースでのキシロース干渉研究についてのパラメータＲ６５（同じく上で規定されたように）に対してプロットされている。これらのパラメータは、第２出力信号に関連する第１出力信号に基づいている。
【０２３４】
図２３Ａは、通常の実験室研究（４３〜６００ｍｇ／ｄＬの範囲のグルコースと２０〜６０％ｎｉの範囲の％‐Ｈctとを有する、新鮮な静脈試料及び２２±２℃の室温で試験された変化した静脈試料）からのデータ、並びに室温及び４２％‐Ｈctでの２つのキシロース干渉研究（キシロース研究１：８０及び３００ｍｇ／ｄＬの基準線グルコースのＷＢ試料に０、５０、１００、及び２００ｍｇ／ｄＬのキシロースを添加したもの；キシロース研究２：５０、１１０、及び１８０ｍｇ／ｄＬの基準線グルコースのＷＢ試料に０、５０、１００、及び２００ｍｇ／ｄＬのキシロースを添加したもの）からのデータについての、Ｒ６５に対するＭ６Ｇ４（Ｍ６Ｇ４＝ｉＭ６,５／ｉＧ４,４）のプロットを示している。図２３Ｂは、同じ研究からのデータについてのＲ６５に対するＲ６１のプロットを示す。
【０２３５】
図２３Ａ及び図２３Ｂから、パラメータＲ６５に対するパラメータＭ６Ｇ４及びＲ６１の両者は、正常なグルコースのデータからキシロースを検出及び分離するための非常に顕著なパターンを提供することが判る。いかなる理論にも拘束されることを望むことなく、これら２つのプロットは、キシロース検出に関して２つの異なるキシロースＷＢ挙動に光を当てる。第１に、短時間での及びより後期での、グルコースとキシロースとに対する酵素反応にいくらかの速度差が存在しうる。これは、Ｒ６１とＲ６５のパルス間比によって捕捉され、そしてＲ６１対Ｒ６５にプロットされ、最後のパルスに対するパルス１及びパルス５のパルス間比は、初期での及びより後期でのこの速度差の微妙な記録を提供しうる。第２に、キシロースの種々の電位パルスでの裸電極パルス電流に対する微妙な効果があるが、１．０Ｖではより大きな程度の効果がある。この微妙な効果は、通常のＷＢ試料に対する出力信号の減衰として表される。結果的に、パルスＧ４に対するパルスＭ６の比は、Ｍ６Ｇ４対Ｒ６５のプロットにおける通常のＷＢ試料データよりも上昇する。
【０２３６】
図２３Ａ及び２３Ｂによれば、両方のプロットはキシロースの検出のために提供しうる。しかし、図２３Ｂは、Ｇパルス信号を用いずに、主電極（標的検体、例えばグルコースに対する試薬を有する電極）のみからの測定信号を用いてキシロースを検出する１例を示す。この検出方法は、一般的なゲート電流の測定法を用いて実施することができ、これは参照により本明細書に組み込まれる。
【０２３７】
キシロースについての干渉データから正常データを選別し分離することは、Ｒ６５値の温度補正によりＲ６５値を調整することにより、さらに改善されうる。図２４Ａ〜図２４Ｃは、温度効果の補正の前後並びに温度及びヘマトクリットの影響の補正後のＭ６Ｇ４対Ｒ６５プロットを示す。具体的には、図２４Ａは、温度補正前のＭ６Ｇ４対Ｒ６５の関係を示している。図２４Ｂは、温度補正後のＭ６Ｇ４対Ｒ６５の関係を示す。図２４Ｃは、温度補正とヘマトクリット補正後のＭ６Ｇ４対Ｒ６５の関係を示す。同様に、図２４Ｄ〜図２４Ｆは、温度効果の補正の前後並びに温度及びヘマトクリットの影響の補正後のＲ６１対Ｒ６５のプロットを示す。具体的には、図２４Ｄは、温度補正前のＲ６１対Ｒ６５の関係を示す。図２４Ｅは、温度補正後のＲ６１対Ｒ６５の関係を示す。図２４Ｆは、温度補正とヘマトクリット補正後のＲ６１対Ｒ６５の関係を示す。Ｒ６５に対する温度効果の補正は、多くの方法で行うことができる。そのような補正方法の１つは、式（２）である。
Ｒ６５_Ｔ＝Ｒ６５＊ｅｘｐ（TempCo＊（２５℃-Ｔ））   （２）
ここで、２５℃は温度の基準点であり、Ｒ６５は補正されていない値であり、Ｒ６５_Ｔは温度補正値であり、TempCoは％-変化／℃での温度係数であり、温度の関数である。既存のＲ６５データに基づいて、Ｒ６５の温度係数は次のように設定される。Ｔ＜１２℃の場合にTempCo＝−.００７５であり、１２℃＜Ｔ＜１９℃の場合にTempCo＝−.００６であり、１９℃＜Ｔ＜２６℃の場合にTempCo＝−０.００４５であり、２６℃＜Ｔ＜３３℃の場合にTempCo＝−０.００１５であり、３３℃以上でTempCo＝０である。次の関係により、Ｒ６５に対する小さなヘマトクリット効果がある：Ｒ６５_Ｔ＝−０.００００１＊ｉＨ-４＋１.０３２４、ここで、Ｒ６５_Ｔは温度補正されたＲ６５値であり、ｉＨ-４はＨctパルスの終了電流である。ｉＨ-４値に基づくＲ６５_Ｔに対するヘマトクリット効果は、Ｒ６５_Ｔ対ｉＨ-４の関係に基づいてＲ６５分布をさらに調整するように補正しる。Ｍ６Ｇ４及びＲ６１対Ｒ６５_ＴＨとの関係（温度及びヘマトクリット補正後の）は、それぞれ図２４Ｇ及び２４Ｆに示されている。
【０２３８】
キシロース干渉の管理のために、図２５Ａは、正常データとキシロース干渉によって引き起こされた干渉データとの間の選別及び分離のプロットを示す。３つのデータ領域が、図２５Ａに示され、以下のもの：（Ａ）正常な計算／補償、ここで、ユーザデータ（ドナー研究自己試験データ）及び１７、２３、及び２８℃で試験された実験室データが支配的である（Ｂ）実験室／ドナーの研究データの間の重複データ及び低キシロース濃度データ、及び（Ｃ）高キシロース濃度データ；を含む。低キシロース濃度の領域Ｂは、キシロース干渉が起こりうるため、実質的に重要であり得る（ＭＴＣ−６０ｍｇ／ｄＬキシロース）。この領域には、特別な補正アルゴリズムが、データポイントのＭ６Ｇ４とＲ６５_Ｔの値に基づいて適用されうる。より高いキシロース濃度は起こりにくく、より容易に検出され除外される。分割境界の１例は、ｘ＝０.９６８９の垂直線、ｙ＝０.１の水平線、及びこれら垂直線及び水平線と交差する線ｙ＝−３０.７１４＊ｘ＋３１.７９３によって確定されるような領域ＡとＢとの間の第１境界によって、及び同様に、ｘ＝０.９９の垂直線、ｙ＝１.０の水平線、及びこれら垂直線及び水平線と交差する線ｙ＝−３０.７１４＊ｘ＋３２.５４３によって画定されるような領域ＢとＣとの間の第２の境界によって表わされうる。別の境界の画定は、正常及びキシロース干渉のデータのデータ集団に応じて可能でありうる。同様の分割及び境界の定義は、正常及びキシロース干渉のデータの分離のためにＲ６１対Ｒ６５_ＴＨの領域に、又は組み合わせたＲ６１及びＭ６Ｇ４対Ｒ６５_ＴＨの領域などに適用されうる。領域Ｂにおけるデータの補償式は、以下の文献：「Slope-Based Compensation Including Secondary Output Signals（二次出力信号を含む傾きベースの補償）」と題する２０１１年５月２７日に出願された米国特許第９,１６４,０７６号、「Method for Determining Analyte Concentration Based on Complex Index Functions（複合インデックス関数に基づく検体濃度を決定する方法）」と題する２０１１年６月６日出願の米国特許第８,７４４,７７６号、「Biosensor System With Signal Adjustment（信号調整を有するバイオセンサシステム）」と題する２００９年１２月８日出願の国際特許出願ＰＣＴ／ＵＳ２００９／０６７１５０、及び、２００８年１２月６日に出願され出願番号ＰＣＴ／ＵＳ２００８／０８５７６８の「Slope-Based Compensation（傾きベース補償）」と題されたもの（誤差パラメータ、例えばパルス間比、パルス内比等を用いる）に開示されているようなルーチンの多変数回帰の方法論に従う。これらはここで引用されることで本明細書に組み込まれる。
【０２３９】
図２５Ｂは、キシロース干渉研究ＸＹ-１についての補償結果を示す。このデータセットにおいて、８０ｍｇ／ｄＬのベースライン・グルコースを有する１００及び２００ｍｇ／ｄＬのキシロースのデータ点及びベースライン・グルコース３００ｍｇ／ｄＬを有する２００ｍｇ／ｄＬのキシロースのデータ点は、アルゴリズム回帰に含まれない。ｘ軸の数字は、各ベースライン・グルコース濃度、すなわちグルコース濃度８０ｍｇ／ｄＬ（ｘ軸上の中心のデータ点）及び３００ｍｇ／ｄＬ（ｘ軸上の中心の右のデータ点）に対するｍｇ／ｄＬでの追加のキシロース濃度を表示している。ここで、反復されるｘ軸の値は、同じ濃度の複数のデータ点を表す。プロットから、通常のアルゴリズム（キシロース効果に責任を負わない）による補償結果が、予想通りに実質的な正の偏りを与えたことが分かる。特別なアルゴリズムによる５０ｍｇ／ｄＬキシロースの結果は、８０及び３００ｍｇ／ｄＬベースライン・グルコースについて±１５％以内の結果をもたらした。８０ｍｇ／ｄＬのベースライン・グルコース（訓練中でない）についての１００ｍｇ／ｄＬキシロースのデータ点からの大きな偏り（〜８０％）は、〜２０％に実質的に低下したが、これは依然としてより高いＭ６Ｇ４値のせいで除外又は部分的除外を受けうる。２００ｍｇ／ｄＬのキシロースのデータ点については、それらは図２５Ａのソーティング及び分離マップに基づいて除外される可能性が非常に高い。
【０２４０】
図２５Ｃは、偏りの低減と同様の結果を有するキシロース効果を減少させる特別なアルゴリズムによる補償結果を示す。この研究は、３つのベースライン・グルコース濃度：５０、１１０、１８０ｍｇ／ｄＬをベースライン・グルコースのそれぞれに、０、５０、及び２００ｍｇ／ｄＬのキシロースを添加した。正常及び特別の補償からのデータは、５０,１１０及び１８０ｍｇ／ｄＬのベースライン・グルコースの順で提示される。５０ｍｇ／ｄＬのキシロースでの正の偏りは、ベースライン・グルコースと同じレベルに低下するが、一方２００ｍｇ／ｄＬのキシロースでのはるかに高い偏りは実質的に減少する。２００ｍｇ／ｄＬのキシロースでのはるかに高い偏りも、本開示で概説した方法及びプロセスに従って検出され、除外される可能性が非常に高い。ｘ軸の数字は、各ベースライン・グルコース濃度に対するｍｇ／ｄＬでの追加キシロース濃度、すなわち５０ｍｇ／ｄＬのグルコース濃度（左側のデータ点の第１のグループ化）、１１０ｍｇ／ｄＬ（中央のデータの第２のグループ化）、および１８０ｍｇ／ｄＬ（右側のデータ点の第３のグループ）を表す。ここで、繰り返されるｘ軸値は、同じキシロース濃度についての複数のデータ点を表す。
【０２４１】
図２６は、本開示の態様による、試料内の１つ以上の干渉種の影響を考慮するプロセス２６００のフローチャートである。プロセス２６００は、バイオセンサシステム（例えば上述のバイオセンサシステム１００）によって実行されうる。具体的には、プロセス２６００を実行するバイオセンサシステムは、血液試料、例えばＷＢ試料の中のグルコース濃度を決定するための装置でありうる。
【０２４２】
ステップ２６０２で、第１入力信号（例えば、作用入力信号）及び第２入力信号（例えば、裸入力信号）が、上述の方法に従って試料に印加される。具体的には、作用入力信号及び裸入力単一信号は、上述したように、同時ではなくかつ組み合わされた関係において印加される。
【０２４３】
ステップ２６０４では、組み合わされた作用信号及び裸入力信号に対応して、作用出力信号及び裸出力信号が測定される。第１出力信号及び第２出力信号の測定は、例えば、作業装置及び裸出力信号に対応する電流を記録する測定装置によって、上述のように生じる。
【０２４４】
ステップ２６０６では、裸出力信号、作用出力信号に対する裸出力信号、又はそれらの組み合わせに基づいて、１つ以上のパラメータが計算される。計算される１つ以上のパラメータは、試料中の１つ以上の干渉種に起因する作用出力信号に関連する。したがって、１つ以上のパラメータを分析して、検体の濃度の決定における干渉のレベルを決定することができる。計算され得る１つ以上のパラメータは、他の誤差パラメータ、例えば、Ｍ６Ｇ４、Ｒ６５、及びＲ６１に加えて、上述されたような例えば、ＲＧ１４、ＲＧ２４、及びＲＧ３４である。
【０２４５】
ステップ２６０８では、１つ以上の干渉種による干渉のレベルを決定するために、１つ以上のパラメータは、１つ以上の対応するパラメータの閾値と比較される。例えば、ＲＧ１４、ＲＧ２４、及びＲＧ３４のパラメータは、検体濃度の決定に及ぼす影響にパラメータと関連付ける予め設定された閾値と比較されることができ、それらは既知の干渉種及びそれらの関連濃度に帰せられる。いくつかの態様において、各パラメータは単一の閾値と比較されうる。単一の閾値は、干渉種が検体濃度の決定に及ぼす影響が無いか又は最小限の影響と、干渉種が検体濃度の決定に及ぼすいくらかの影響又は最小限を超える影響との間の違いを区別しうる。代りの態様において、各パラメータは、２つ以上の閾値と比較されうる。例えば、各パラメータは２つの閾値と比較されうる（ステップ２３１０）。第１の閾値は、干渉種の正常レベルと干渉種の高レベルとを区別することができ、第２の閾値は、干渉種の高レベルと干渉種の誤差レベルとを区別することができる。誤差レベルは、バイオセンサシステムの誤り状態、又は検体の濃度の決定において責任を負えない干渉化学種の誤りレベルに対応しうる。プロセス２６００に関して図示され記載された状況は、パラメータに関する少なくとも２つの閾値が存在する状況に対応している。
【０２４６】
パラメータが第１閾値を満たすこと（例えばパラメータが干渉種の予め設定された限度内にあること）を決定した後で、バイオセンサシステムは、ステップ２６１０の下で、通常の条件下で検体の濃度を決定することができる。通常の状態下でのそのような決定は、例えば、検体濃度を決定するための相関及び／又は補償方程式の使用、又は上記のような別の方法を用いることを含みうる。これは、検体の濃度決定に及ぼす１つ以上の干渉種に責任を負わないか又は最小限の効果にのみ責任を負う。
【０２４７】
パラメータが第１閾値を満たさないが第２閾値を満たすこと（例えば、パラメータが干渉種の予め設定された限界を上回るが誤差状態よりも下であること）を決定した後、バイオセンサシステムは、ステップ２６１２の下で、高められた条件又は中間の条件下で検体の濃度の決定を実行しうる。高められた又は中間の状態の下でのそのような決定は、例えば、検体濃度を決定するための相関及び／又は補償方程式又は上記のような別の方法の使用を含むことができ、検体の濃度決定への１つ以上の干渉種の影響に責任を負う。
【０２４８】
パラメータが第１及び第２閾値を満足しない（例えばパラメータが誤差状態閾値を上回っている）ことを決定した後、バイオセンサシステムは、ステップ２６１４の下に進みうる。ステップ２６１４に従い、バイオセンサシステムは、警告をユーザへ提供する。警告は、視覚的、聴覚的、及び／又は触覚的な警告であって、検体の濃度決定が、誤りレベル閾値以上で１つ以上の干渉種の存在に基づいて、実行可能ではなく及び／又は信頼できないことを示すものでありうる。いくつかの態様において、状態を引き起こしている１つ以上の干渉種が特定しうる。
【０２４９】
上記の開示によれば、組み合わされた第１入力信号及び第２入力信号は、検体の濃度を決定する際に、従来の試料の探索に対して利点を提供する。いくつかの利点に基づいて、組み合わされた第１及び第２入力信号並びに関連する分析方法は、（１）対照基準の検出及び識別の改善、（２）干渉種に関する改善された情報、（３）作用電極上の干渉種に関連する誤差を検出するための改善された情報、（４）化学試薬を用いずに作用電極及び裸電極からの誤差補償のための改善された情報、（５）より高い正確さ及び精度を達成しながら検定における精度及び速度を改善すること（例えば３秒以下の検定時間）を可能にする。
【０２５０】
全血試料プロファイリングは、本開示の別の主題である。干渉種は、より良い精度及び干渉のない分析を追求する際に厄介な場合がある。逆に、干渉種（特に内在種）が検出されうる場合に、グルコースを決定することと、種（例えば％-ヘマトクリット、尿酸、及びコレステロール）についての１つ以上のパラメータ又は決定された濃度における１つ以上の内在種を報告することの組み合わせは、人の健康のための追加情報を提供する。このようにして、ＷＢプロファイリングの機能を有するグルコースを監視するためのバイオセンサシステムは、糖尿病治療管理を向上させるであろう。具体的には、バイオセンサシステムは、それらの決定された濃度又はそれらの反映されたパラメータに関してＷＢグルコース測定値とともにＷＢプロファイルを記憶しうる。
【０２５１】
％-Ｈctの検出及び決定は、Ｈctパルスからの電流を用いて実行されうる。第２入力信号を加えることにより、ＷＢ試料の％-Ｈctの決定は、実質的に高められうる。図２７Ａは、ＷＢ試料についての、予測された％Ｈctと％-Ｈctでの対応する偏りとのプロットを示す。これらＷＢ試料の％-Ｈct値は、増加する％-Ｈctの順番でプロットされ２８〜６０の範囲にわたっている。基準％-Ｈct値及び予測された％-Ｈct値は、左側のy軸に示され、一方、基準％-Ｈct値からの予測された％-Ｈctの偏りは、右側のy軸に示されている。このプロットから、予測された％-Ｈctが、基準％-Ｈct値とよく一致している、即ち、±３％-Ｈct（絶対％-Ｈct偏り＝％Ｈpred−％ＨctRef）以内である９２％を超えるデータ点で、且つ±５％-Ｈct以内である９９％を超えるデータ点て、よく一致することが分かる。一定期間にわたるグルコース値及び％-Ｈct値を有する人のＷＢの簡単なプロファイリングは、％-Ｈct値が時間をかけて大きく変化しない特定のユーザに対して認識されたパターンを提供する。％-Ｈct値の突然の変化が生ずることは、異なるユーザがバイオセンサシステムを使用している可能性があること、又はこの特定の試験に関連して実質的な誤差が存在する可能性があることを意味しうる。
【０２５２】
内在種、例えば、％-Ｈct、ＵＡ、及びＣＨの決定された濃度、又はそれらの代表的なパラメータの１つ以上を、決定されたグルコース値と共に報告することは、ユーザに関するＷＢ試料のプロファイルを提供することである。このプロファイリングは、ユーザの長期的なＷＢプロファイルを提供することができ、漸時的な変化又は時間の経過に伴うその欠如を反映して、糖尿病の治療／管理に利益をもたらす。尿酸は、人体がアミノ酸を含む食品を分解するときに、血液中に通常見られる廃棄物である。高レベルの尿酸は痛風と関連しており、これは関節、特に足及び親指での腫れを引き起こす関節炎の一形態である。尿酸値は性別によって異なりうる。Clinical Reference Laboratory（ＣＲＬ）によると、女性の正常値は、２．５〜７．５ｍｇ／ｄＬであり、男性では４．０〜８．５ｍｇ／ｄＬである。ただし、これらの値は、検査を行っている実験室に応じて変化しうる。最近の研究は、ＵＡが糖尿病の発症と関連する可能性を示している。American Diabetes Association（米国糖尿病協会）によると、研究は、ＵＡレベルとメタボリック症候群、インスリン抵抗性（身体がインスリンに反応できず使用も不可能）に関連する症状の組み合わせとの強力な関連を示しており、心臓病及び糖尿病を患う機会を増大させる。前糖尿病患者及び高齢者の研究は、高ＵＡレベルが糖尿病を発症する可能性を高めることを示唆している。したがって、ＷＢ試料中の決定されたグルコース濃度及びＵＡの濃度又はＵＡに関連するパラメータの報告は、糖尿病管理の一部分として人の漸進的プロファイルを提供するであろう。図２７Ｂに示されたものは、ＷＢ試料における添加ＵＡに対する応答である。この図から、パラメータＲＧ３４及び電流ｉＧ３,４の両方が、血液試料中のＵＡの存在を示すのに用いられうることが判る。
【０２５３】
本発明の様々な実施形態について説明したが、本発明の範囲内で別の実施形態及び実装が可能であることは、当業者には明らかであろう。
【０２５４】
これらの実施形態の各々及びその明らかな変形形態は、特許請求の範囲に記載されている特許請求された発明の精神及び範囲内に含まれるものと考えられる。さらに、本発明の概念は、先行する要素及び態様の任意の及びすべての組合せ並びに部分的な組み合わせを明白に含む。
【図１】
2019521343.tif 000016
【図２Ａ】
2019521343.tif 000017
【図２Ｂ】
2019521343.tif 000018
【図２Ｃ】
2019521343.tif 000019
【図３】
2019521343.tif 000020
【図４】
2019521343.tif 000021
【図５】
2019521343.tif 000022
【図６Ａ】
2019521343.tif 000023
【図６Ｂ】
2019521343.tif 000024
【図６Ｃ】
2019521343.tif 000025
【図６Ｄ】
2019521343.tif 000026
【図７】
2019521343.tif 000027
【図８Ａ】
2019521343.tif 000028
【図８Ｂ】
2019521343.tif 000029
【図８Ｃ】
2019521343.tif 000030
【図８Ｄ】
2019521343.tif 000031
【図９Ａ】
2019521343.tif 000032
【図９Ｂ】
2019521343.tif 000033
【図９Ｃ】
2019521343.tif 000034
【図９Ｄ】
2019521343.tif 000035
【図１０Ａ】
2019521343.tif 000036
【図１０Ｂ】
2019521343.tif 000037
【図１０Ｃ】
2019521343.tif 000038
【図１０Ｄ】
2019521343.tif 000039
【図１０Ｅ】
2019521343.tif 000040
【図１１Ａ】
2019521343.tif 000041
【図１１Ｂ】
2019521343.tif 000042
【図１１Ｃ】
2019521343.tif 000043
【図１１Ｄ】
2019521343.tif 000044
【図１２Ａ】
2019521343.tif 000045
【図１２Ｂ】
2019521343.tif 000046
【図１２Ｃ】
2019521343.tif 000047
【図１２Ｄ】
2019521343.tif 000048
【図１３】
2019521343.tif 000049
【図１４Ａ】
2019521343.tif 000050
【図１４Ｂ】
2019521343.tif 000051
【図１４Ｃ】
2019521343.tif 000052
【図１４Ｄ】
2019521343.tif 000053
【図１５】
2019521343.tif 000054
【図１６Ａ】
2019521343.tif 000055
【図１６Ｂ】
2019521343.tif 000056
【図１６Ｃ】
2019521343.tif 000057
【図１６Ｄ】
2019521343.tif 000058
【図１６Ｅ】
2019521343.tif 000059
【図１６Ｆ】
2019521343.tif 000060
【図１７Ａ】
2019521343.tif 000061
【図１７Ｂ】
2019521343.tif 000062
【図１７Ｃ】
2019521343.tif 000063
【図１８】
2019521343.tif 000064
【図１９】
2019521343.tif 000065
【図２０】
2019521343.tif 000066
【図２１Ａ】
2019521343.tif 000067
【図２１Ｂ】
2019521343.tif 000068
【図２１Ｃ】
2019521343.tif 000069
【図２１Ｄ】
2019521343.tif 000070
【図２１Ｅ】
2019521343.tif 000071
【図２１Ｆ】
2019521343.tif 000072
【図２１Ｇ】
2019521343.tif 000073
【図２１Ｈ】
2019521343.tif 000074
【図２２Ａ】
2019521343.tif 000075
【図２２Ｂ】
2019521343.tif 000076
【図２２Ｃ】
2019521343.tif 000077
【図２２Ｄ】
2019521343.tif 000078
【図２３Ａ】
2019521343.tif 000079
【図２３Ｂ】
2019521343.tif 000080
【図２４Ａ】
2019521343.tif 000081
【図２４Ｂ】
2019521343.tif 000082
【図２４Ｃ】
2019521343.tif 000083
【図２４Ｄ】
2019521343.tif 000084
【図２４Ｅ】
2019521343.tif 000085
【図２４Ｆ】
2019521343.tif 000086
【図２５Ａ】
2019521343.tif 000087
【図２５Ｂ】
2019521343.tif 000088
【図２５Ｃ】
2019521343.tif 000089
【図２６】
2019521343.tif 000090
【図２７Ａ】
2019521343.tif 000091
【図２７Ｂ】
2019521343.tif 000092
【国際調査報告】
2019521343.tif 000093
2019521343.tif 000094
2019521343.tif 000095
2019521343.tif 000096